(57)【要約】【課題】  コンタクトプリズムによる収差を補正するための操作の簡便化を図る。【解決手段】  コンタクトプリズム６０により観察像に発生される非点収差を補正する非点収差補正用光学素子６１と、色収差を補正する色収差補正用光学素子７０とを各観察光路Ｏ１、Ｏ２に備え、コンタクトプリズム６０の光学情報を測定する測定機器９０及びテンプレート１００と、その測定結果を入力するための手動操作部１１０と、フットスイッチ７と、フットスイッチ７が操作されたことに対応し、入力された光学情報に基づいて、非点収差の補正方向及び補正量と色収差の補正方向及び補正量とを算出する算出処理部１３３と、算出された非点収差の補正方向及び補正量に基づいて非点収差補正用光学素子６１を制御し、色収差の補正方向及び補正量に基づいて色収差補正用光学素子７０を制御する装置制御部１３１とを備える。【選択図】      図１２
2006330040.tif 000002
【特許請求の範囲】
【請求項１】
観察対象物に対峙される対物レンズから左右の接眼レンズに至るまでの間の左右それぞれの観察光路に、光束を結像させる結像レンズを有し、観察部位を変更するプリズム部材を前記観察対象物と前記対物レンズとの間に配置して観察を行う観察装置であって、
前記左右それぞれの観察光路に、前記プリズム部材を配置させたときに前記観察対象物の観察像に発生する非点収差を補正するための非点収差補正用光学素子と、前記プリズム部材を配置させたときに前記観察像に発生する色収差を補正するための色収差補正用光学素子とを設け、
前記プリズム部材の光学情報を取得するための測定を行う測定手段と、
操作手段と、
前記操作手段が操作されたことに対応し、前記取得された前記プリズム部材の光学情報に基づいて、前記非点収差の補正方向及び補正量と前記色収差の補正方向及び補正量とを算出する算出手段と、
前記算出された前記非点収差の補正方向及び補正量に基づいて前記非点収差補正用光学素子を制御し、前記色収差の補正方向及び補正量に基づいて前記色収差補正用光学素子を制御する制御手段と、
を備えていることを特徴とする観察装置。
【請求項２】
前記測定手段は、
前記プリズム部材の厚さを前記光学情報として測定するプリズム厚測定手段と、
前記プリズム部材のプリズム角を前記光学情報として測定するプリズム角測定手段と、
前記プリズム部材により発生される非点収差及び／又は色収差の発生方向と、前記非点収差及び色収差のそれぞれの発生量とを前記光学情報として測定するための収差測定手段と、
を含んでいることを特徴とする請求項１に記載の観察装置。
【請求項３】
前記算出手段は、
前記プリズム厚測定手段を用いて測定された前記プリズム部材の厚さと、前記プリズム角測定手段を用いて測定された前記プリズム角と、前記収差測定手段を用いて測定された前記発生方向及び前記発生量と、あらかじめ取得された前記左右の観察光路を形成する観察光学系の光学情報とに基づいて、前記プリズム部材の屈折率を算出するとともに、前記プリズム部材の厚さと、前記プリズム角と、前記発生方向及び前記発生量と、前記観察光学系の光学情報と、前記算出された前記屈折率とに基づいて、前記プリズム部材の分散を算出するプリズム特性値算出手段を含み、
前記算出された前記プリズム部材の屈折率及び分散に基づいて、前記非点収差の補正量と前記色収差の補正量とを算出する、
ことを特徴とする請求項２に記載の観察装置。
【請求項４】
前記算出手段は、
前記測定された前記プリズム部材の厚さ及び前記プリズム角と、前記観察光学系の光学情報と、前記プリズム特性値算出手段により算出された前記プリズム部材の屈折率及び分散とに基づいて、前記プリズム部材の向きと前記対物レンズの光軸に対する前記プリズム部材の軸の傾斜角度との双方に対応する、前記非点収差及び前記色収差のそれぞれの補正量の情報を含む補正量情報を作成する補正量情報作成手段を更に含み、
前記作成された補正量情報に基づいて、前記非点収差の補正量と前記色収差の補正量とを算出する、
ことを特徴とする請求項３に記載の観察装置。
【請求項５】
前記補正量情報作成手段は、それぞれ所定のステップ毎に定義された前記方向と前記傾斜角度とに対応する前記非点収差及び前記色収差のそれぞれの補正量を算出して前記補正量情報を作成し、
前記算出手段は、前記作成された補正量情報を参照し、前記定義された前記方向及び／又は前記傾斜角度の前記ステップの間の値に対応する前記非点収差及び前記色収差の補正量を算出する、
ことを特徴とする請求項４に記載の観察装置。
【請求項６】
前記非点収差補正用光学素子による非点収差の補正方向及び補正量と、前記色収差補正用光学素子による色収差の補正方向及び補正量とを、それぞれ手動操作にて調整するための手動調整手段を更に備え、
前記収差測定手段は、前記対物レンズの下方位置にて前記プリズム部材を支持するプリズム部材支持部と、前記支持された前記プリズム部材の下方位置に配置され、眼底に相当する位置にターゲットを有する模擬眼と、前記模擬眼の下方位置に配置され、前記ターゲットを照明して前記ターゲットを観察可能にする照明光源とを含み、
前記支持された前記プリズム部材により前記ターゲットの観察像に発生された非点収差と色収差とを前記手動操作にて調整したときの非点収差及び／又は色収差の補正方向を前記発生方向として入力するための発生方向入力操作手段と、前記手動操作にて調整したときの非点収差及び色収差のそれぞれの補正量を前記発生量として入力するための発生量入力操作手段とを更に備え、
前記算出手段は、前記入力された前記発生方向及び前記発生量とに基づいて、前記非点収差の補正量と前記色収差の補正量とを算出する、
ことを特徴とする請求項２ないし請求項５のいずれか一項に記載の観察装置。
【請求項７】
前記収差測定手段は、前記対物レンズの下方位置にて前記プリズム部材を支持するプリズム部材支持部と、前記支持された前記プリズム部材の下方位置に配置され、眼底に相当する位置にターゲットを有する模擬眼と、前記模擬眼の下方位置に配置され、前記ターゲットを照明して前記ターゲットを観察可能にする照明光源と、前記左右の観察光路の少なくとも一方を分岐させる光路分岐手段と、前記分岐された光路を経由した光束を受光して前記ターゲットの画像を撮影する撮像手段と、前記撮影された前記ターゲットの画像を解析して、前記支持された前記プリズム部材によって前記ターゲットの画像に発生された非点収差及び／又は色収差の発生方向と非点収差及び色収差の発生量とを検出する検出手段とを含み、
前記算出手段は、前記検出された前記発生方向及び前記発生量に基づいて、前記非点収差の補正量と前記色収差の補正量とを算出する、
ことを特徴とする請求項２ないし請求項５のいずれか一項に記載の観察装置。
【請求項８】
前記測定手段は、前記プリズム部材により前記観察対象物の観察像に発生される非点収差及び／又は色収差の発生方向と、前記非点収差及び色収差のそれぞれの発生量とを前記光学情報として測定し、
前記算出手段は、
あらかじめ取得された前記プリズム部材の厚さ及びプリズム角と、あらかじめ取得された前記左右の観察光路を形成する観察光学系の光学情報と、前記測定手段により測定された前記発生方向及び前記発生量とに基づいて、前記プリズム部材の屈折率を算出するとともに、前記プリズム部材の厚さ及びプリズム角と、前記発生方向及び前記発生量と、前記観察光学系の光学情報と、前記算出された前記屈折率とに基づいて、前記プリズム部材の分散を算出するプリズム特性値算出手段を含み、
前記算出された前記プリズム部材の屈折率及び分散に基づいて、前記非点収差の補正方向及び補正量と前記色収差の補正方向及び補正量とを算出する、
ことを特徴とする請求項１に記載の観察装置。
【請求項９】
前記測定手段は、前記プリズム部材が前記配置された前記観察対象物にターゲットを形成するターゲット形成手段と、前記左右の観察光路の少なくとも一方を分岐させる光路分岐手段と、前記分岐された光路を経由した光束を受光して前記ターゲットを含む前記観察対象物の画像を撮影する撮像手段と、前記撮影された前記画像を解析して、前記ターゲットの画像を抽出する画像抽出手段と、前記抽出された前記ターゲットの画像を解析して、前記プリズム部材により発生された色収差の発生方向及び発生量を検出する収差検出手段とを含み、
前記算出手段は、前記プリズム特性値算出手段により算出された前記プリズム部材の屈折率及び分散とともに、前記収差検出手段により検出された前記発生方向及び前記発生量に基づいて、前記非点収差の補正方向及び補正量と前記色収差の補正方向及び補正量とを算出する、
ことを特徴とする請求項８に記載の観察装置。
【請求項１０】
前記色収差補正用光学素子を制御して、前記観察対象物の画像における色収差の発生量を、前記収差検出手段により検出された前記発生量よりも増大させる収差制御手段と、
前記収差検出手段によりそれぞれ検出された、前記収差制御手段により色収差が増大される前の前記ターゲットの画像における色収差の発生量と、前記増大された後の前記観察対象物の画像から前記画像抽出手段により抽出された前記ターゲットの画像における色収差の発生量との差が、所定のしきい値よりも大きいか否かを判断する判断手段と、
を更に備え、
前記算出手段は、前記差が前記所定のしきい値よりも大きいと前記判断されたときに、前記プリズム特性値算出手段により算出された前記プリズム部材の屈折率及び分散とともに、前記増大された色収差の発生方向及び／又は発生量を粗調整して得られる色収差の発生方向及び発生量の前記収差検出手段による検出結果に基づいて、前記非点収差の補正方向及び補正量と前記色収差の補正方向及び補正量とを算出する、
ことを特徴とする請求項９に記載の観察装置。
【請求項１１】
前記収差制御手段は、前記判断手段により前記差が前記所定のしきい値以下であると判断されたときに、前記色収差補正用光学素子を制御して、前記観察対象物の画像における色収差の発生量を、前記増大される前の発生量に変更することを特徴とする請求項１０に記載の観察装置。
【請求項１２】
前記収差検出手段は、前記画像抽出手段により抽出された前記ターゲットの画像をＲ成分、Ｇ成分及びＢ成分の画像に分解し、前記Ｒ成分、Ｇ成分及びＢ成分の画像のそれぞれの重心を算出し、この算出された前記Ｒ成分、Ｇ成分及びＢ成分の画像の重心の変位方向と変位量とに基づいて、前記プリズム部材により発生された色収差の発生方向及び発生量を求めることを特徴とする請求項９ないし請求項１１のいずれか一項に記載の観察装置。
【請求項１３】
前記操作手段は、前記観察対象物の観察像に発生する非点収差の補正方向と色収差の補正方向とを変更するための補正方向操作手段を含み、
前記制御手段は、前記補正方向操作手段が操作されたことに対応して、前記非点収差補正用光学素子による非点収差の補正方向と前記色収差補正用光学素子による色収差の補正方向とを一括制御する、
ことを特徴とする請求項１ないし請求項１２のいずれか一項に記載の観察装置。
【請求項１４】
前記プリズム部材の向きに応じた非点収差の発生方向と色収差の発生方向とを対応付ける収差発生方向対応情報をあらかじめ記憶した発生方向記憶手段を更に備え、
前記算出手段は、前記補正方向操作手段により変更される前記補正方向と、前記記憶された前記収差発生方向対応情報とに基づいて、前記非点収差の補正方向と前記色収差の補正方向とを算出する、
ことを特徴とする請求項１３に記載の観察装置。
【請求項１５】
前記非点収差補正用光学素子は、それぞれ独立に回転駆動される２枚のシリンダーレンズを含んで構成されるバリアブルクロスシリンダーレンズであり、
前記制御手段は、前記２枚のシリンダーレンズのそれぞれを同方向に同角度だけ回転させて非点収差の補正方向を変更させる、
ことを特徴とする請求項１３又は請求項１４に記載の観察装置。
【請求項１６】
前記色収差補正用光学素子は、それぞれ独立に回転駆動される２枚のプリズムを含んで構成され、
前記制御手段は、前記２枚のプリズムのそれぞれを同方向に同角度だけ回転させて色収差の補正方向を変更させる、
ことを特徴とする請求項１３ないし請求項１５のいずれか一項に記載の観察装置。
【請求項１７】
前記操作手段は、前記観察対象物の観察像に発生する非点収差の補正量と色収差の補正量とを変更するための補正量操作手段を含み、
前記制御手段は、前記補正量操作手段が操作されたことに対応して、前記非点収差補正用光学素子による非点収差の補正量と前記色収差補正用光学素子による色収差の補正量とを一括制御する、
ことを特徴とする請求項１ないし請求項１２のいずれか一項に記載の観察装置。
【請求項１８】
前記非点収差補正用光学素子は、それぞれ独立に回転駆動される２枚のシリンダーレンズを含んで構成されるバリアブルクロスシリンダーレンズであり、
前記制御手段は、前記２枚のシリンダーレンズを互いに逆方向に同角度だけ回転させて非点収差の補正量を変更させる、
ことを特徴とする請求項１７に記載の観察装置。
【請求項１９】
前記色収差補正用光学素子は、それぞれ独立に回転駆動される２枚のプリズムを含んで構成され、
前記制御手段は、前記２枚のプリズムを互いに逆方向に同角度だけ回転させて色収差の補正量を変更させる、
ことを特徴とする請求項１７又は請求項１８に記載の観察装置。
【請求項２０】
装置の動作を足で操作するためのフットスイッチを備え、
前記操作手段は前記フットスイッチに設けられている、
ことを特徴とする請求項１ないし請求項１９のいずれか一項に記載の観察装置。
【請求項２１】
前記左右それぞれの観察光路に観察倍率を変化させる変倍レンズ系を有し、
前記結像レンズは、前記変倍レンズ系を経由した光束を結像させ、
前記非点収差補正用光学素子は、前記対物レンズから前記結像レンズに至るまでの間の観察光路上に配置されている、
ことを特徴とする請求項１ないし請求項２０のいずれか一項に記載の観察装置。
【請求項２２】
前記左右それぞれの観察光路に観察倍率を変化させる変倍レンズ系を有し、
前記結像レンズは、前記変倍レンズ系を経由した光束を結像させ、
前記色収差補正用光学素子は、前記対物レンズから前記結像レンズに至るまでの間の観察光路上に配置されている、
ことを特徴とする請求項１ないし請求項２１のいずれか一項に記載の観察装置。
【請求項２３】
第１の操作手段と、
前記第１の操作手段が操作されたことに対応し、前記非点収差補正用光学素子を制御して前記観察像に発生する非点収差の補正量をゼロにし、前記色収差補正用光学素子を制御して前記観察像に発生する色収差の補正量をゼロにする補正リセット手段と、
を更に備えていることを特徴とする請求項１ないし請求項２２のいずれか一項に記載の観察装置。
【請求項２４】
第２の操作手段及び第３の操作手段を更に備え、
前記制御手段は、
前記第２の操作手段が操作されたことに対応し、前記非点収差補正用光学素子による非点収差の現在の補正方向及び補正量の情報と、前記色収差補正用光学素子による色収差の現在の補正方向及び補正量の情報とを所定の記憶手段に記憶させるとともに、
前記第３の操作手段が操作されたことに対応し、前記所定の記憶手段に記憶された前記補正方向及び補正量の情報を読み出し、前記非点収差補正用光学素子を制御して非点収差の補正方向及び補正量を前記読み出された前記補正方向及び補正量に変更し、前記色収差補正用光学素子を制御して色収差の補正方向及び補正量を前記読み出された前記補正方向及び補正量に変更する、
ことを特徴とする請求項１ないし請求項２２のいずれか一項に記載の観察装置。
【請求項２５】
第４の操作手段を更に備え、
前記制御手段は、
前記非点収差補正用光学素子による非点収差の補正方向及び補正量と、前記色収差補正用光学素子による色収差の補正方向及び補正量とのうちの少なくともいずれかが変更される度毎に、その変更された後の前記補正方向及び補正量の情報を所定の記憶手段に記憶させるとともに、
前記第４の操作手段が操作されたことに対応し、前記所定の記憶手段に記憶された最後の前記変更の直前における前記補正方向及び補正量の情報を読み出し、前記非点収差補正用光学素子を制御して非点収差の補正方向及び補正量を前記読み出された前記補正方向及び補正量に変更し、前記色収差補正用光学素子を制御して色収差の補正方向及び補正量を前記読み出された前記補正方向及び補正量に変更する、
ことを特徴とする請求項１ないし請求項２２のいずれか一項に記載の観察装置。
【請求項２６】
前記プリズム部材の光学特性に基づいて得られた非点収差の標準的な補正方向及び補正量と色収差の標準的な補正方向及び補正量とをあらかじめ記憶する記憶手段と、
第５の操作手段と、
を更に備え、
前記制御手段は、前記第５の操作手段が操作されたことに対応し、前記記憶手段に記憶された前記標準的な補正方向及び補正量を読み出し、前記非点収差補正用光学素子を制御して非点収差の補正方向及び補正量を前記標準的な補正方向及び補正量に変更し、前記色収差補正用光学素子を制御して色収差の補正方向及び補正量を前記標準的な補正方向及び補正量に変更する、
ことを特徴とする請求項１ないし請求項２２のいずれか一項に記載の観察装置。
【発明の詳細な説明】
【技術分野】
【０００１】
本発明は、観察装置に関し、特に、人眼などの観察に用いられる手術用顕微鏡装置やスリットランプ等の観察装置に関するものである。
【背景技術】
【０００２】
図２２〜図２４は、観察装置の一例である手術用顕微鏡装置の従来の構成を示している（たとえば、特許文献１の従来の技術を参照）。この手術用顕微鏡装置は、図２２に示すような外観構成を有し、装置を床面上に支持するための支持ポスト１と、手術用顕微鏡本体を支持するための支持アーム２と、この支持アーム２の先端部に装着された手術用顕微鏡本体取り付け用のブラケット３とを含んで構成されている。
【０００３】
支持アーム２は、Ｌ字状アーム４と揺動アーム５とから構成されている。Ｌ字状アーム４は、支持ポスト１の上端に水平方向に回動操作可能に装着されている。また、揺動アーム５は、その内部に格納されたスプリングの弾性作用により、上方にバネ付勢されている。
【０００４】
揺動アーム５の先端部には、水平方向に回動操作可能に支持されたアーム６が下方に向かって設けられている。ブラケット３はアーム６の下端部に取り付けられており、ブラケット３には、当該手術用顕微鏡装置の本体部を構成する手術用顕微鏡１０が取り付けられている。
【０００５】
また、当該装置を足で操作するためのフットスイッチ７が床面上に設けられている。このフットスイッチ７は、支持ポスト１に通信線を介して接続されている。
【０００６】
手術用顕微鏡１０は、各種光学系を格納した鏡筒１１を中心に構成されている。鏡筒１１には、双眼の接眼レンズ鏡筒１１′が設けられている。術者は、この接眼レンズ鏡筒１１′をのぞき込んで被手術眼Ｅの拡大像を観察しつつ手術を行う。また、手術を補助する補助者は、補助者用接眼レンズ部１２′をのぞき込んで被手術眼Ｅを観察できるようになっている。
【０００７】
手術用顕微鏡１０の鏡筒１１内には、図２３、図２４に示すような照明光学系１２と観察光学系１３が収納されている。照明光学系１２は、被手術眼Ｅに照明光を照射するための光学系であり、照明用光源１４、集光レンズ１５、照明野絞り１６、コリメータレンズ１７及びプリズム１８を含んで構成される。
【０００８】
照明用光源１４から発せられた照明光は、集光レンズ１５、照明野絞り１６、コリメータレンズ１７を経由し、プリズム１８の反射面１８ｂによって反射され、対物レンズ１９を介して被手術眼Ｅに導かれ被手術眼Ｅの眼底Ｅｒ等を照明する。このとき、プリズム１８の下面１８ａは、照明光学系１２の射出瞳となっている。なお、符号Ｅａは被手術眼Ｅの瞳孔、Ｅｂは虹彩、Ｅｃは角膜を示している。
【０００９】
なお、実際の手術においては、このような照明では手術器具の影の影響で観察が妨げられることがある。その場合、別途、眼球内に導光ファイバを直接に挿入して照明を行うことがある。これは、紫外線及び赤外線を除去した光線を光ファイバを通じて眼球内に導入することで、手術器具が照明光を遮って生じる影などの影響を排除する照明方法である。
【００１０】
観察光学系１３は、被手術眼Ｅに照射された照明光の眼底Ｅｒでの反射光（観察光）を接眼レンズ鏡筒１１′まで導く光学系であり、図２４に示すように左観察光学系１３ａと右観察光学系１３ｂを有している。
【００１１】
左観察光学系１３ａは、対物レンズ１９と、レンズ２０ａ、２０ｂ、２０ｃからなる変倍レンズ系（ズームレンズ系）２０と、ビームスプリッタ２１と、結像レンズ２２と、像正立プリズム２３と、眼幅調整プリズム２４と、視野絞り２５と、（左眼用）接眼レンズ２６とこの順に含んでいる。なお、符号２ａ１は入射瞳であり、符号２６ａはアイポイントである。
【００１２】
一方、右観察光学系１３ｂは、同様に、対物レンズ１９と、レンズ３０ａ、３０ｂ、３０ｃからなる変倍レンズ系（ズームレンズ系）３０と、ビームスプリッタ３１と、結像レンズ３２と、像正立プリズム３３と、眼幅調整プリズム３４と、視野絞り３５と、（右眼用）接眼レンズ３６とをこの順に含んでいる。また、符号２ｂ１は入射瞳である、符号３６ａはアイポイントである。
【００１３】
両観察光学系１３ａ、１３ｂは、次のような特徴を持っている。（１）対物レンズ１９から変倍レンズ系２０、３０に至るまでの間は、それぞれ、観察光を平行光束として変倍レンズ系２０、３０にリレーする観察光路となっている。（２）変倍レンズ系２０、３０から結像レンズ２２、３２に至るまでの間は、それぞれ、変倍レンズ系２０、３０を通じて得られた観察光を平行光束として結像レンズ２２、３２にリレーする観察光路となっている。
【００１４】
眼底Ｅｒにて反射された照明光（観察光）は、対物レンズ１９を経由するとともに、両観察光学系１３ａ、１３ｂの各光学素子を経由して接眼レンズ２６、３６まで案内されて、接眼レンズ鏡筒１１′をのぞき込む術者の両眼にそれぞれ導かれる。また、観察光の一部は、ビームスプリッタ２１、３１により反射されて分岐され、補助観察光学系４０及びＴＶ撮像系５０にそれぞれ導かれる。
【００１５】
補助観察光学系４０は、補助者が被手術眼Ｅを観察するための光学系であり、結像レンズ４１、反射ミラー４２及び接眼レンズ４３を含んで構成される。また、ＴＶ撮像系５０は、被手術眼Ｅの画像を撮影するための光学系であり、結像レンズ５１、反射ミラー５２及びＴＶカメラ５３を含んで構成される。ＴＶカメラ５３は、受像手段５３ａとしてのＣＣＤ撮像素子を備えている。
【００１６】
図２５は、図２４に示す観察光学系１３を上方から見たときの概略構成を示す。なお、同図において、対物レンズ１９の光軸をＯと示し、両観察光学系１３ａ、１３ｂの光軸（観察光軸）をそれぞれＯ１、Ｏ２と示す。また、プリズム１８の下面１８ａは前述のように照明光学系１２の射出瞳であり、両観察光学系１３ａ、１３ｂの観察光路２ａ２、２ｂ２に近接して形成されている。
【００１７】
ところで、この種の手術用顕微鏡装置を用いて被手術眼Ｅの眼底Ｅｒの周辺部を観察したい場合がある。その場合、被手術眼Ｅの角膜Ｅｃに図２６に示すような（手術用）コンタクトプリズム６０をあてがって観察を行う。コンタクトプリズム６０は、頂角θ（たとえばθ＝４５°）を有している。
【００１８】
このようなコンタクトプリズム６０を角膜Ｅｃにあてがうと、対物レンズ１９の光軸Ｏ及び照明光学系１２の照明光軸Ｏ′（図２３参照）が屈折されるのに加えて、両観察光学系１３ａ、１３ｂの観察光軸Ｏ１、Ｏ２が屈折されるために、眼底周辺部Ｅｒ′の観察が可能となる。このとき、各種頂角θのコンタクトプリズム６０を複数用意し、目的の観察部位に応じてそれらを使い分けることにより、観察部位を適宜変更できる。
【００１９】
しかしながら、このようなコンタクトプリズム６０を被手術眼Ｅにあてがって観察を行う場合、照明光や観察光の屈折分散作用により非点収差や色収差が生じる。
【００２０】
図２７は、コンタクトプリズム６０をあてがっていない状態での非点収差を模式的に描いた図であって、横軸は、合焦位置を原点とし、その合焦位置から前後にデフォーカスしたときのデフォーカス量を示している。また、縦軸は各デフォーカス量に対する点像Ｑの大きさと形状を示している。コンタクトプリズム６０を角膜Ｅｃにあてがっていないときには、デフォーカス量が大きくても、点像Ｑはほぼ円形を保ったままである。
【００２１】
それに対して、図２８は、コンタクトプリズム６０をあてがった状態での非点収差を模式的に描いた図であって、横軸は合焦位置（原点）から前後にデフォーカスしたときのデフォーカス量を示し、縦軸は各デフォーカス量に対応する点像の大きさと形状を示している。このように、コンタクトプリズム６０をあてがっているときには、点像Ｑが円形になる位置が合焦位置から変位し、更に、デフォーカス量が合焦位置前側から後側に変化されるのに伴って縦長の楕円形の状態から最小円を経由して横長の楕円形を呈する状態になり、非点収差が発生してしまう。
【００２２】
また、図２９は、コンタクトプリズム６０をあてがっていない状態での非点収差、色収差を模式的に描いた図であって、横軸は合焦位置を原点とし、その合焦位置から前後にデフォーカスしたときのデフォーカス量を示している。縦軸は各デフォーカス量に対応する点像Ｑの大きさと形状を示している。コンタクトプリズム６０をあてがっていないときには、合焦状態からデフォーカス量が大きくなったとしても、点像Ｑはほぼ円形を保ったままであり、また、光が波長成分に分離される色収差もほとんど見られない。デフォーカス量が大きくなるに伴ってわずかに見られるのみであり、合焦位置では観察にほとんど支障がない。
【００２３】
それに対して、図３０は、コンタクトプリズム６０をあてがった状態での非点収差、色収差を模式的に描いた図であって、横軸は合焦位置（原点）から前後にデフォーカスしたときのデフォーカス量を示し、縦軸は各デフォーカス量に対応する点像Ｑの大きさと形状を示している。コンタクトプリズム６０をあてがっているときには、点像Ｑが円形になる位置が合焦位置から変位し、更に、デフォーカス量が合焦位置前側から後側に変化されるのに伴って縦長の楕円形の状態から最小円を経由して横長の楕円形を呈する状態になり非点収差が発生する。このとき、同時に、合焦位置においてもコンタクトプリズム６０の屈折作用により色収差が発生する。
【００２４】
この図３０においては、光の赤、緑、青の波長成分をそれぞれ「Ｒ」、「Ｇ」、「Ｂ」で表して、色収差の発生状況を模式的に描写している。なお、光の成分が分離する方向は、コンタクトプリズム６０の屈折力の方向である（同図中の縦軸方向）。
【００２５】
色収差が発生している場合には、図３１に示すように、たとえ非点収差を除去したとしても、色収差が残存することとなる。
【００２６】
コンタクトプリズム６０を被手術眼Ｅの角膜Ｅｃにあてがって眼底周辺部Ｅｒ′を観察するときに、このような非点収差や色収差が介在すると、観察像が歪んで見えたり、色が分離して見えたりするため、観察像のシャープさが劣化して眼底周辺部Ｅｒ′の手術をしにくくなる。
【００２７】
観察像の非点収差や色収差は、被手術眼Ｅの眼球光学系によっても生じ、特に、白内障の治療等に用いられる眼内レンズ（ＩＯＬ）が挿入された眼を手術する場合にはその影響が大きくなって観察が困難になる。
【００２８】
なお、非点収差や色収差による観察像の品質劣化の問題は、手術用顕微鏡装置だけでなく、眼底やその周辺部にレーザ光を照射して光凝固治療を行う光凝固治療装置や、眼科観察用の細隙灯顕微鏡装置（スリットランプ）などの観察装置一般において指摘されている。
【００２９】
このような事情を鑑みて、非点収差や色収差の影響を補正可能な観察装置が提案されている（たとえば、本出願人による特許文献１、２を参照）。特許文献１、２に係る観察装置は、図３２、図３３に示すように、以前の手術用顕微鏡装置の両観察光学系１３ａ、１３ｂの変倍レンズ系２０、３０と結像レンズ２２、３２との間の観察光路中に非点収差打ち消し用光学素子６１を設けた構成とされている。
【００３０】
この非点収差打ち消し用光学素子６１は、図３４、図３５に示すように一対のシリンダーレンズ６１Ａ、６１Ｂからなるバリアブルクロスシリンダーレンズによって構成される。シリンダーレンズ６１Ａは凸のシリンダーレンズから構成され、シリンダーレンズ６１Ｂは凹のシリンダーレンズから構成されている。
【００３１】
シリンダーレンズ６１Ａ、６１Ｂは、観察光軸Ｏ１、Ｏ２の回りに一体回転可能（互いの母線軸６１Ｃ、６１Ｄのなす角度を変えずに回転可能）であるとともに、相対回転可能（互いの母線軸６１Ｃ、６１Ｄのなす角度のみを変化させ、収差発生方向は変化させないように回転可能）とされている。このシリンダーレンズ６１Ａ、６１Ｂを観察光軸Ｏ１、Ｏ２の回りに一体回転させると、コンタクトプリズム６０の被手術眼Ｅへのあてがい方によって生じる非点収差の方位に非点収差打ち消し用光学素子６１を対応させることができ、その方位を固定した状態で、シリンダーレンズ６１Ａとシリンダーレンズ６１Ｂとの両者を相対回転させて非点収差打ち消し用光学素子６１のパワーを適宜変更させることで、コンタクトプリズム６０を被手術眼Ｅにあてがったときに生じる非点収差を打ち消すことができる。
【００３２】
一方、色収差については、図３６、図３７に示すように、対物レンズ１９と変倍レンズ系２０、３０との間の観察光路中に色収差打ち消し用光学素子７０を設けることによって補正される。
【００３３】
この色収差打ち消し用光学素子７０は、図３８、図３９に示すように、２つのプリズム７０Ａ、７０Ｂから構成される。プリズム７０Ａは、薄い２枚のプリズム７１ａ、７１ｂが貼り合わされて構成され、プリズム７０Ｂは、薄いプリズム７１ｃ、７１ｄが貼り合わされて構成される。そして、プリズム７１ａ、７１ｄの基本波長（ｄ線）の屈折率ｎｄが等しく、プリズム７１ｂ、７１ｃの基本波長（ｄ線）の屈折率ｎｄが等しく、プリズム７１ａの分散νがプリズム７１ｂの分散νよりも小さく、プリズム７１ｄの分散νがプリズム７１ｃの分散νよりも小さくなるように、プリズム７１ａ〜７１ｄの形成材料を選択することで、色収差打ち消し用光学素子７０は、観察光の中心波長を変化させずに色分散（色収差）のみを発生させるように構成されている。
【００３４】
一般に、色収差はプリズムの屈折力の方向に生じる。コンタクトプリズム６０によって波長成分に分離された観察光が色収差打ち消し用光学素子７０を通過したときに平行光束となるように、色収差打ち消し用光学素子７０を回転調整することにより、コンタクトプリズム６０の屈折作用による色収差が除去される。
【００３５】
以上より、変倍レンズ系２０、３０と結像レンズ２２、３２との間の観察光路中に非点収差打ち消し用光学素子６１と色収差打ち消し用光学素子７０とを設けることにより、コンタクトプリズム６０による非点収差及び色収差が除去された点像が得られることになる。
【００３６】
上記の非点収差打ち消し用光学素子６１と色収差打ち消し用光学素子７０は、それぞれ、変倍レンズ系２０、３０と結像レンズ２２、３２との間の観察光路中、又は、対物レンズ１９と変倍レンズ系２０、３０との間の観察光路中のいずれかに設けることができる。なお、変倍レンズ系２０、３０と結像レンズ２２、３２との間の観察光路は、前述のように平行光路になっており、各種補正光学などの通常の挿入位置とされている。
【００３７】
このような手術用顕微鏡装置の制御系については、特許文献１、２に開示されている。それによれば、両観察光学系１３ａ、１３ｂの補正光学系（非点収差打ち消し用光学素子６１、色収差打ち消し用光学素子７０）は、左右独立に、あるいは左右を統合して制御される。左右の非点収差打ち消し用光学素子６１の各シリンダーレンズ６１Ａ、６１Ｂは、非点収差の補正量及び補正方向に対応する回転角度にそれぞれ設定される。同様に、左右の色収差打ち消し用光学素子７０の各プリズム７０Ａ、７０Ｂは、色収差の補正量及び補正方向に対応する回転角度にそれぞれ設定される。
【００３８】
収差の補正量や補正方向の設定は、手動操作によって行うこともできるし、自動的に行うように構成することも可能である。後者の場合、たとえば特許文献２に記載の構成のように左右の観察光学系１３ａ、１３ｂの観察光路のそれぞれから分岐された光路上にＴＶ撮像系５０Ｌ、５０Ｒを設ける（図４０参照）。この左右のＴＶ撮像系５０Ｌ、５０Ｒは、それぞれ、結像レンズ５１Ｌ、５１Ｒ、反射ミラー５２Ｌ、５２Ｒ及びＴＶカメラ５３Ｌ、５３Ｒを含んで構成される。ＴＶカメラ５３Ｌ、５３Ｒは、受像手段５４Ｌ、５４Ｒ（ＣＣＤ撮像素子）を備えている。左右のＴＶカメラ５３Ｌ、５３Ｒの受像素子５４Ｌ、５４Ｒからの出力信号を基に収差の量及び方向を検出することができる。そして、その検出結果を用いて補正光学系を駆動することにより、収差補正処理の自動化が図られる（詳細は特許文献２参照）。
【００３９】
特許文献２の構成においては、コントロールパネルを操作することで、手動による収差補正操作も行えるようになっている。このコントロールパネルには、コンタクトプリズム６０の頂角θを設定するツマミ及びその装着角度を設定するツマミとともに、収差の補正方向（軸角度）と補正量とのそれぞれを左右別々に手動設定するツマミが、非点収差及び色収差のそれぞれについて設けられている。
【００４０】
また、図４１は、本発明の観察装置の他の形態である光凝固治療装置の従来の構成を表している。なお、手術用顕微鏡装置と同様の構成部分については同じ符号が付してある。この光凝固治療装置は、治療用レーザ光を被手術眼Ｅの眼底Ｅｒに照射することが可能な照射光学系８０を備える。この照射光学系８０から出力される治療用レーザ光は、図示しないコリメートレンズによって平行光束としてリレーされ、プリズム１８により反射されて対物レンズ１９に導かれて眼底Ｅｒに照射される。
【００４１】
眼底周辺部Ｅｒ′に治療用レーザ光を照射する場合、角膜Ｅｃ上にコンタクトプリズム６０があてがわれる。対物レンズ１９と変倍レンズ系２０、３０との間の観察光路中には非点収差打ち消し用光学素子６１が設けられ、また、プリズム１８と対物レンズ１９との間の照明光路中にも非点収差打ち消し用光学素子８１が設けられており、治療用レーザ光がコンタクトプリズム６０を通過するときに発生する非点収差を打ち消すようになっている。非点収差打ち消し用光学素子８１は、非点収差打ち消し用光学素子６１と同様に一対のシリンダーレンズ８１Ａ、８１Ｂから構成される。
【００４２】
シリンダーレンズ８１Ａ、８１Ｂの非点収差補正量は、左右の観察光学系１３ａ、１３ｂ（図４１では左右まとめて符号１３と表記している）のそれぞれを介して検出された画像データに基づくソフトウェア処理によって決定できる。また、非点収差打ち消し用光学素子８１によるパワーの方向及び大きさを任意に補正可能な図示しない補正レンズ（系）が設けられている。なお、色収差についても同様にして補正することが可能である。
【００４３】
【特許文献１】特開２００３−１７２８７６号公報
【特許文献２】特開２００４−３６１８９１号公報
【発明の開示】
【発明が解決しようとする課題】
【００４４】
しかしながら、たとえ補正光学系の動作が自動化されている場合であっても、手術という使用状況を考慮すると、患部を観察している術者（執刀医）自らが収差補正操作を行えるようにする必要があり、そのため手動操作のための手段は不可欠と考えられる。特に、頂角４５°など頂角の大きなコンタクトプリズムを使用する場合には、収差の発生量が大きくなるので、コンタクトプリズムによる非点収差の向きと、それを打ち消すために非点収差打ち消し用光学素子が発生する非点収差の向きとが駆動中に重なると、観察像の品質が大幅に劣化して観察部位の状態を全く判別できなくなることもあり得る。
【００４５】
また、手術中において、コンタクトプリズムを回転させて観察部位を変更することがあるが、そのときに観察部位を決定するのは術者であるため、術者自らが収差を補正するための操作を行うことが望ましい。
【００４６】
特許文献２のコントロールパネルによる手動操作によれば、多数のツマミを個別に操作する必要があり、操作に手間取るおそれがある。特に、術者は、多くの場合において両手を同時に使用して手術を行っているので、そのような煩雑な手動操作を手術中に行うことは困難である。
【００４７】
また、両手を使用している状況においても操作可能にするために、コントロールパネルの多数のツマミに対応する多数のスイッチをフットスイッチ上に配設することも考えられる。しかしながら、そのような多数のスイッチを足で選択的に操作することは、手術という極めて集中を要する状況下においては非常に困難である。
【００４８】
ところで、上記した従来の構成によれば、図２４、図３３に示したＴＶ撮像系５０により眼底Ｅｒの電子的な画像を撮影して観察できるので、その撮影画像の鮮鋭度を用いることにより、最も収差の少ない補正状態を得ることが可能である。
【００４９】
しかし、画像の鮮鋭度から収差の方向及び量を検出するためには、いわゆる山登り法（条件を逐次変更しながら指標となる数値を求めて最大点を探索する近似計算方法である。実用的には、指標となる数値が、過去の最大点から所定の値（又は比）小さくなったときに探索を終了して計算時間を短縮する。）を適用する必要がある。この山登り法を従来の観察装置に適用する場合、非点収差及び色収差のそれぞれの補正方向と補正量とを適宜に変更しながら、その都度、画像の鮮鋭度を求める処理を何度も反復して実施することとなる。
【００５０】
実際には、被手術眼Ｅの乱視等に起因する誤差を別にすれば、非点収差の発生方向と色収差の発生方向との相対角度（相対方向）が一定になるという条件を考慮することで、色収差又は非点収差の方向と非点収差及び色収差のそれぞれの収差量との、３つのパラメータについて網羅的に探索すれば十分である。しかし、その場合であっても、計算には長時間が必要であり、結局、収差補正処理に長い時間が掛かってしまう。
【００５１】
ここで、画像の鮮鋭度は、たとえば、撮影画像の各画素について、所定範囲における隣接する画素との画素値の差の絶対値の総和として算出される。
【００５２】
また、人眼の眼底はほぼ赤一色であり、青色等の光は眼底においてほとんど反射されないため、光の赤、緑、青の波長成分の分離として表れる色収差（図３０参照）の検出は、特に困難である。更に、眼底上には、目立った組織構造は視神経乳頭（白色に近い）と血管程度しかないため、コントラストの低い撮影画像しか得られないことが多く、それにより、非点収差の検出も困難になる。このように収差状態の検出が困難であると、収差を効果的に補正することが困難になってしまう。
【００５３】
また、上記の鮮鋭度を用いた収差検出手法の他に、収差の特性を用いてその補正方向及び補正量を決定する手法が考えられる。これは、たとえば、非点収差については像の変形から、また色収差については像の色ずれから、それぞれ収差の方向と量とを検出しようとするものである。しかしながら、このような手法によっても、赤一色かつ低コントラストの撮影画像から収差を高精度で検出することは困難である。特に、収差の補正方向や補正量の調節を一旦行った後などにおいては、収差量が小さいためにその検出は大変困難になり、結果的に、収差補正を効果的に行うことが困難になる。
【００５４】
本発明は、以上のような事情に鑑みてなされたもので、コンタクトプリズムに起因する収差を補正するための操作を簡便化することが可能な観察装置を提供することを目的とする。
【００５５】
また、本発明は、コンタクトプリズムに起因する収差を効果的に補正することが可能な観察装置を提供することを他の目的としている。
【課題を解決するための手段】
【００５６】
上記目的を達成するために、請求項１に記載の発明は、観察対象物に対峙される対物レンズから左右の接眼レンズに至るまでの間の左右それぞれの観察光路に、光束を結像させる結像レンズを有し、観察部位を変更するプリズム部材を前記観察対象物と前記対物レンズとの間に配置して観察を行う観察装置であって、前記左右それぞれの観察光路に、前記プリズム部材を配置させたときに前記観察対象物の観察像に発生する非点収差を補正するための非点収差補正用光学素子と、前記プリズム部材を配置させたときに前記観察像に発生する色収差を補正するための色収差補正用光学素子とを設け、前記プリズム部材の光学情報を取得するための測定を行う測定手段と、操作手段と、前記操作手段が操作されたことに対応し、前記取得された前記プリズム部材の光学情報に基づいて、前記非点収差の補正方向及び補正量と前記色収差の補正方向及び補正量とを算出する算出手段と、前記算出された前記非点収差の補正方向及び補正量に基づいて前記非点収差補正用光学素子を制御し、前記色収差の補正方向及び補正量に基づいて前記色収差補正用光学素子を制御する制御手段と、を備えていることを特徴とする。
【００５７】
また、請求項２に記載の発明は、請求項１に記載の観察装置であって、前記測定手段は、前記プリズム部材の厚さを前記光学情報として測定するプリズム厚測定手段と、前記プリズム部材のプリズム角を前記光学情報として測定するプリズム角測定手段と、前記プリズム部材により発生される非点収差及び／又は色収差の発生方向と、前記非点収差及び色収差のそれぞれの発生量とを前記光学情報として測定するための収差測定手段と、を含んでいることを特徴とする。
【００５８】
また、請求項３に記載の発明は、請求項２に記載の観察装置であって、前記算出手段は、前記プリズム厚測定手段を用いて測定された前記プリズム部材の厚さと、前記プリズム角測定手段を用いて測定された前記プリズム角と、前記収差測定手段を用いて測定された前記発生方向及び前記発生量と、あらかじめ取得された前記左右の観察光路を形成する観察光学系の光学情報とに基づいて、前記プリズム部材の屈折率を算出するとともに、前記プリズム部材の厚さと、前記プリズム角と、前記発生方向及び前記発生量と、前記観察光学系の光学情報と、前記算出された前記屈折率とに基づいて、前記プリズム部材の分散を算出するプリズム特性値算出手段を含み、前記算出された前記プリズム部材の屈折率及び分散に基づいて、前記非点収差の補正量と前記色収差の補正量とを算出する、ことを特徴とする。
【００５９】
また、請求項４に記載の発明は、請求項３に記載の観察装置であって、前記算出手段は、前記測定された前記プリズム部材の厚さ及び前記プリズム角と、前記観察光学系の光学情報と、前記プリズム特性値算出手段により算出された前記プリズム部材の屈折率及び分散とに基づいて、前記プリズム部材の向きと前記対物レンズの光軸に対する前記プリズム部材の軸の傾斜角度との双方に対応する、前記非点収差及び前記色収差のそれぞれの補正量の情報を含む補正量情報を作成する補正量情報作成手段を更に含み、前記作成された補正量情報に基づいて、前記非点収差の補正量と前記色収差の補正量とを算出する、ことを特徴とする。
【００６０】
また、請求項５に記載の発明は、請求項４に記載の観察装置であって、前記補正量情報作成手段は、それぞれ所定のステップ毎に定義された前記方向と前記傾斜角度とに対応する前記非点収差及び前記色収差のそれぞれの補正量を算出して前記補正量情報を作成し、前記算出手段は、前記作成された補正量情報を参照し、前記定義された前記方向及び／又は前記傾斜角度の前記ステップの間の値に対応する前記非点収差及び前記色収差の補正量を算出する、ことを特徴とする。
【００６１】
また、請求項６に記載の発明は、請求項２ないし請求項５のいずれか一項に記載の観察装置であって、前記非点収差補正用光学素子による非点収差の補正方向及び補正量と、前記色収差補正用光学素子による色収差の補正方向及び補正量とを、それぞれ手動操作にて調整するための手動調整手段を更に備え、前記収差測定手段は、前記対物レンズの下方位置にて前記プリズム部材を支持するプリズム部材支持部と、前記支持された前記プリズム部材の下方位置に配置され、眼底に相当する位置にターゲットを有する模擬眼と、前記模擬眼の下方位置に配置され、前記ターゲットを照明して前記ターゲットを観察可能にする照明光源とを含み、前記支持された前記プリズム部材により前記ターゲットの観察像に発生された非点収差と色収差とを前記手動操作にて調整したときの非点収差及び／又は色収差の補正方向を前記発生方向として入力するための発生方向入力操作手段と、前記手動操作にて調整したときの非点収差及び色収差のそれぞれの補正量を前記発生量として入力するための発生量入力操作手段とを更に備え、前記算出手段は、前記入力された前記発生方向及び前記発生量とに基づいて、前記非点収差の補正量と前記色収差の補正量とを算出する、ことを特徴とする。
【００６２】
また、請求項７に記載の発明は、請求項２ないし請求項５のいずれか一項に記載の観察装置であって、前記収差測定手段は、前記対物レンズの下方位置にて前記プリズム部材を支持するプリズム部材支持部と、前記支持された前記プリズム部材の下方位置に配置され、眼底に相当する位置にターゲットを有する模擬眼と、前記模擬眼の下方位置に配置され、前記ターゲットを照明して前記ターゲットを観察可能にする照明光源と、前記左右の観察光路の少なくとも一方を分岐させる光路分岐手段と、前記分岐された光路を経由した光束を受光して前記ターゲットの画像を撮影する撮像手段と、前記撮影された前記ターゲットの画像を解析して、前記支持された前記プリズム部材によって前記ターゲットの画像に発生された非点収差及び／又は色収差の発生方向と非点収差及び色収差の発生量とを検出する検出手段とを含み、前記算出手段は、前記検出された前記発生方向及び前記発生量に基づいて、前記非点収差の補正量と前記色収差の補正量とを算出する、ことを特徴とする。
【００６３】
また、請求項８に記載の発明は、請求項１に記載の観察装置であって、前記測定手段は、前記プリズム部材により前記観察対象物の観察像に発生される非点収差及び／又は色収差の発生方向と、前記非点収差及び色収差のそれぞれの発生量とを前記光学情報として測定し、前記算出手段は、あらかじめ取得された前記プリズム部材の厚さ及びプリズム角と、あらかじめ取得された前記左右の観察光路を形成する観察光学系の光学情報と、前記測定手段により測定された前記発生方向及び前記発生量とに基づいて、前記プリズム部材の屈折率を算出するとともに、前記プリズム部材の厚さ及びプリズム角と、前記発生方向及び前記発生量と、前記観察光学系の光学情報と、前記算出された前記屈折率とに基づいて、前記プリズム部材の分散を算出するプリズム特性値算出手段を含み、前記算出された前記プリズム部材の屈折率及び分散に基づいて、前記非点収差の補正方向及び補正量と前記色収差の補正方向及び補正量とを算出する、ことを特徴とする。
【００６４】
また、請求項９に記載の発明は、請求項８に記載の観察装置であって、前記測定手段は、前記プリズム部材が前記配置された前記観察対象物にターゲットを形成するターゲット形成手段と、前記左右の観察光路の少なくとも一方を分岐させる光路分岐手段と、前記分岐された光路を経由した光束を受光して前記ターゲットを含む前記観察対象物の画像を撮影する撮像手段と、前記撮影された前記画像を解析して、前記ターゲットの画像を抽出する画像抽出手段と、前記抽出された前記ターゲットの画像を解析して、前記プリズム部材により発生された色収差の発生方向及び発生量を検出する収差検出手段とを含み、前記算出手段は、前記プリズム特性値算出手段により算出された前記プリズム部材の屈折率及び分散とともに、前記収差検出手段により検出された前記発生方向及び前記発生量に基づいて、前記非点収差の補正方向及び補正量と前記色収差の補正方向及び補正量とを算出する、ことを特徴とする。
【００６５】
また、請求項１０に記載の発明は、請求項９に記載の観察装置であって、前記色収差補正用光学素子を制御して、前記観察対象物の画像における色収差の発生量を、前記収差検出手段により検出された前記発生量よりも増大させる収差制御手段と、前記収差検出手段によりそれぞれ検出された、前記収差制御手段により色収差が増大される前の前記ターゲットの画像における色収差の発生量と、前記増大された後の前記観察対象物の画像から前記画像抽出手段により抽出された前記ターゲットの画像における色収差の発生量との差が、所定のしきい値よりも大きいか否かを判断する判断手段と、を更に備え、前記算出手段は、前記差が前記所定のしきい値よりも大きいと前記判断されたときに、前記プリズム特性値算出手段により算出された前記プリズム部材の屈折率及び分散とともに、前記増大された色収差の発生方向及び／又は発生量を粗調整して得られる色収差の発生方向及び発生量の前記収差検出手段による検出結果に基づいて、前記非点収差の補正方向及び補正量と前記色収差の補正方向及び補正量とを算出する、ことを特徴とする。
【００６６】
また、請求項１１に記載の発明は、請求項１０に記載の観察装置であって、前記収差制御手段は、前記判断手段により前記差が前記所定のしきい値以下であると判断されたときに、前記色収差補正用光学素子を制御して、前記観察対象物の画像における色収差の発生量を、前記増大される前の発生量に変更することを特徴とする。
【００６７】
また、請求項１２に記載の発明は、請求項９ないし請求項１１のいずれか一項に記載の観察装置であって、前記収差検出手段は、前記画像抽出手段により抽出された前記ターゲットの画像をＲ成分、Ｇ成分及びＢ成分の画像に分解し、前記Ｒ成分、Ｇ成分及びＢ成分の画像のそれぞれの重心を算出し、この算出された前記Ｒ成分、Ｇ成分及びＢ成分の画像の重心の変位方向と変位量とに基づいて、前記プリズム部材により発生された色収差の発生方向及び発生量を求めることを特徴とする。
【００６８】
また、請求項１３に記載の発明は、請求項１ないし請求項１２のいずれか一項に記載の観察装置であって、前記操作手段は、前記観察対象物の観察像に発生する非点収差の補正方向と色収差の補正方向とを変更するための補正方向操作手段を含み、前記制御手段は、前記補正方向操作手段が操作されたことに対応して、前記非点収差補正用光学素子による非点収差の補正方向と前記色収差補正用光学素子による色収差の補正方向とを一括制御する、ことを特徴とする。
【００６９】
また、請求項１４に記載の発明は、請求項１３に記載の観察装置であって、前記プリズム部材の向きに応じた非点収差の発生方向と色収差の発生方向とを対応付ける収差発生方向対応情報をあらかじめ記憶した発生方向記憶手段を更に備え、前記算出手段は、前記補正方向操作手段により変更される前記補正方向と、前記記憶された前記収差発生方向対応情報とに基づいて、前記非点収差の補正方向と前記色収差の補正方向とを算出する、ことを特徴とする。
【００７０】
また、請求項１５に記載の発明は、請求項１３又は請求項１４に記載の観察装置であって、前記非点収差補正用光学素子は、それぞれ独立に回転駆動される２枚のシリンダーレンズを含んで構成されるバリアブルクロスシリンダーレンズであり、前記制御手段は、前記２枚のシリンダーレンズのそれぞれを同方向に同角度だけ回転させて非点収差の補正方向を変更させる、ことを特徴とする。
【００７１】
また、請求項１６に記載の発明は、請求項１３ないし請求項１５のいずれか一項に記載の観察装置であって、前記色収差補正用光学素子は、それぞれ独立に回転駆動される２枚のプリズムを含んで構成され、前記制御手段は、前記２枚のプリズムのそれぞれを同方向に同角度だけ回転させて色収差の補正方向を変更させる、ことを特徴とする。
【００７２】
また、請求項１７に記載の発明は、請求項１ないし請求項１２のいずれか一項に記載の観察装置であって、前記操作手段は、前記観察対象物の観察像に発生する非点収差の補正量と色収差の補正量とを変更するための補正量操作手段を含み、前記制御手段は、前記補正量操作手段が操作されたことに対応して、前記非点収差補正用光学素子による非点収差の補正量と前記色収差補正用光学素子による色収差の補正量とを一括制御する、ことを特徴とする。
【００７３】
また、請求項１８に記載の発明は、請求項１７に記載の観察装置であって、前記非点収差補正用光学素子は、それぞれ独立に回転駆動される２枚のシリンダーレンズを含んで構成されるバリアブルクロスシリンダーレンズであり、前記制御手段は、前記２枚のシリンダーレンズを互いに逆方向に同角度だけ回転させて非点収差の補正量を変更させる、ことを特徴とする。
【００７４】
また、請求項１９に記載の発明は、請求項１７又は請求項１８に記載の観察装置であって、前記色収差補正用光学素子は、それぞれ独立に回転駆動される２枚のプリズムを含んで構成され、前記制御手段は、前記２枚のプリズムを互いに逆方向に同角度だけ回転させて色収差の補正量を変更させる、ことを特徴とする。
【００７５】
また、請求項２０に記載の発明は、請求項１ないし請求項１９のいずれか一項に記載の観察装置であって、装置の動作を足で操作するためのフットスイッチを備え、前記操作手段は前記フットスイッチに設けられている、ことを特徴とする。
【００７６】
また、請求項２１に記載の発明は、請求項１ないし請求項２０のいずれか一項に記載の観察装置であって、前記左右それぞれの観察光路に観察倍率を変化させる変倍レンズ系を有し、前記結像レンズは、前記変倍レンズ系を経由した光束を結像させ、前記非点収差補正用光学素子は、前記対物レンズから前記結像レンズに至るまでの間の観察光路上に配置されている、ことを特徴とする。
【００７７】
また、請求項２２に記載の発明は、請求項１ないし請求項２１のいずれか一項に記載の観察装置であって、前記左右それぞれの観察光路に観察倍率を変化させる変倍レンズ系を有し、前記結像レンズは、前記変倍レンズ系を経由した光束を結像させ、前記色収差補正用光学素子は、前記対物レンズから前記結像レンズに至るまでの間の観察光路上に配置されている、ことを特徴とする。
【００７８】
また、請求項２３に記載の発明は、請求項１ないし請求項２２のいずれか一項に記載の観察装置であって、第１の操作手段と、前記第１の操作手段が操作されたことに対応し、前記非点収差補正用光学素子を制御して前記観察像に発生する非点収差の補正量をゼロにし、前記色収差補正用光学素子を制御して前記観察像に発生する色収差の補正量をゼロにする補正リセット手段と、を更に備えていることを特徴とする。
【００７９】
また、請求項２４に記載の発明は、請求項１ないし請求項２２のいずれか一項に記載の観察装置であって、第２の操作手段及び第３の操作手段を更に備え、前記制御手段は、前記第２の操作手段が操作されたことに対応し、前記非点収差補正用光学素子による非点収差の現在の補正方向及び補正量の情報と、前記色収差補正用光学素子による色収差の現在の補正方向及び補正量の情報とを所定の記憶手段に記憶させるとともに、前記第３の操作手段が操作されたことに対応し、前記所定の記憶手段に記憶された前記補正方向及び補正量の情報を読み出し、前記非点収差補正用光学素子を制御して非点収差の補正方向及び補正量を前記読み出された前記補正方向及び補正量に変更し、前記色収差補正用光学素子を制御して色収差の補正方向及び補正量を前記読み出された前記補正方向及び補正量に変更することを特徴とする。
【００８０】
また、請求項２５に記載の発明は、請求項１ないし請求項２２のいずれか一項に記載の観察装置であって、第４の操作手段を更に備え、前記制御手段は、前記非点収差補正用光学素子による非点収差の補正方向及び補正量と、前記色収差補正用光学素子による色収差の補正方向及び補正量とのうちの少なくともいずれかが変更される度毎に、その変更された後の前記補正方向及び補正量の情報を所定の記憶手段に記憶させるとともに、前記第４の操作手段が操作されたことに対応し、前記所定の記憶手段に記憶された最後の前記変更の直前における前記補正方向及び補正量の情報を読み出し、前記非点収差補正用光学素子を制御して非点収差の補正方向及び補正量を前記読み出された前記補正方向及び補正量に変更し、前記色収差補正用光学素子を制御して色収差の補正方向及び補正量を前記読み出された前記補正方向及び補正量に変更することを特徴とする。
【００８１】
また、請求項２６に記載の発明は、請求項１ないし請求項２２のいずれか一項に記載の観察装置であって、前記プリズム部材の光学特性に基づいて得られた非点収差の標準的な補正方向及び補正量と色収差の標準的な補正方向及び補正量とをあらかじめ記憶する記憶手段と、第５の操作手段と、を更に備え、前記制御手段は、前記第５の操作手段が操作されたことに対応し、前記記憶手段に記憶された前記標準的な補正方向及び補正量を読み出し、前記非点収差補正用光学素子を制御して非点収差の補正方向及び補正量を前記標準的な補正方向及び補正量に変更し、前記色収差補正用光学素子を制御して色収差の補正方向及び補正量を前記標準的な補正方向及び補正量に変更することを特徴とする。
【発明の効果】
【００８２】
本発明に係る観察装置は、請求項１に記載のように、観察対象物の観察部位を変更するプリズム部材を配置させたときに観察像に発生する非点収差を補正するための非点収差補正用光学素子と、色収差を補正するための色収差補正用光学素子とを左右それぞれの観察光路に備えており、プリズム部材の光学情報を測定するための測定を行う測定手段を備えている。そして、操作手段が操作されたことに対応して、算出手段が、プリズム部材の光学情報の測定結果に基づいて、非点収差の補正方向及び補正量と、色収差の補正方向及び補正量とをそれぞれ算出するとともに、制御手段が、算出された非点収差の補正方向及び補正量に基づいて非点収差補正用光学素子を制御し、色収差の補正方向及び補正量に基づいて色収差補正用光学素子を制御するように構成されている。
【００８３】
このような本発明の観察装置によれば、操作手段を操作するだけで、プリズム部材に起因する非点収差の補正と色収差の補正との双方を一括して行うことができるので、プリズム部材によって観察像に発生される非点収差及び色収差を補正するための操作の簡便化を図ることが可能である。
【００８４】
請求項２〜７に記載の観察装置によれば、プリズム部材の厚さを測定するプリズム厚測定手段、プリズム部材のプリズム角を測定するプリズム角測定手段、及び、プリズム部材により発生される非点収差及び／又は色収差の発生方向と、非点収差及び色収差のそれぞれの発生量とを測定するための収差測定手段を含む測定手段を用いて、実際に観察を行う前にプリズム部材の光学情報を高精度で測定することができる。特に、請求項６、７に記載の収差測定手段を用いることにより、プリズム部材に起因する収差の発生方向や発生量を高精度で測定できる。それにより、プリズム部材に起因する収差補正の精度向上を図ることが可能となる。
【００８５】
請求項８〜１２に記載の観察装置においては、測定手段は、プリズム部材により観察対象物の観察像に発生される非点収差及び／又は色収差の発生方向と、非点収差及び色収差のそれぞれの発生量とを測定し、算出手段は、あらかじめ取得されたプリズム部材の厚さ、プリズム角、観察光学系の光学情報と、測定された収差の発生方向及び発生量とに基づいて、プリズム部材の屈折率及び分散を算出するプリズム特性値算出手段を備えている。そして、算出手段は、算出されたプリズム部材の屈折率及び分散に基づいて、非点収差及び色収差のそれぞれの補正方向及び補正量を算出するように作用する。
【００８６】
このような請求項８〜１２に記載の観察装置によれば、観察対象物を観察している最中であっても、プリズム部材の屈折率及び分散を取得できるので、それらを取得するための測定を事前に行う必要がないという利点がある。
【００８７】
また、請求項１０に記載の観察装置によれば、観察対象物の画像における色収差の発生量を増大させる収差制御手段を備えているので、色収差の発生量が小さい場合であっても、色収差の発生方向及び発生量を高精度で検出でき、したがって、収差補正を効果的に行うことが可能となる。
【００８８】
また、請求項１２に記載の観察装置によれば、抽出されたターゲットの画像をＲ成分、Ｇ成分及びＢ成分の画像に分解してそれぞれの画像の重心を算出するとともに、これら３つの画像の重心の変位方向と変位量とに基づいて色収差の発生方向及び発生量を求めるように構成されているので、色収差を高精度で検出することができ、それにより、収差補正を効果的に行うことが可能となる。
【発明を実施するための最良の形態】
【００８９】
本発明に係る観察装置の好適な実施形態の一例について、図面を参照しながら詳細に説明する。本発明に係る観察装置は、上記〔背景技術〕にて説明したように、手術用顕微鏡装置、スリットランプ、光凝固治療装置などの眼科観察装置として特に好適に使用される。
【００９０】
以下、第１の実施形態では、主として手術用顕微鏡装置において、コンタクトプリズムの光学情報を測定するための手段を後付け可能なアタッチメントとして形成し、それによる事前の測定結果に基づいて観察像に発生する収差を補正する構成について説明する。また、第２の実施形態では、観察対象物（被手術眼）の観察中にコンタクトプリズムの光学情報を測定し、その測定結果に基づいて観察像の収差を補正する構成について説明する。
【００９１】
〈第１の実施形態〉
本実施形態に係る手術用顕微鏡装置は、従来と同様の外観及び光学系の構成を備えている。そこで、従来の手術用顕微鏡の説明を適宜参照しつつ本実施形態を説明する。まず、本実施形態の手術用顕微鏡装置の外観構成及び光学系の構成について簡単に説明する。
【００９２】
本実施形態の手術用顕微鏡装置を用いて被手術眼Ｅ（観察対象物）の眼底Ｅｒの周辺部を観察する場合、図２６に示すような頂角θの（手術用）コンタクトプリズム６０が角膜Ｅｃにあてがわれる。このコンタクトプリズム６０は、本発明の「プリズム部材」の一例に相当するものである。
【００９３】
［装置の外観構成及び光学系の構成］
本実施形態に係る手術用顕微鏡装置は、図２２に示すような外観構成を有しており、支持ポスト１、支持アーム２、手術用顕微鏡本体取り付け用のブラケット３、手術用顕微鏡１０及び補助者用接眼レンズ部１２′を備える。支持アーム２は、Ｌ字状アーム４と揺動アーム５とから構成されている。揺動アーム５の先端部にはアーム６が支持されており、このアーム６の下端部にはブラケット３が取り付けられている。更に、ブラケット３には、この手術用顕微鏡装置の本体部を構成する手術用顕微鏡１０が取り付けられている。
【００９４】
また、この手術用顕微鏡装置には、装置を足で操作するためのフットスイッチ７が設けられている。本実施形態では、このフットスイッチ７を用いて収差補正操作を行う（詳細は後述する。）。
【００９５】
手術用顕微鏡１０の鏡筒１１には双眼の接眼レンズ鏡筒１１′が設けられ、術者は接眼レンズ鏡筒１１′をのぞき込んで被手術眼Ｅの拡大像を観察して手術を行う。鏡筒１１には、観察像のズーム倍率を変更するための操作部（後述のズーム操作部）や、収差補正を行う光学部材（非点収差打ち消し用光学素子６１、色収差打ち消し用光学素子７０）を観察光路上に挿脱させるための操作部などが設けられている。また、術者を補助する補助者は、補助者用接眼レンズ部１２′をのぞき込んで被手術眼Ｅの拡大像を観察する。
【００９６】
手術用顕微鏡１０の鏡筒１１内には、図１、図２に示すように、被手術眼Ｅに照明光を照射する照明光学系１２と、照明光の眼底Ｅｒでの反射光（観察光）を接眼レンズ鏡筒１１′まで導く観察光学系１３とが収納されている。
【００９７】
照明光学系１２の照明用光源１４から発せられた照明光は、集光レンズ１５、照明野絞り１６、コリメータレンズ１７を経由し、プリズム１８の反射面１８ｂにて反射され、対物レンズ１９を介して被手術眼Ｅに導かれて被手術眼Ｅの眼底Ｅｒ等を照明する。
【００９８】
観察光学系１３は、左の接眼レンズ鏡筒１１′に観察光を導く左観察光学系１３ａと、右の接眼レンズ鏡筒１１′に観察光を導く右観察光学系１３ｂとを有する。左観察光学系１３ａ（右観察光学系１３ｂ）は、対物レンズ１９と、レンズ２０ａ（３０ａ）、２０ｂ（３０ｂ）、２０ｃ（３０ｃ）からなる変倍レンズ系２０（３０）と、色収差打ち消し用光学素子７０と、非点収差打ち消し用光学素子６１と、ビームスプリッタ２１（３１）と、結像レンズ２２（３２）と、像正立プリズム２３（３３）と、眼幅調整プリズム２４（３４）と、視野絞り２５（３５）と、接眼レンズ２６（３６）とをこの順に備えている。なお、符号２ａ１（２ｂ１）は入射瞳であり、符号２６ａ（３６ｂ）はアイポイントである。
【００９９】
両観察光学系１３ａ、１３ｂは、対物レンズ１９から変倍レンズ系２０、３０に至るまでの間が観察光を平行光束として変倍レンズ系２０、３０にリレーする観察光路となっており、変倍レンズ系２０、３０から結像レンズ２２、３２に至るまでの間が変倍レンズ系２０、３０を通じて得られた観察光を平行光束として結像レンズ２２、３２にリレーする観察光路となっている。
【０１００】
非点収差打ち消し用光学素子６１は、本発明の「非点収差補正用光学素子」の一例に相当し、たとえば、図３４、図３５に示すように、一対のシリンダーレンズ６１Ａ、６１Ｂを含むバリアブルクロスシリンダーレンズにより構成される。なお、非点収差打ち消し用光学素子６１は、変倍レンズ系２０、３０から結像レンズ２２、３２に至るまでの間の観察光路中に配設されているが、対物レンズ１９から変倍レンズ系２０、３０に至るまでの間の観察光路中に配設してもよい。
【０１０１】
シリンダーレンズ６１Ａ、６１Ｂは、観察光軸Ｏ１，Ｏ２の回りに一体的に回転（互いの母線軸６１Ｃ、６１Ｄのなす角度を変えずに回転）可能であり、また、相対的に回転（互いの母線軸６１Ｃ、６１Ｄのなす角度のみを変化させ、収差発生方向は変化させないように回転）可能とされている。
【０１０２】
色収差打ち消し用光学素子７０は、本発明の「色収差補正用光学素子」の一例に相当し、たとえば、図３８、図３９に示すように、一対のプリズム７０Ａ、７０Ｂを含んで構成される。プリズム７０Ａは、薄い２枚のプリズム７１ａ、７１ｂが貼り合わされて構成され、プリズム７０Ｂは、薄いプリズム７１ｃ、７１ｄが貼り合わされて構成される。なお、色収差打ち消し用光学素子７０は、対物レンズ１９から変倍レンズ系２０、３０に至るまでの間の観察光路中に配設されているが、変倍レンズ系２０、３０から結像レンズ（系）２２、３２に至るまでの間の観察光路中に配設するようにしてもよい。
【０１０３】
コンタクトプリズム６０によってＲ、Ｇ、Ｂ等の波長成分に分離された観察光が色収差打ち消し用光学素子７０を通過したときに平行光束になるように色収差打ち消し用光学素子７０を回転調整することで、色収差を除去することができる。
【０１０４】
眼底Ｅｒにて反射された照明光（観察光）は、対物レンズ１９を経由し、両観察光学系１３ａ、１３ｂの各光学素子を経由して接眼レンズ２６、３６までそれぞれ案内される。また、観察光の一部は、ビームスプリッタ２１、３１により反射され、補助観察光学系４０、ＴＶ撮像系５０にそれぞれ導かれる。補助観察光学系４０は、結像レンズ４１、反射ミラー４２及び接眼レンズ４３を含んで構成される。また、ＴＶ撮像系５０は、結像レンズ５１、反射ミラー５２及びＴＶカメラ５３を含んで構成される。ＴＶカメラ５３は、受像手段５３ａとしてのＣＣＤ撮像素子を備えている。なお、右観察光学系１３ｂのビームスプリッタ３１は本発明の「光路分岐手段」の一例に相当し、ＴＶ撮像系５０は「撮像手段」の一例に相当する。
【０１０５】
なお、図２に示す光学系に代えて、図３に示すような光学系を適用することも可能である。この図３の光学系は、左観察光学系１３ａの観察光路からビームスプリッタ２１により分岐された光路上にＴＶ撮像系５０Ｌが設けられ、右観察光学系１３ｂの観察光路からビームスプリッタ３１により分岐された光路上にＴＶ撮像系５０Ｒが設けられている。ＴＶ撮像系５０Ｌ、５０Ｒは、結像レンズ５１Ｌ、５１Ｒ、反射ミラー５２Ｌ、５２Ｒ及びＴＶカメラ５３Ｌ、５３Ｒをそれぞれ含んで構成される。ＴＶカメラ５３Ｌ、５３Ｒは、受像手段５４Ｌ、５４Ｒ（ＣＣＤ撮像素子）によって観察光を受光して信号を出力する。
【０１０６】
左右の受像素子５４Ｌ、５４Ｒからの出力信号はそれぞれ画像処理されて、収差の発生量と発生方向が検出される。非点収差打ち消し用光学素子６１及び色収差打ち消し用光学素子７０は、検出された収差の発生量と発生方向に基づいて制御され、コンタクトプリズム６０が左右の観察光にそれぞれ与えた非点収差及び色収差を自動補正する。なお、このような光学系を備えた手術用顕微鏡装置による収差の自動補正の制御態様については、本出願人による前述の特許文献２に詳細に説明されている。
【０１０７】
［用語の定義］
ここで、以下の説明において使用される用語「コンタクトプリズムの軸」、「コンタクトプリズムの角度」、「コンタクトプリズムの方向（向き）」、「鏡筒の軸」、「左眼の軸、右眼の軸」、「軸の一致、軸の傾き」の意味を定義しておく。
【０１０８】
（１）「コンタクトプリズムの軸」：コンタクトプリズム６０は、図４に示すように、プリズム部６０Ａと手術用コンタクトレンズ部６０Ｃとを一体にした形状であり、一個の部品として形成されている。手術用コンタクトレンズ部６０Ｃは、その下面６０Ｄを角膜Ｅｃに接触させるようにして角膜Ｅｃにあてがわれる。この下面６０は、角膜Ｅｃの形状に合わせるように凹面状に形成されている。プリズム部６０Ａは、手術用コンタクトレンズ部６０Ｃの平面状の上面に形成される。図４（Ａ）に示すように、手術用コンタクトレンズ部６０Ｃの光軸を延長し、これをコンタクトプリズム６０の軸６０ａとして定義する。
【０１０９】
（２）「コンタクトプリズムの角度」：コンタクトプリズム６０の軸６０ａに直交する面（図４（Ｂ）中における横方向の点線）とプリズム部６０Ａの上面６０Ｂとの成す角度を、コンタクトプリズム６０の角度αとして定義する。ここで、コンタクトプリズム６０の頂角θを用いると、角度α＝９０°−θと表される。この定義によれば、角度α＝４５°のコンタクトプリズムに比べ、角度α＝１５°のコンタクトプリズムは薄い形状となる。
【０１１０】
（３）「コンタクトプリズムの方向（向き）」：図４（Ａ）に示すように、プリズム部６０Ａの上面６０Ｂ上に立てた法線ｎをコンタクトプリズム６０の軸６０ａに直交する平面上に投影して得られる向きを、コンタクトプリズム６０の方向（向き）Ｄとして定義する。この方向Ｄは、簡単に言うと、コンタクトプリズム６０の斜面（上面６０Ｂ）が向いている方向を意味する。図４（Ｂ）に示すように、軸６０ａに平行に入射した光線Ｌは、この方向Ｄの逆方向に曲げられてコンタクトプリズム６０から出射する。
【０１１１】
（４）「鏡筒の軸」：手術用顕微鏡１０の鏡筒１１は、図５に示すように円筒状に形成されている。この円筒状の鏡筒１１の中心軸を鏡筒１１の軸１１ａとして定義する。なお、鏡筒１１の軸１１ａは、対物レンズ１９の光軸Ｏと一致している。
【０１１２】
（５）「左眼の軸、右眼の軸」：手術用顕微鏡１０は、前述のように双眼観察が可能とされ、左右の観察光学系１３ａ、１３ｂを有している。観察光学系１３ａ、１３ｂの観察光軸Ｏ１、Ｏ２は鏡筒１１の軸１１ａと平行であるが、対物レンズ１９と被観察物（眼底Ｅｒ、眼底周辺部Ｅｒ′等）との間では、図５に示すように、術者の左右眼に達する光軸は輻輳し、鏡筒１１の軸１１ａと平行にはならない。この対物レンズ１９と被観察物（眼底Ｅｒ、眼底周辺部Ｅｒ′等）との間における左右の光軸を、それぞれ左眼の軸ＯＬ、右眼の軸ＯＲとして定義する。
【０１１３】
（６）「軸の一致、軸の傾き」：手術用顕微鏡１０は、通常、対物レンズ１９を含む鏡筒１１を垂直配置として（つまり、対物レンズ１９の光軸Ｏと観察光軸Ｏ１、Ｏ２を垂直配置するようにして）設置される。このとき、鏡筒１１の軸１１ａも垂直配置される。角膜Ｅｃにあてがわれたコンタクトプリズム６０の軸６０ａと、垂直配置の鏡筒１１の軸１１ａ（対物レンズ１９の光軸Ｏ）とが互いに平行になっている場合、その状態を「軸の一致」と定義する。また、コンタクトプリズム６０の軸６０ａと鏡筒１１の軸１１ａとが平行でない場合（たとえば傾いている場合、交差している場合、ねじれの関係にある場合など）に、その状態を「軸の傾き」と定義する。
【０１１４】
［検討］
本発明は、コンタクトプリズム６０によって生じる非点収差と色収差の補正操作を一括して行うものである。ここで、非点収差と色収差の補正を一括して行うにあたって考慮すべき問題点及びその解消に必要な事項について検討する。
【０１１５】
〔問題点の検討〕
（収差の発生方向について）
コンタクトプリズム６０を角膜Ｅｃ上にあてがったときの非点収差の発生方向及び色収差の発生方向は、コンタクトプリズム６０の向きＤによって決定され、それらの相対角度は常に一定であるので、非点収差と色収差の補正方向の一括制御については問題はない。なお、被手術眼Ｅの眼球光学系により発生する収差によって非点収差や色収差の発生方向に誤差が生じることがある。特に、乱視による非点収差などが問題となるが、乱視のほとんどは角膜で発生し、手術用コンタクトレンズ部６０Ｃの作用によってキャンセルされるので、実用上は問題にならない。
【０１１６】
（収差の発生量について）
収差の発生量については、図６に示すように、コンタクトプリズム６０の姿勢の傾きの状態（すなわち、軸の一致の状態、軸の傾きの状態における軸６０ａの傾斜角度γ）に応じて変化し、この変化は単純な比例関係ではない。
【０１１７】
図６から分かるように、色収差は、全体的に発生量が大きい一方で、コンタクトプリズム６０の傾き状態（傾斜角度γ）の変化に対する発生量の変化量は小さい。また、非点収差は、コンタクトプリズム６０の傾き状態（傾斜角度γ）の変化に応じて発生量が大きく変化する。
【０１１８】
また、非点収差と色収差は、コンタクトプリズム６０の厚さ（角度α）の増減に対応してその発生量が増減する。
【０１１９】
また、収差発生量は、コンタクトプリズム６０のどの部分を光が通過するかにも左右される。たとえば、図７に示す場合においては、左眼の軸ＯＬに沿って導かれる光と、右眼の軸ＯＲに沿って導かれる光とでは、前者の光がコンタクトプリズム６０内を通過する光路よりも後者の光が通過する光路の方が長いので、後者の光に発生する収差量の方が大きくなる。
【０１２０】
特に、コンタクトプリズム６０の姿勢が傾いている（軸の傾き；傾斜角度γ≠０°）場合、非点収差の量の補正と色収差の量の補正とを一括して操作するには、非点収差及び色収差のいずれか一方から他方を算出する必要がある。たとえば、非点収差の補正量を調整したら、色収差の補正量も最適値になるように調整される必要がある。さもなくば、２つの補正量を別々に調整することとなり補正操作が煩雑になってしまう。
【０１２１】
このような「軸の傾き」の状態は、特殊なケースではなく、装置の光学的構成上、そして手術の過程において頻繁に発生する。以下に、「軸の傾き」状態が発生する代表的な要因を例示する。
【０１２２】
「軸の傾き」状態の第１の発生要因としては、双眼観察における輻輳がある。たとえば、図７に示すようにコンタクトプリズム６０が左を向いている場合（方向Ｄ＝左方向の場合）、左眼の軸ＯＬと右眼の軸ＯＲとは輻輳しており、コンタクトプリズム６０の上面６０Ｂに対する観察光路の角度が異なっており、また左右の観察光が通過する場所も異なるためにコンタクトプリズム６０を通過するときの経路長に差が生じる。したがって、左右の観察光における収差の発生状況が異なる場合がある。
【０１２３】
第２の発生要因としては、コンタクトプリズム６０の方向Ｄの変更（つまりコンタクトプリズム６０の回転）がある。たとえ「軸の一致」状態が成立している場合であっても、左右眼の軸ＯＬ、ＯＲは、輻輳により、コンタクトプリズム６０の軸６０ａに対して傾いている。したがって、コンタクトプリズム６０を回転させると、上面６０Ｂに対する各軸ＯＬ、ＯＲの角度が変わり、その都度補正量を変更しなければならないことがわかる。
【０１２４】
第３の発生要因は、手術形態に関連する。通常、被手術眼Ｅは、手術器具により「緩く」固定された状態で手術に供される。そのため、手術中に被手術眼Ｅが動いてしまい、それとともにコンタクトプリズム６０も動いてしまうことがある。このように、手術中において「軸の一致」は非常にまれな状態であり、「軸の傾き」状態が通常であると言える。また、コンタクトプリズム６０の傾き具合（軸６０ａの傾斜角度γ）は、被手術眼Ｅの変位に応じて常に変動することから、コンタクトプリズム６０を回転させなくても補正量の調整を適宜行う必要があることがわかる。
【０１２５】
〔必要事項の検討〕
以上の問題点の検討を踏まえ、収差補正操作の簡便化を達成するための必要事項について検討する。
【０１２６】
コンタクトプリズム６０の様々な設置状況において適切な収差補正量を取得するために、本実施形態では、観察光学系１３ａ、１３ｂの光学情報とコンタクトプリズム６０の光学情報とに基づいて非点収差と色収差の相互関係（特に補正量の相互関係）を求め、それを利用して双方の収差補正を一括して行う。
【０１２７】
（観察光学系の光学情報について）
観察光学系１３ａ、１３ｂの光学情報としては、観察光学系１３ａ、１３ｂの光学設計数値（特に物側焦点から補正光学系まで）や、変倍レンズ系２０、３０によるズーム倍率などがある。なお、非点収差はズーム倍率の二乗に比例して変化し、色収差はズーム倍率に比例して変化することが光学原理として知られている。したがって、他の条件が同一であれば、ズーム倍率の変化に対応する収差の変化は容易に求められる。
【０１２８】
なお、本実施形態においては、物側焦点から補正光学系までの光学データのうち、対物レンズ１９の焦点距離、観察光学系１３ａ、１３ｂの輻輳角、同じく対物レンズ１９上の瞳の位置とサイズ、対物レンズ１９から補正光学系までの距離などが特に重要である。
【０１２９】
（コンタクトプリズムの光学情報について）
コンタクトプリズム６０の光学情報としては、その挿入位置、サイズ・形状、姿勢、光学特性値（屈折率と分散）が必要とされる。
【０１３０】
コンタクトプリズム６０の挿入位置は、被手術眼Ｅの角膜Ｅｃ上である。人眼の眼球は、その大きさがおおよそ決まっているので、個人差による多少の誤差はあるものの、既知とすることができる。
【０１３１】
コンタクトプリズム６０のサイズは、たとえば、そのコンタクトプリズム６０の直径や中心部の厚さ（中心厚）により定義される。また、その形状は、コンタクトプリズム６０の角度α（図４（Ｂ）参照）により定義される。コンタクトプリズム６０の直径は、角膜程度とされている。また、コンタクトプリズム６０は角度αと直径に基づいてなるべく薄く作られていることを考慮すると、中心厚のおおよその値を求めることができる。なお、コンタクトプリズム６０の角度αは、たとえば、手術部位が眼底Ｅｒの中心（黄斑部）からどの程度離れた位置にあるかなどの条件に基づいて選択される。なお、上述のコンタクトプリズム６０のサイズや形状としては、手術用顕微鏡装置やコンタクトプリズム６０のカタログやマニュアル等に記載された公称値を用いることもできる。
【０１３２】
コンタクトプリズム６０の姿勢については、被手術眼Ｅが手術器具によりある程度固定されていること、また、姿勢があまりに傾くと観察視野がずれたり狭くなったりすることから術者等により修正されることなどを考慮すると、姿勢のずれは一般にある程度の範囲内に収まっていると仮定できる（詳細は後述する）。
【０１３３】
コンタクトプリズム６０の光学特性値（屈折率、分散）については、一般に不明である。屈折率と分散は、コンタクトプリズム６０の形成材料の特性であるが、その材料は、ディスポーザブル用のアクリルやシリコンゴム、各種光学硝子、傷に強いサファイアなど、多様であり、特別な場合を除いてユーザは知ることができない。
【０１３４】
以上のように、コンタクトプリズム６０の光学情報取得に関する問題は、第１に屈折率と分散の値が不明である点、第２に手術中における正確な姿勢が不明である点である。
【０１３５】
第１の問題点（屈折率と分散）について検討する。コンタクトプリズム６０の屈折率と分散は、それによる収差の発生量から算出可能である。すなわち、収差を十分に補正した状態においては、収差の補正量と収差発生量とがほぼ等しくなることから、上記の他の必要事項が得られていると仮定すると、屈折率と分散の値を取得することができる。なお、屈折率と分散を取得するための器具及びその取得方法については後述する。
【０１３６】
一方、第２の問題点（手術中のコンタクトプリズム６０の姿勢）については、たとえば次のように対処できる。屈折率と分散の値は手術前に分かっているので、手術中におけるコンタクトプリズム６０の方向Ｄと収差発生量とが分かれば、非点収差及び色収差の内の一方の収差量からコンタクトプリズム６０の姿勢を求めることができる。そして、その情報から他方の収差量を算出することができる。なお、コンタクトプリズム６０の方向Ｄは、たとえば、色収差の発生方向（波長成分の分離方向）が方向Ｄに等しいことを利用して検知できる。なお、この第２の問題点に対する処理の具体的内容については後述することとする。
【０１３７】
上述のコンタクトプリズム６０の光学情報を取得すれば、観察光学系１３ａ、１３ｂの光学情報と合わせることにより、非点収差と色収差の発生方向及び発生量を算出することができる。
【０１３８】
なお、補正光学系（非点収差打ち消し用光学素子６１、色収差打ち消し用光学素子７０）は、本実施例においては、付加的アタッチメントとして構成されているために、変倍レンズ系２０、３０よりも接眼レンズ２６、３６側に配置されている。この補正光学系が発生すべき収差量（補正量）は、コンタクトプリズム６０による収差量をズーム倍率により拡大／縮小したものに相当する。なお、補正光学系を付加的アタッチメントとして構成する必要がない場合などには、この補正光学系を変倍レンズ系２０、３０よりも対物レンズ１９側に配置することができる。その場合には、収差量を求める際に、変倍レンズ系２０、３０によるズームの影響を考慮しなくても良くなる。
【０１３９】
（コンタクトプリズムを測定する器具について）
図８に示す測定器具９０は、コンタクトプリズム６０の中心厚及び光学特性値（屈折率と分散）の測定に適用可能なものである。また、図９に示す（角度測定）テンプレート（角度測定ゲージ）１００は、コンタクトプリズム６０の角度αの測定に適用可能なものである。
【０１４０】
なお、測定器具９０及びテンプレート１００は、本発明の「測定手段」の一例に相当する。特に、測定器具９０は「プリズム厚測定手段」及び「収差測定手段」の一例に相当し、テンプレート１００は「プリズム各測定手段」の一例に相当する。
【０１４１】
図８に示す測定器具９０は、手術用顕微鏡１０の鏡筒１１の下端部にホルダ部９１により装着される。ホルダ部９１の側部には昇降機構部９２が固着されている。この昇降機構部９２には、下方に延びる棒状の懸垂アーム９４が接続されている。フォーカスノブ９３を操作すると、昇降機構部９２が懸垂アーム９４を伸縮（又は上下移動）させることができる。
【０１４２】
懸垂アーム９４には、昇降アーム９５の摺動部９５ａが上下方向（鏡筒１１の軸１１ａに沿う方向）及び水平方向（軸１１ａに直交する方向）に摺動可能に取り付けられている。摺動部９５ａには、水平方向に延びる水平アーム９５ｂが固着されている。
【０１４３】
懸垂アーム９４と昇降アーム９５の摺動部９５ａにはバーニヤ付きの目盛が付されており、昇降アーム９５を上下に移動させるときの移動量を測定できるようになっている。なお、この目盛は、たとえば、後述の模擬角膜９７の頂点位置を原点０とし、上方に向かって距離を刻んだものになっている。
【０１４４】
懸垂アーム９４の下端には、テーブル９６が取り付けられている。テーブル９６には、軸１１ａを中心とする開口（図示せず）が形成されており、この開口には模擬角膜９７が配設されている。
【０１４５】
また、このテーブル９６の開口の周囲には、模擬角膜９７上に載置されるコンタクトプリズム６０のずれを防止するための固定枠９６ａが取り付けられる。この固定枠９６ａは、たとえば、コンタクトプリズムの各種サイズに応じて用意された大きさの異なる複数のリング状の部材から選択的に取り付けられたものである。また、テーブル９６上においてスライド可能に構成された「」形状（カギ括弧形状）の固定枠９６ａを用いてもよい。なお、模擬角膜９７は、本発明の「プリズム部材支持部」の一例に相当する。
【０１４６】
テーブル９６の下面側には、模擬眼９８と照明光源９９とを収納した収納部９６Ａが取り付けられている。模擬眼９８と照明光源９９は、模擬角膜９７の下方に配置されている。また、模擬眼９８の眼底中心部に相当する部分にはピンホール等の円形のターゲット９８ａが形成されている。照明光源９９から出力された光（の一部）は、このターゲット９８ａのみを透過する。なお、照明光源９９は、専用の電源装置や手術用顕微鏡装置の電源装置（いずれも図示省略）から電源の供給を受けて発光する。
【０１４７】
このような測定器具９０による中心厚の測定は、次のようにして実施される。まず、ホルダ部９１により鏡筒１１に測定器具９０を取り付ける。このとき、模擬角膜９７の頂点位置が軸１１ａ上に配置されるように取付位置を調整する。
【０１４８】
次に、測定対象のコンタクトプリズム６０を模擬角膜９７上に載置する。このとき、実際の手術時に使用するゲル状物質をコンタクトプリズム６０と模擬角膜９７との間に挟んだ状態とすることが望ましい。
【０１４９】
コンタクトプリズム６０の中心厚を測定するには、まず、昇降アーム９５を水平方向に回転させ、水平アーム９５ｂをコンタクトプリズム６０の上方に配置させる。続いて、水平アーム９５ｂの下面がコンタクトプリズム６０の中心部に接触する位置まで昇降アーム９５を下降させ、そのときの目盛の値を取得する。この目盛の値をコンタクトプリズム６０の中心厚の測定値とする。
【０１５０】
一方、コンタクトプリズム６０の屈折率と分散を測定するためには、コンタクトプリズム６０による収差の発生方向と発生量を測定する必要がある。そこで、昇降アーム９５を回転させて水平アーム９５ｂを軸１１ａ上から退避させるとともに、照明光源９９を点灯して模擬眼９８のターゲット９８ａを介して照明光を上方に投射する。操作者は、接眼レンズ鏡筒１１′をのぞき込むなどしてターゲット９８ａの像を観察しながら、フォーカスの部９３を操作して、ターゲット９８ａの像にピントを合わせる。更に、ターゲット９８ａの像を観察しつつ、非点収差打ち消し用光学素子６１や色収差打ち消し用光学素子７０を操作して（操作法については後述する。）収差の補正方向や補正量を調整し、ターゲット９８ａの像が最も良好に観察される状態になったときの補正方向と補正量を取得して測定値とする（その取得方法としては、ターゲット９８ａの像がベストな観察状態になったときに後述の手動操作部１１０の測定値記憶操作部１１３を操作して記憶する方法を本実施形態では採用する。）。
【０１５１】
ここで、「ターゲット９８ａの像が最も良好に観察される状態」とは、非点収差の場合においては、円形のターゲット９８ａの像が円形に視認される状態を示し、色収差の場合においては、ターゲット９８ａの像が波長成分（Ｒ、Ｇ、Ｂ等の成分）に分解されずに視認される状態を示す。このようにして取得される収差の補正方向及び補正量は、コンタクトプリズム６０が発生する収差の方向及び量に相当するものと考えることができる。
【０１５２】
なお、特に色収差の測定において、操作者の直接目視ではなく、ＴＶカメラ５３によるターゲット９８ａの撮影画像を観察しながら測定する場合、受像手段５３ａ（ＣＣＤ撮像素子等）による色フィルタ特性を利用することもできるが、測定精度を高めるためには、照明光源９９として赤色ＬＥＤ及び青色ＬＥＤなどを用いてターゲット９８ａを赤と青の特定波長の光で照明することで、受像手段５３ａが検出する光の波長をより厳密に特定できるようにすることが可能である。
【０１５３】
図９に示すテンプレート１００は、コンタクトプリズム６０の角度αを測定するために使用される。このテンプレート１００は、たとえばプラスティック板などからなり、角度αとして一般的な角度（１５°、３０°、４５°等）などを成すように略三角形状に形成された複数の切欠部１００Ａ〜１００Ｃを有している。各切欠部１００Ａ〜１００Ｃが成す角度はそれぞれ異なっている。また、各切欠部１００Ａ〜１００Ｃの近傍には、その角度を示す数値が記載されている。
【０１５４】
テンプレート１００の切欠部１００Ａ〜１００Ｃにコンタクトプリズム６０を方向Ｄの方向に挿入して切欠部１００Ａ〜１１０Ｃに対するコンタクトプリズム６０の接触状態を判断し、コンタクトプリズム６０がぴったりと嵌合する切欠部１００Ａ〜１００Ｃを探す。その切欠部１００Ａ〜１００Ｃの成す角度をコンタクトプリズム６０の角度αの測定値として採用する。
【０１５５】
［操作系の構成］
上記のように測定された値などを設定入力したり、手術時に収差を補正したりするための操作系について説明する。
【０１５６】
実際の手術の開始前に行うデータ設定時には、ある程度時間に余裕があるため、そのときに測定値等を設定入力するとともに、収差を十分に補正しておく。そのためには、測定値等を詳細に設定できる操作部が必要である。
【０１５７】
また、手術中においては、術者は、手術を行いながら収差補正操作を行うため、補正精度よりも操作の簡便性が優先される。また、両手で手術を行うこともあるため、手以外で操作できることが望ましい。なお、実験によれば、肉眼で収差の増加を認識できるのは、補正方向で角度５°程度以上、量で数％の誤差程度以上の場合であり、画像の分解能の低下が明らかに認識されて手術に影響が出ると思われるのは、補正方向で角度１５°程度以上ずれたときであった。
【０１５８】
それらを勘案して、本実施形態では、手術開始前に設定入力を詳細に行うための手動操作系と、手術中に収差補正を簡便に行うためのフットスイッチ操作系との２種類の操作系を適用することにする。
【０１５９】
〔手動操作系〕
本実施形態の手動操作系の一例を図１０に示す。手動操作部１１０は、手術用顕微鏡１０に対し演算制御部１３０を介して電気的に接続されており、たとえば手術用顕微鏡装置の脇に配置されるテーブル（図示せず）上などに設置される。手動操作部１１０は、手術開始前における光学情報の測定における操作やその測定結果等の設定入力に用いられるとともに、後述のフットスイッチ７が故障したときのバックアップとしての機能を備えている。この手動操作部１１０は、本発明の「手動調整手段」の一例に相当する。
【０１６０】
この手動操作部１１０のパネル上には、プリズムサイズ設定部１１１、プリズム角設定部１１２、測定値記憶操作部１１３、非点収差補正量設定部１１４、色収差補正量設定部１１５、補正方向設定部１１６、相対角度微調整操作部１１７及び自動補正起動操作部１１８がそれぞれ配設されている。また、これらが操作されて入力されたデータやその他必要なデータを表示する表示部１１９が設けられている。この表示部１１９は、たとえばＬＣＤ等の薄型ディスプレイにより構成される。
【０１６１】
プリズムサイズ設定部１１１は、図８の測定器具９０を用いて測定されたコンタクトプリズム６０のサイズ（中心厚）を設定入力するために操作される。このプリズムサイズ設定部１１１は、たとえば、ロータリーエンコーダやテンキーなどの数値入力可能なデバイスにより構成される。プリズムサイズ設定部１１１から入力されたデータは、表示部１１９に表示される。
【０１６２】
プリズム角設定部１１２は、図９のテンプレート１００を用いて測定されたコンタクトプリズム６０の角度αを設定入力するために操作される。このプリズム角設定部１１２は、ロータリーエンコーダやテンキーなどの数値入力可能なデバイスにより構成される。また、特定の複数の角度α１、α２、・・・、αＮのコンタクトプリズムのみが使用されるような環境下においては、各角度に対応する複数のボタンを設けるなど、角度α１、・・・、αＮを択一的に設定入力可能なデバイスにより構成してもよい。プリズム角設定部１１２から入力されたデータは、表示部１１９に表示される。
【０１６３】
なお、コンタクトプリズム６０の角度αを設定入力する代わりに、その頂角θを設定入力するようにしてもよい。ここで、前述のようにα＝９０°−θの関係があるので、各Ｄαと頂角θとは一対一に対応している。コンタクトプリズム６０の角度αや頂角θは、本発明の「プリズム角」の一例に相当するものである。
【０１６４】
測定値記憶操作部１１３は、ボタン等によって構成されており、プリズムサイズ設定部１１１やプリズム角設定部１１２を操作して入力されたデータを設定情報として記憶させるために操作される。操作者は、プリズムサイズ設定部１１１やプリズム角設定部１１２を操作してデータを入力したら、この入力データを表示部１１９にて確認した後に測定値記憶操作部１１３を操作して、当該入力データを記憶させる。なお、この入力データを記憶する記憶媒体については後述する。
【０１６５】
非点収差補正量設定部１１４及び色収差補正量設定部１１５は、それぞれ、非点収差及び色収差の補正量を設定するために操作され、（操作性が良好であることから）コンタクトプリズム６０の光学特性の測定時に主に使用される。また、手術中においては、フットスイッチ７の補正量変更ボタン（後述）のバックアップとして使用される。この非点収差補正量設定部１１４及び色収差補正量設定部１１５は、たとえば、無限回転可能なアブソリュートタイプのロータリーエンコーダにより構成される。
【０１６６】
また、この非点収差補正量設定部１１４及び色収差補正量設定部１１５は、それぞれ、コンタクトプリズム６０による非点収差及び色収差の発生量の測定結果を入力するためにも使用される。入力された測定結果は、表示部１１９に表示される。
【０１６７】
操作者は、ターゲット９８ａの像を観察しつつ非点収差補正量設定部１１４と色収差補正量設定部１１５とを操作して収差量を最適な補正状態にするか、あるいは、ターゲット９８ａの像を観察すること無くそれらを操作して、事前測定から得られた収差量を設定入力するなどして、表示部１１９に収差補正量を表示させ、それから測定値記憶操作部１１３を操作してその収差補正量を記憶させる（すなわち、２つの収差の補正状態をベストな状態とし、それから測定値記憶操作部１１３を操作して、そのベストな状態の収差量を記憶させる。）。
【０１６８】
なお、非点収差補正量設定部１１４と色収差補正量設定部１１５は、本発明の「発生量入力操作手段」の一例に相当するものである。
【０１６９】
補正方向設定部１１６は、本発明の「発生方向入力操作手段」の一例に相当し、非点収差の補正方向と色収差の補正方向とを一括して設定するためのものであり、手術前の準備段階におけるコンタクトプリズム６０に起因する収差発生方向の設定に使用されるとともに、フットスイッチ７の補正方向変更ボタン（後述）のバックアップとしても使用される。収差発生方向を設定したら、操作者は測定値記憶操作部１１３を操作して、その設定値を記憶させる。
【０１７０】
この補正方向設定部１１６は、設定操作を容易にするために、たとえば、無限回転可能なアブソリュートタイプのロータリーエンコーダに加え、補正方向を指示する回転ツマミ１１６ａを備えた構成とされている。
【０１７１】
補正方向設定部１１６のアブソリュートタイプのロータリーエンコーダは、たとえば、基本分解能（角度）が１°（３６０ステップ／回転）程度のもので、角度３０°毎にクリックを設けたもの（クリック１２個／回転）とすることが望ましい。ここで、基本分解能を１°とするのは、補正方向を細かく調整するためにはその程度の精度が好適であるからである。また、クリックを３０°毎に設けるのは、手術中などに補正方向を口頭で指示する場合に、時計板上の時刻（１２時間／回転）の方向を用いることがあり、それに適合させるためである（たとえば、「（時計板上の）３時方向に補正」など）。
【０１７２】
操作者は、回転ツマミ１１６ａを回転させて所望の方向を指示させることにより補正方向を設定入力する。なお、補正方向設定部１１６の周囲に目盛などを設けて、回転ツマミ１１６ａの指示方向を容易に認識できるようにしてもよい。
【０１７３】
なお、「アブソリュートタイプのロータリーエンコーダ」とは、原点に対して１回転又は多回転の絶対角度位置を検出できるロータリーエンコーダを意味している。また、「クリック」とは、ロータリーエンコーダを回転させるときの操作感を良くするために、「カチカチ」といった手応えを付与するものである。
【０１７４】
相対角度微調整操作部１１７は、非点収差の補正方向と色収差の補正方向との相対角度を微調整するために操作される。前述のように、非点収差と色収差の発生方向は、コンタクトプリズム６０の方向Ｄに応じてそれぞれ決定され、それらの相対角度は常に一定である。しかし、この相対角度は、被手術眼Ｅの眼球光学系に起因する収差によってずれることがある。相対角度微調整操作部１１７は、このときのずれに応じて相対角度を微調整するものである。
【０１７５】
この相対角度微調整操作部１１７としては、中央位置（コンタクトプリズム６０に対応する相対角度の位置）にクリックを有するアブソリュートタイプのロータリーエンコーダなどによって構成してもよいが、微調整のリセット操作などを考慮すると、インクリメンタルタイプのロータリーエンコーダを適用して、電源オン時やリセット時に微調整なしの状態に自動的に戻すように構成する方が実用上望ましいと思われる。なお、「インクリメンタルタイプのロータリーエンコーダ」とは、測定開始点からの回転変位量に対応するパルスを発生するタイプのロータリーエンコーダを意味する。
【０１７６】
ここで、非点収差の補正方向を微調整するための操作部と、色収差を補正方向を微調整するための操作部とを別々に設けた構成を採用してもよいし、また、一方の補正方向を微調整する操作部を設けて上記相対角度を参照して他方の補正方向も微調整する構成を採用してもよい。それらによっても、相対角度微調整操作部１１７と同様の機能を実現できる。
【０１７７】
相対角度微調整操作部１１７による補正方向設定の分解能は、たとえば角度１°〜０．５°程度とされ、ロータリーエンコーダの分解能は、たとえば角度２０°単位（１８ステップ／回転）程度で十分である。また、各ステップ毎にクリックを設け、操作中にクリック数をカウントして元の位置（微調整なしの位置）に戻せるようにして操作性を向上させることができる。
【０１７８】
自動補正起動操作部１１８は、たとえば図２や図３に示す光学系を適用する場合などに設けられるもので、収差の自動補正機能を起動させるために操作されるボタン等からなる。この自動補正起動操作部１１８は、自動補正機能を搭載しない手術用顕微鏡装置においては設ける必要がない。
【０１７９】
〔フットスイッチ〕
フットスイッチ７は、本発明の「操作手段」の一例に相当するものであり、手術中に使用され、十字型に配置された４つのボタン７Ｆ、７Ｂ、７Ｌ、７Ｒを備えている。前後のボタン（補正量変更ボタン）７Ｆ、７Ｂは、本発明の「補正量操作手段」の一例に相当するもので、観察像に発生した収差の補正量を変更するために操作される。また、左右のボタン（補正方向変更ボタン）７Ｌ、７Ｒは、本発明の「補正方向操作手段」の一例に相当し、観察像に発生した収差の補正方向を変更するために操作される。
【０１８０】
前方位置に配置された補正量増加ボタン７Ｆは補正量を増加させるときに操作され、後方位置に配置された補正量減少ボタン７Ｂは補正量を減少させるときに操作される。また、左方位置に配置された補正方向左回転ボタン７Ｌは補正方向を左回り（反時計回り）に変更するときに操作され、右方位置に配置された補正方向右回転ボタン７Ｒは補正方向を右回り（時計回り）に変更するときに操作される。
【０１８１】
なお、手術中におけるコンタクトプリズム６０の方向Ｄの変更動作は、一般にゆっくりと行われるものではない。たとえば、コンタクトプリズム６０による眼底周辺部Ｅｒ′の視野の端まで手術部位が到達し、その先の領域を観察したい場合には、当該手術部位を視野の中心あるいは反対側の端に位置させるように、コンタクトプリズム６０の方向Ｄが所定角度だけすばやく回転される。このような使用環境に対処するため、補正方向左回転ボタン７Ｌ及び補正方向右回転ボタン７Ｒに、任意の変速機構を設けることが望ましい。
【０１８２】
そのためには、たとえば、ボタン７Ｌ、７Ｒが強く踏まれて操作された場合や、その外側部分が踏まれて操作された場合に、補正方向の回転速度を早くするような構成とすることができる。また、補正方向の変更速度は、このような２段階変速には限定されず、ボタン７Ｌ、７Ｒを踏む強さやストロークに応じて、複数段階又は無段階で補正方向の回転速度を変速させてもよい。また、ボタン７Ｌ、７Ｒが所定時間以上踏まれたことに対応して補正方向の回転速度を上昇させるように構成することも可能である。このような構成とすることで、コンタクトプリズム６０の方向Ｄの回転に応じて補正方向を迅速に切り換えられるとともに、補正方向の精密な微調整も可能となる。
【０１８３】
補正方向を変更するための操作部としては、以上のような左右のボタン７Ｌ、７Ｒに限定されるものではなく、たとえば１２方向に傾倒できるジョイスティックなどを適用することも可能である（図示省略）。
【０１８４】
フットスイッチ７には、更に、収差の自動補正機能を起動させるために操作される自動補正起動ボタン７Ａが設けられる。この自動補正起動ボタン７Ａは、図３に示す光学系を適用する場合などに設けられ、自動補正機能を搭載しない手術用顕微鏡装置においては設ける必要がない。
【０１８５】
［制御系の構成］
本実施形態に係る手術用顕微鏡装置の制御系の構成を説明する。図１２のブロック図は、手術用顕微鏡装置の制御系の構成の一例を表している。
【０１８６】
手術用顕微鏡装置の制御系は、装置各部の制御と各種演算処理を実行する演算制御部１３０を中心に構成される。演算制御部１３０は、たとえば、ＣＰＵ等のマイクロプロセッサと、ＲＯＭ、ＲＡＭ、ハードディスクドライブ等の記憶装置とを含んで構成される。なお、このような記憶装置に代えて、ＤＶＤやＣＤ−ＲＯＭ等のメディアと、このメディアに対応するドライブ装置とを用いることも可能である。
【０１８７】
なお、演算制御部１３０は、手術用顕微鏡装置自体に搭載されていてもよいし、手術用顕微鏡装置に付属のコンピュータ装置に搭載されていてもよいし、また、それらの双方に分散して搭載されていてもよい。また、手術用顕微鏡装置がＬＡＮ等のネットワークに接続されている場合には、そのネットワーク上のサーバやクライアントのマイクロプロセッサや記憶装置を、手術用顕微鏡装置制御用のマイクロプロセッサや記憶装置（すなわち演算制御部１３０）として使用することも可能である。
【０１８８】
演算制御部１３０は、装置各部の制御を司る装置制御部１３１と、各種データを記憶するデータ記憶部１３２と、本発明に係る各種算出処理を実行する算出処理部１３３とを備える。以下、演算制御部１３０の各部について詳細に説明する。
【０１８９】
〔装置制御部〕
装置制御部１３１は、本発明の「制御手段」の一例に相当し、前述のＲＯＭやハードディスクドライブ等にあらかじめ格納されたコンピュータプログラム（図示せず）にしたがって、装置の操作系、光学系、撮像・表示系などを制御するように動作するもので、ＣＰＵ等のマイクロプロセッサを含んで構成される。
【０１９０】
この装置制御部１３１による操作系の制御としては、フットスイッチ７、手動操作部１１０、ズーム操作部１２０等の操作系から入力される操作信号に基づく動作の制御などがある。また、装置制御部１３１は、手動操作部１１０の表示部１１９による表示処理を制御することにより、たとえば手動操作部１１０からの入力データ等の各種データや各種画面などを表示させるための制御を行う。
【０１９１】
光学系の制御としては、たとえば次のような制御処理を実行する。左右の観察光学系１３ａ、１３ｂの非点収差打ち消し用光学素子６１は、２枚のシリンダーレンズ６１Ａ、６１Ｂにより構成されており、各シリンダーレンズ６１Ａ、６１Ｂには、図１２に示すシリンダーレンズ駆動部６２Ａ、６２Ｂがそれぞれ設けられている。
【０１９２】
また、左右の観察光学系１３ａ、１３ｂの色収差打ち消し用光学素子７０は、２枚のプリズム７０Ａ、７０Ｂにより構成されており、各プリズム７０Ａ、７０Ｂには、図１２に示すプリズム駆動部７２Ａ、７２Ｂがそれぞれ設けられている。
【０１９３】
各シリンダーレンズ駆動部６２Ａ、６２Ｂ及び各プリズム駆動部７２Ａ、７２Ｂは、パルスモータ等の駆動装置を含んで構成され、各シリンダーレンズ６１Ａ、６１Ｂ及び各プリズム７０Ａ、７０Ｂをそれぞれ回転駆動するように作用する。
【０１９４】
装置制御部１３１は、各シリンダーレンズ駆動部６２Ａ、６２Ｂ及び各プリズム駆動部７２Ａ、７２Ｂをそれぞれ独立に制御して、各シリンダーレンズ６１Ａ、６１Ｂ及び各プリズム７０Ａ、７０Ｂをそれぞれ独立に回転駆動させる。たとえば、非点収差打ち消し用光学素子６１による非点収差の補正方向を変更する場合、装置制御部１３１は各シリンダーレンズ６１Ａ、６１Ｂを同方向に同角度だけ回転させるように各シリンダーレンズ駆動部６２Ａ、６２Ｂを制御し、非点収差の補正量を変更する場合には、各シリンダーレンズ６１Ａ、６１Ｂを互いに逆方向に同角度だけ回転させるように各シリンダーレンズ駆動部６２Ａ、６２Ｂを制御する。
【０１９５】
同様に、色収差打ち消し用光学素子７０による色収差の補正方向を変更する場合には、各プリズム７０Ａ、７０Ｂを同方向に同角度だけ回転させるように各プリズム駆動部７２Ａ、７２Ｂを制御し、色収差の補正量を変更する場合には、各プリズム７０Ａ、７０Ｂを互いに逆方向に同角度だけ回転させるように各プリズム駆動部７２Ａ、７２Ｂを制御する。
【０１９６】
装置制御部１３１は、変倍レンズ系２０、３０によるズーム倍率の変更制御を行う。図示は省略するが、手術用顕微鏡装置には、変倍レンズ系２０、３０を構成する各レンズを観察光軸Ｏ１、Ｏ２方向に沿って移動させる変倍レンズ駆動部が設けられている。この変倍レンズ駆動部は、パルスモータ等の駆動装置を含んで構成される。ズーム操作部１２０は、変倍レンズ系２０、３０による被手術眼Ｅの観察像のズーム倍率（観察倍率）を設定入力するために操作され、前述のように手術用顕微鏡１０の鏡筒１１等に設けられている。
【０１９７】
ズーム操作部１２０に対する操作によって所望の観察倍率が設定入力されると、装置制御部１３１は、その操作信号を基に変倍レンズ駆動部を制御し、設定入力された観察倍率を実現させるように変倍レンズ系２０、３０の各レンズの位置を調整する。
【０１９８】
撮像・表示系の制御としては、右観察光学系１３ｂから分岐された光路上に配置されたＴＶカメラ５３による撮影画像の処理や、モニタ装置１４０による表示処理の制御などを行う。なお、モニタ装置１４０は、ＣＲＴやＬＣＤ等の表示用ディスプレイから構成され、たとえば手術用顕微鏡装置に接続されたコンピュータ装置のモニタ装置や、手術室内又は手術室外に設置されたモニタ装置などに相当する。
【０１９９】
〔データ記憶部〕
データ記憶部１３２は、手術用顕微鏡装置の動作に関わる各種データ、特に、収差発生方向対応情報１３２Ａと補正値マップ１３２Ｂと観察光学系情報１３２Ｃとを記憶する。なお、これら３つの情報１３２Ａ、１３２Ｂ、１３２Ｃについては、同一の記憶装置に記憶させてもよいし、複数の異なる記憶装置に記憶させるようにしてもよい。データ記憶部１３２は、ハードディスクドライブ等の不揮発性記憶装置により構成され、データの書き換えが可能な記憶装置とすることが望ましい。なお、補正値マップ１３２Ｂについては、使用するコンタクトプリズム６０毎に変更されるので、ＲＡＭ等の揮発性記憶装置に記憶するようにしてもよい。
【０２００】
このデータ記憶部１３２は、本発明の「発生方向記憶手段」及び「発生量記憶手段」の一例に相当するものである。
【０２０１】
また、データ記憶部３１２には、コンタクトプリズム６０のサイズ（中心厚）、角度αなどのコンタクトプリズム６０に関する情報や、収差補正方向、収差補正量などの収差補正に関する情報など、手動操作部１１０にて設定入力された各種情報が記憶される。
【０２０２】
（収差発生方向対応情報）
収差発生方向対応情報１３２Ａは、前述のようにコンタクトプリズム６０の方向Ｄに応じてそれぞれ決定される非点収差の発生方向と色収差の発生方向とを対応付ける情報である。この情報は、たとえば、コンタクトプリズム６０の方向Ｄと同一の色収差発生方向に対する、非点収差の発生方向の相対角度を含んでいる（この場合、色収差の発生方向＝Ｄｃ＝Ｄ、非点収差の発生方向＝Ｄａとすると、収差発生方向対応情報１３２Ａは相対角度ΔＤ＝一定＝Ｄａ−Ｄｃとなる）。なお、非点収差の発生方向と色収差の発生方向とは、基本的に直交関係にある。
【０２０３】
（補正値マップ）
補正値マップ１３２Ｂは、後述の補正値マップ作成部１３５によって作成される、本発明の「補正量情報」の一例であり、コンタクトプリズム６０の向きＤと、対物レンズ１９の光軸Ｏに対するコンタクトプリズム６０の軸６０ａの傾斜角度γとに対応する、非点収差の補正量と色収差の補正量とを含んだ情報である。
【０２０４】
図１３は、このような補正値マップ１３２Ｂの一例を表している。同図に示す補正値マップ１３２Ｂは、横欄にコンタクトプリズム６０の軸６０ａの傾斜角度γを２°ステップ毎に取り、縦欄にコンタクトプリズム６０の向きＤを５°ステップ毎に取るとともに、横欄に示す傾斜角度γと縦欄に示す向きＤとの各組み合わせについて、非点収差の補正量の値と色収差の補正量の値とを定義したものである（図１３では各補正量の値が省略されているが、実際には補正値マップ作成部１３５により得られる補正量の値が含まれる。）。
【０２０５】
なお、図１３の補正値マップ１３２Ｂにおいては、傾斜角度γ及び向きＤは、それぞれ２°ステップ及び５°ステップで定義されているが、各パラメータを定義するステップはこれに限定されるものではない。たとえば、傾斜角度γについては２°〜３°ステップ程度とすることができ、向きＤについては５°〜１０°ステップ程度とすることができる。より一般に、これら各パラメータを定義するステップは、適宜に設定することが可能である。
【０２０６】
（観察光学系情報）
観察光学系情報１３２Ｃは、前述した観察光学系１３ａ、１３ｂの光学情報に相当する情報であり、観察光学系１３ａ、１３ｂの光学設計数値や変倍レンズ系２０、３０によるズーム倍率などのデータが含まれる。
【０２０７】
このような観察光学系１３ａ、１３ｂの光学設計数値のデータは、たとえば装置のメーカー等が保持する光学設計数値の情報からなり、装置の設置前などに観察光学系情報１３２Ｃとして記憶される。また、変倍レンズ系２０、３０のズーム倍率のデータは、たとえば装置制御部１３１によるズーム倍率の変更制御の制御内容からなり、ズーム倍率が変更される度毎に装置制御部１３１によってデータが更新されるようになっている。
【０２０８】
〔算出処理部〕
算出処理部１３３は、本発明の「算出手段」の一例に相当し、ＣＰＵ等のマイクロプロセッサを含んで構成され、前述のＲＯＭやハードディスクドライブ等に格納されたコンピュータプログラムにしたがって、以下に説明するような各種の算出処理を実行する。
【０２０９】
この算出処理部１３３には、プリズム特性値算出部１３４、補正値マップ作成部１３５、補正方向算出部１３６、補正量算出部１３７及び変倍補正量算出部１３８が設けられている。以下、これら各部１３３〜１３８についてそれぞれ詳細に説明する。
【０２１０】
（プリズム特性値算出部）
プリズム特性値算出部１３４は、本発明の「プリズム特性値算出手段」の一例に相当するものであり、以下に列挙する情報に基づいてコンタクトプリズム６０の屈折率及び分散の値を算出する処理を行う：（１）手動操作部１１０のプリズムサイズ設定部１１１により設定入力されたコンタクトプリズム６０の厚さ、（２）プリズム角設定部１１２により設定入力されたコンタクトプリズム６０の角度α、（３）補正方向設定部１１６（及び相対角度微調整操作部１１７）により設定入力された非点収差及び色収差の少なくとも一方の補正方向、（４）非点収差補正量設定部１１４により設定入力された非点収差の補正量、及び、色収差補正量設定部１１５により設定入力された色収差の補正量、（５）データ記憶部１３２に記憶された観察光学系情報１３３Ｃ（観察光学系１３ａ、１３ｂの光学情報）、（６）変倍レンズ系２０、３０による観察像のズーム倍率（変倍レンズ系２０、３０に対する制御に基づいて得られる）。
【０２１１】
これらの情報（１）〜（６）には、コンタクトプリズム６０の光学情報と観察光学系１３ａ、１３ｂの光学情報とズーム倍率とが含まれている。すなわち、情報（１）〜（６）には、コンタクトプリズム６０の屈折率及び分散の値を除いて、被手術眼Ｅと観察者（術者）の眼との間の全ての光学情報（非点収差打ち消し用光学素子６１及び色収差打ち消し用光学素子７０による収差の補正方向及び補正量の情報を含む）が含まれている。
【０２１２】
（３）収差の補正方向及び（４）収差の補正量は、測定器具９０を用いた測定において、非点収差打ち消し用光学素子６１や色収差打ち消し用光学素子７０を調整して、ターゲット９８ａの観察像が最も良好に観察される状態にしたときの、収差の補正方向及び補正量である。このようにして取得される収差の補正方向及び補正量は、前述のように、コンタクトプリズム６０による収差の発生方向及び発生量と考えることができる。
【０２１３】
プリズム特性値算出部１３４によるコンタクトプリズム６０の屈折率の算出方法について説明する。観察像を形成する光線は、コンタクトプリズム６０により発生された非点収差の影響で一点には集束されないが、（３）の補正方向及び（４）の補正量により収差が良好に補正された状態では再び一点に集束される。被手術眼Ｅ（模擬眼９８）と観察者の眼との間の光学系の情報は、コンタクトプリズム６０の屈折力及び分散を除いて既知である（特に、補正光学系の情報も既知である。）。
【０２１４】
そこで、特定の波長（たとえばＴＶカメラ５３からのＲＧＢ信号のいずれか一つ）のみを考慮して色収差すなわち分散の影響を排除した状態で、コンタクトプリズム６０の屈折力を変化させつつ光線追跡の計算を行って、光線を像面の一点に結像させるような屈折率を探索することにより、目的のコンタクトプリズム６０の屈折率の値を求めることができる。
【０２１５】
ここで、光線追跡とは、光学設計分野において一般に使用されている計算手法であり、スネルの法則と三角方程式とを用いて、光学系を通る光線の経路を計算して決定するための手法である。ここでは、被手術眼Ｅの眼底Ｅｒに相当するターゲット９８ａから出射された光線の経路を求めるために光線追跡の手法が用いられる。なお、この光線追跡によれば、各光学素子の各面、特にコンタクトプリズム６０の上面及び下面における光線の通過点を求めることができるので、当該光線がコンタクトプリズム６０内を通過する距離についても求めることができる。
【０２１６】
なお、実際の観察光学系１３ａ、１３ｂの全ての光学素子を考慮すると計算が煩雑になるので、固定状態の光学素子による光学系部分を同等の単純な光学系に置換して計算を行うことが可能である。
【０２１７】
以上のような屈折率の取得処理は、たとえば、光の逆進性（光学の基本原理のひとつ。特殊な場合を除き、光線の向きを反対にしても、その光線は同じ光路を経由すること。）を利用して、次のようにして行うことができる。
【０２１８】
まず、観察像の結像点に光源を置いたと仮定したときの、コンタクトプリズム６０の上面（対物レンズ１９側のレンズ面）における光線の状態を求める。この光線状態には、補正光学系の状態が特に反映される。
【０２１９】
次に、求めた光線状態に基づき、眼底Ｅｒにおける光線状態を求める。その際、コンタクトプリズム６０の「向き」の方向と、それに直交する方向とに、それぞれ複数の光線を置くようにして計算を行う。
【０２２０】
続いて、コンタクトプリズム６０の屈折率の値を変化させ、眼底Ｅｒ上に光線が集束するような屈折率の値を求める。この計算は、たとえば、２分割法やニュートン法など、方程式の解を逐次的に近似するための一般的な手法を用いて行うことができる。
【０２２１】
プリズム特性値算出部１３４によるコンタクトプリズム６０の分散の算出方法について説明する。観察像を形成する光線は、コンタクトプリズム６０により発生された色収差の影響で一点には集束されないが、（３）の補正方向及び（４）の補正量により収差が良好に補正された状態では再び一点に集束される。前述の手法等によってコンタクトプリズム６０の屈折率が算出されると、被手術眼Ｅ（模擬眼９８）と観察者の眼との間の光学系の情報は、コンタクトプリズム６０の分散を除いて既知である（特に、補正光学系の情報も既知である。）。
【０２２２】
そこで、前述の屈折率の算出と同様に、コンタクトプリズム６０の分散の値を変化させつつ光線追跡計算を行って、光線を像面の一点に結像させるような分散の値を探索することにより、目的のコンタクトプリズム６０の分散の値を求めることができる。
【０２２３】
なお、ここでも、実際の観察光学系１３ａ、１３ｂの全ての光学素子を考慮すると計算が煩雑になるので、固定状態の光学素子による光学系部分を同等の単純な光学系に置換して計算を行うことが有効である。
【０２２４】
このような分散算出処理の具体的態様としては、たとえば次のような手法が用いられる。まず、観察像の結像点に光源を置いたと仮定したときの、コンタクトプリズム６０の上面における光線の状態を求める。この光線状態には、補正光学系の状態が特に反映される。
【０２２５】
次に、求めた光線状態に基づき、眼底Ｅｒにおける光線状態を求める。その際、コンタクトプリズム６０の「向き」の方向に複数の光線を置くようにして計算を行う。
【０２２６】
続いて、２分割法やニュートン法などを適用し、コンタクトプリズム６０の分散の値を変化させ、眼底Ｅｒ上に光線が集束するような分散の値を求める。
【０２２７】
以上のような計算により、上記（１）〜（６）の情報からコンタクトプリズム６０の屈折率及び分散の値が求められる。
【０２２８】
（補正値マップ作成部）
プリズム特性値算出部１３４によりコンタクトプリズム６０の屈折率及び分散値が求められると、前述の補正値マップ１３２Ｂを作成することができる。補正値マップ１３２Ｂは、本発明の「補正量情報作成手段」の一例をなす補正値マップ作成部１３５によって作成される。
【０２２９】
補正値マップ１３２Ｂは、図１３に示すように、コンタクトプリズム６０の様々な向き（収差発生方向）Ｄと、対物レンズ１９の光軸Ｏに対するコンタクトプリズム６０の軸６０ａの傾斜角度γとに応じた、非点収差補正量と色収差補正量との関係を表す情報（たとえばテーブルデータ）である。換言すると、補正値マップ１３２Ｂは、コンタクトプリズム６０の複数の向きＤのそれぞれに対応する、図６に示した非点収差と色収差との関係を含んだ情報である。
【０２３０】
なお、左右の観察光学系１３ａ、１３ｂにおける補正量の相違に関しては、鏡筒部１１の軸１１ａ（対物レンズ１９の光軸Ｏ）に対する観察光軸Ｏ１、Ｏ２の対称性（図５参照）を利用することにより、一方の観察光学系の補正量から他方の観察光学系の補正量を求めることができる。したがって、補正値マップ１３２Ｂは、左右の観察光学系１３ａ、１３ｂの内の一方についてのみ作成しておけば十分である。
【０２３１】
また、左右眼の軸ＯＬ、ＯＲ（観察光軸Ｏ１、Ｏ２）の輻輳（図５参照）により、左右の観察光には、コンタクトプリズム６０を通過する距離の差が生じる。それによる左右の収差補正量の差違については、左右観察光軸Ｏ１、Ｏ２の中線が、コンタクトプリズム６０を使用時の有効視野の中心を通っているとして計算することができる。（なお、コンタクトプリズム６０のプリズム作用により、上方からの観察視野においてプリズム側壁が見える部分があるが、その部分は無効である。実際の有効視野は、コンタクトプリズム６０を介して眼底Ｅｒを観察できる楕円形の部分となる。）
【０２３２】
コンタクトプリズム６０が単にシフトした場合における観察光の通過距離（すなわち厚み）の変化は、コンタクトプリズム６０が傾いた場合の変化よりも影響度が小さい。また、コンタクトプリズム６０が単にシフトした場合において、左右観察光軸Ｏ１、Ｏ２が全てコンタクトプリズム６０を通過できるようなプリズム移動範囲は比較的狭くなる。したがって、コンタクトプリズム６０の単なるシフトの影響は、無視することができる。
【０２３３】
また、変倍レンズ系２０、３０による変倍の影響は、ズーム倍率から容易に計算できるので、補正値マップ１３２Ｂは、特定のズーム倍率についてのみ作成しておけば十分である。
【０２３４】
以上のような条件の下、補正値マップ作成部１３５は、補正値マップ１３２Ｂをたとえば次のようにして作成する。
【０２３５】
まず、コンタクトプリズム６０の向きＤと軸６０ａの傾斜角度γとの組み合わせを任意に設定する。たとえば、図１３の補正値マップ１３２Ｂの作成においては、（向きＤ、傾斜角度γ）＝・・・、（０、−１０）、・・・、（０、０）、・・・、（０、１０）、・・・、（５、−１０）、・・・、（５、０）、・・・、（５、１０）、・・・、（１５、−１０）、・・・、（１５、０）、・・・、（１５、１０）、・・・といった各組み合わせを順次設定する。
【０２３６】
次に、眼底Ｅｒから発せられる光線を仮定する。このとき、コンタクトプリズム６０の向きＤの方向と、それに直交する方向とに、それぞれ複数本の光線を仮定する。次に、これらの光線について光線追跡を実施する。次に、光線追跡の結果から、補正光学系がニュートラル（収差補正量０）であるときの非点収差及び色収差のそれぞれの発生量を算出する。この発生量が、最初に設定されたコンタクトプリズム６０の向きＤ及び軸６０ａの傾斜角度γに対応する、非点収差及び色収差のそれぞれの必要な補正量である。算出された補正量は、補正値マップ１３２Ｂの当該向きＤ及び傾斜角度γに対応する欄に入力される。
【０２３７】
以上の処理を、コンタクトプリズム６０の向きＤ及び傾斜角度γの各組み合わせについて行うことにより、当該コンタクトプリズム６０に対する補正値マップ１３２Ｂが作成される。
【０２３８】
（補正方向算出部）
補正方向算出部１３６は、フットスイッチ７の補正方向変更ボタン７Ｌ、７Ｒから入力される収差の補正方向と、データ記憶部１３２に記憶された収差発生方向対応情報１３２Ａとに基づいて、非点収差の補正方向と色収差の補正方向との双方を算出する処理を行う。
【０２３９】
補正方向算出部１３６の処理をより詳しく説明する。操作者（術者）は、観察像に生じている非点収差又は色収差の補正状態を観察しつつ補正方向変更ボタン７Ｌ、７Ｒ（や補正量変更ボタン７Ｆ、７Ｂ）を操作して、最適な収差補正状態に導く。このとき、補正方向変更ボタン７Ｌ、７Ｒに対する操作に応じ、非点収差の補正方向Ｄａと色収差の補正方向Ｄｃ（＝向きＤ）とが一括して変更される。補正方向算出部１３６は、そのようにして変更される非点収差の補正方向Ｄａと色収差の補正方向Ｄｃとを、収差発生方向対応情報１３２Ａの上記「ΔＤ」を参照して算出する。当該算出処理には、Ｄａ＝Ｄｃ＋ΔＤもしくはＤｃ＝Ｄａ−ΔＤの関係が用いられる。
【０２４０】
なお、補正方向算出部１３６は、手動操作部１１０の補正方向設定部１１６により収差の補正方向が設定入力された場合にも、同様に作用して非点収差の補正方向及び色収差の補正方向を取得する。
【０２４１】
（補正量算出部）
補正量算出部１３７は、テンプレート１００等により測定されたコンタクトプリズム６０の角度αと、フットスイッチ７からの入力情報（特に収差の補正方向、すなわちコンタクトプリズム６０の向きＤ）と、データ記憶部１３２に記憶された補正値マップ１３２Ｂとに基づいて、非点収差及び色収差のそれぞれの補正量を取得する。
【０２４２】
フットスイッチ７の補正量変更ボタン７Ｆ、７Ｂは、非点収差の補正量と色収差の補正量とを一括して変更するために用いられる。操作者は、観察像の画像状態を観察しつつ、補正量変更ボタン７Ｆ、７Ｂ（や補正方向変更ボタン７Ｌ、７Ｒ）を操作して非点収差や色収差の補正状態を適宜調整して、観察像を最適な収差補正状態に導く。
【０２４３】
補正量変更ボタン７Ｆ、７Ｂは、短時間押すことによるステップ動作（あらかじめ決めておいた微少量収差補正量を変化させる）、あるいは、長時間押すことによる連続動作（つまりステップ動作の繰り返し）を指令する。このように単一の操作で非点収差補正量と色収差補正量との双方を逐次的に変更するには、非点収差補正量と色収差補正量との連携、更には左右観察光学系１３ａ、１３ｂの連携が必要である。
【０２４４】
本実施形態では、コンタクトプリズム６０の向きＤに基づいて収差の補正方向を決定し、また、各観察光学系１３ａ、１３ｂの観察光路とコンタクトプリズム６０との配置関係を決定する。コンタクトプリズム６０の位置ずれによる影響は、その傾きによる影響に比べて小さいので、収差の変化はコンタクトプリズム６０の傾きの変化が主要な原因と考えることができる。収差の発生方向からコンタクトプリズム６０の向きＤを決定できるので、この向きＤと、角度αと、左右観察光学系１３ａ、１３ｂの観察光軸Ｏ１、Ｏ２の輻輳角度及び位置関係と、コンタクトプリズム６０の屈折率及び分散とに基づいて、左右観察光学系１３ａ、１３ｂに対して共通の姿勢にあるコンタクトプリズム６０に対応する各収差の補正値及び補正方向を求めることができる。このとき、補正値マップ１３２Ｂを参照することで、補正値等の算出に掛かる時間の短縮が図られる。
【０２４５】
さて、図１３に示した補正値マップ１３２Ｂを用いる場合における補正量算出処理の一例について以下に説明する。
【０２４６】
なお、収差の補正方向や補正量を変更する時点における収差補正方向（コンタクトプリズム６０の向きＤと同等）と軸６０ａの傾斜角度とについては、シリンダーレンズ駆動部６２Ａ、６２Ｂやプリズム駆動部７２Ａ、７２Ｂに対する装置制御部１３１の駆動制御の経過などから既知であるとする。
【０２４７】
まず、操作者がフットスイッチ７を操作して入力した情報に基づいて、操作者が要求する収差の補正方向、すなわちコンタクトプリズム６０の向きＤと、その軸６０ａの傾斜角度γとを求める。
【０２４８】
次に、求めた向きＤと傾斜角度γとに対応する非点収差及び色収差のそれぞれの補正量を、補正値マップ１３２Ｂから求める。このとき、向きＤと傾斜角度γとの双方が補正値マップ１３２Ｂのステップ値、すなわち、向きＤについては５°ステップの「０、５、１０、・・・」の値、傾斜角度γについては２°ステップの「・・・、−１０、−８、・・・−２、０、２、・・・、１０、・・・」に示す値である場合と、それらのうちの少なくとも一方が当該ステップ値ではない場合との相違に対応して、異なる処理を実行する。
【０２４９】
向きＤと傾斜角度γとの双方がステップ値に示す値である場合、その向きＤと傾斜角度γとに対応する欄にある非点収差の補正量と色収差の補正量とを取得して、目的の補正量とする。
【０２５０】
一方、向きＤと傾斜角度γとのうちの少なくとも一方がステップ値に示す値ではない場合には、次のような補間処理を行う。
【０２５１】
まず、当該向きＤを含むステップ幅５°の範囲を形成する２つの向きのステップ値Ｄ１、Ｄ２（Ｄ１＜Ｄ＜Ｄ２）を特定するとともに、当該傾斜角度γを含むステップ幅２°の範囲を形成する２つの傾斜角度のステップ値γ１、γ２（γ１＜γ＜γ２）を特定する。たとえば、向きＤ＝３°、傾斜角度γ＝１．５°の場合には、向きのステップ値Ｄ１＝０°、Ｄ２＝５°が特定され、傾斜角度のステップ値γ１＝０°、γ２＝２°が特定されることとなる。
【０２５２】
次に、向きの範囲［Ｄ１、Ｄ２］（閉区間）における当該向きＤの位置（つまり、当該向きＤが範囲［Ｄ１、Ｄ２］を内分する位置）を求めるとともに、傾斜角度の範囲［γ１、γ２］における当該傾斜角度γの位置（つまり、当該傾斜角度γが範囲［γ１、γ２］を内分する位置）を求める。それにより、向きに関する範囲［Ｄ１、Ｄ］の長さＧ１と、範囲［Ｄ、Ｄ２］の長さＧ２との比Ｇ１：Ｇ２を求めることができる。同様に、傾斜角度に関する範囲［γ１、γ］の長さＨ１と、範囲［γ、γ２］の長さＨ２との比Ｈ１：Ｈ２を求めることができる。
【０２５３】
次に、向きのステップ値Ｄ１、Ｄ２と傾斜角度のステップ値γ１、γ２との各組み合わせ（Ｄｉ、γｊ）に対応する、非点収差の補正量Ａｉｊと色収差の補正量Ｂｉｊとを、補正値マップ１３２Ｂから取得する（ここで、ｉ、ｊ＝１、２）。
【０２５４】
次に、取得した４組の補正量Ａｉｊ、Ｂｉｊを比Ｇ１：Ｇ２、Ｈ１：Ｈ２とに基づいて重み付け平均して、当該向きＤ及び傾斜角度γに対応する非点収差の補正量Ａと色収差の補正量Ｂとを算出する。具体的には、目的の補正値Ａ、Ｂは、たとえば次の２式を適用して算出することができる。
【０２５５】
【数１】
2006330040.tif 000003
【０２５６】
【数２】
2006330040.tif 000004
【０２５７】
なお、補正量算出部１３７は、手動操作部１１０によって収差の補正方向や補正量が設定入力された場合にも、同様に作用して非点収差及び色収差のそれぞれの補正量を算出する。
【０２５８】
（変倍補正量算出部）
変倍補正量算出部１３８は、変倍レンズ系２０、３０により被手術眼Ｅの観察倍率が変化されたときに、その変化量に対応する非点収差及び色収差の補正量を算出するように動作する。
【０２５９】
より詳しくは、変倍補正量算出部１３８は、ズーム操作部１２０により観察倍率がＭ倍に設定されたことを受けて装置制御部１３１が変倍レンズ系２０、３０による観察倍率をＭ倍に変更したことに対応し、左右の観察光学系１３ａ、１３ｂの非点収差打ち消し用光学素子６１による非点収差の補正量をＭ＾２倍とするようにシリンダーレンズ駆動部６２Ａ、６２Ｂを制御するとともに、左右の観察光学系１３ａ、１３ｂの色収差打ち消し用光学素子７０による色収差の補正量をＭ倍とするようにプリズム駆動部７２Ａ、７２Ｂを制御する。
【０２６０】
（補足：左右の観察光軸がコンタクトプリズム内を通過する距離について）
算出処理部１３３は、対物レンズ１９による観察光軸Ｏ１、Ｏ２の輻輳に基づく補正量の変位を求めるために、輻輳された観察光軸Ｏ１、Ｏ２（左右眼の軸ＯＬ、ＯＲ；図５参照）がコンタクトプリズム６０内を通過する距離の算出を行う。
【０２６１】
図５、図７に示したように、左右の観察光軸Ｏ１、Ｏ２は対物レンズ１９により輻輳されてコンタクトプリズム６０に入射するので、各観察光軸Ｏ１、Ｏ２がコンタクトプリズム６０内を通過する距離はコンタクトプリズム６０の配置状態に応じて変化し、結果として収差の発生量も変化する。
【０２６２】
この収差発生量の変化に寄与するコンタクトプリズム６０の配置状態としては、（１）コンタクトプリズム６０の方向Ｄと、（２）コンタクトプリズム６０の姿勢（「軸の一致」、「軸の傾き」；傾斜角度γ）とが想定される。なお、以下に説明する算出処理は、たとえば、補正値マップ１３２Ｂを作成するときなどに織り込まれて実行される。
【０２６３】
（１）コンタクトプリズム６０の方向Ｄが変更されたとき、すなわち、補正方向変更ボタン７Ｌ、７Ｒにより収差補正方向が変更されたときの、上記通過距離の算出処理について説明する。算出処理部１３３は、補正方向変更ボタン７Ｌ、７Ｒの操作に基づいて補正方向算出部１３６が算出する非点収差及び色収差の双方の補正方向と、手動操作部１１０のプリズムサイズ設定部１１１から設定入力されたコンタクトプリズム６０の厚さ（中心厚）と、プリズム角設定部１１２から設定入力されたコンタクトプリズム６０の角度α（又は頂角θ）とに基づいて、補正方向変更前における左右の観察光路Ｏ１、Ｏ２のコンタクトプリズム６０内の通過距離と、補正方向変更後における通過距離との間の変位を算出する。
【０２６４】
この通過距離の算出処理について詳しく説明する。まず、図７に示すように、左右の観察光軸Ｏ１、Ｏ２がそれぞれ輻輳されてなる左眼の軸ＯＬ、右眼の軸ＯＲは、コンタクトプリズム６０の上面６０Ｂに対して異なる角度で入射する。そして、コンタクトプリズム６０が回転されて方向Ｄが変化すると、それに応じて左眼の軸ＯＬ、右眼の軸ＯＲの上面６０Ｂへの入射角度も変化する。それにより、方向Ｄ変更の前後における左眼の軸ＯＬ、右眼の軸ＯＲがコンタクトプリズム６０内を通過する距離が変化する。
【０２６５】
左眼の軸ＯＬの通過距離の変位を算出するには、まず、コンタクトプリズム６０の方向Ｄの変更前における左眼の軸ＯＬの入射位置を（ｘ０、ｙ０）とし、変更後における入射位置を（ｘ１、ｙ１）とする。また、対物レンズ１９の光軸Ｏ（鏡筒１１の軸１１ａ）に対する左眼の軸ＯＬの角度をβとし（２×β＝輻輳角）、上面６０Ｂにおける観察光路（左眼の軸ＯＬの屈折角をβ′とする。
【０２６６】
このとき、コンタクトプリズム６０が「軸の一致」の状態で角度δだけ回転されたとすると、変更後の入射位置は（ｘ１、ｙ１）＝（ｘ０×ｃｏｓδ−ｙ０×ｓｉｎδ、ｘ０×ｓｉｎδ＋ｙ０×ｃｏｓδ）と表される。なお、対物レンズ１０の光軸Ｏに対する左眼の軸ＯＬの角度βは既知である。
【０２６７】
コンタクトプリズム６０の中心厚と角度α（頂角θ＝９０°−α）から、コンタクトプリズム６０の上面６０Ｂの各位置（ｘ、ｙ）におけるコンタクトプリズム６０の厚さｄ（ｘ、ｙ）を求めることができるので、変更前の入射位置（ｘ０、ｙ０）における厚さｄ（ｘ０、ｙ０）と、変更後の入射位置（ｘ１、ｙ１）における厚さｄ（ｘ１、ｙ１）とを求める。
【０２６８】
更に、「軸の一致」が仮定されており、左眼の軸ＯＬが光軸Ｏに対して角度βを成し、上面６０Ｂにおける屈折角がβ′であるので、β″＝｜β−β′｜とすると、変更前の通過距離Ｌ０＝ｄ（ｘ０、ｙ０）／ｃｏｓβ″、変更後の通過距離Ｌ１＝ｄ（ｘ１、ｙ１）／ｃｏｓβ″となる。したがって、コンタクトプリズム６０の方向Ｄの変更前後における左眼の軸ＯＬの通過距離の変位ΔＬは、ΔＬ＝Ｌ１−Ｌ０＝｛ｄ（ｘ１、ｙ１）−ｄ（ｘ０、ｙ０）｝／ｃｏｓβ″となる。右眼の軸ＯＲの通過距離の変位についても同様にして求めることができる。
【０２６９】
（２）コンタクトプリズム６０の姿勢の傾き（傾斜角度γ）に対応する左右眼の軸ＯＬ、ＯＲの通過距離については、コンタクトプリズム６０の使用時における観察視野が限られていることを考慮すると、許容される左右眼の軸ＯＬ、ＯＲの範囲（つまり、観察を有効に行える傾斜角度γの範囲）はおおよそ決まっており、また、補正方向が決まると当該範囲は更に限定される。そこで、上記許容される範囲の中心位置に対応する通過距離を計算しておく。そうすれば、傾斜角度γが（観察が有効な範囲において）変化した場合でも、左右眼の軸ＯＬ、ＯＲがコンタクトプリズム６０内を通過する距離に大きな誤差は出ない。
【０２７０】
［動作態様］
以上のような構成を備える本実施形態の手術用顕微鏡装置の動作態様について説明する。以下、（１）手術開始前に行う準備段階における動作態様、（２）手術中にズーム倍率を変更するときの動作態様、（３）手術中にコンタクトプリズム６０の方向Ｄ（収差補正方向）を変更するときの動作態様、（４）手術中に収差補正量を変更するときの動作態様についてそれぞれ説明する。動作態様（１）〜（４）の一例を、それぞれ図１４〜図１７のフローチャートに表す。
【０２７１】
なお、フットスイッチ７の自動補正起動ボタン７Ａや手動操作部１１０の自動補正起動操作部１１８を操作して起動される収差自動補正処理機能を適用する場合の動作態様については、後述の［変形例］において説明することとする。
【０２７２】
（１：準備段階における動作態様）
手術開始前に行う準備段階においては、図１４のフローチャートに示すように、コンタクトプリズム６０の光学情報の測定と、その測定結果に基づく光学特性値の算出処理とを行う。
【０２７３】
まず、手術で用いるコンタクトプリズム６０の角度αをテンプレート１００で測定し（Ｓ１）、その測定結果を手動操作部１１０のプリズム角設定部１１２を操作して入力する（Ｓ２）。操作者は、表示部１１９に表示された入力内容を確信し、測定値記憶操作部１１３を操作して、入力された角度αをデータ記憶部１３２に記憶させる（Ｓ３）。
【０２７４】
次に、手術用顕微鏡１０の鏡筒１１にホルダ部９１を取り付けて測定器具９０を装着する（Ｓ４）。このとき、必要に応じて、模擬角膜９７の頂点位置を鏡筒１１の軸１１ａ（対物レンズ１９の光軸Ｏ）の真下に配置させるようにアライメントがなされる。その後、コンタクトプリズム６０を模擬角膜９７上に載置する（Ｓ５）。コンタクトプリズム６０と模擬角膜９７との間には、手術用のゲル状物質が介在される。
【０２７５】
操作者は、昇降アーム９５を把持し、水平アーム９５ｂの下面がコンタクトプリズム６０に接触する位置まで上下方向に移動させて、コンタクトプリズム６０の中心厚を測定する（Ｓ６）。更に、プリズムサイズ設定部１１１を操作して測定結果を入力するとともに（Ｓ７）、表示部１１９に表示された入力内容を確認し、測定値記憶操作部１１３を操作して、入力された中心厚をデータ記憶部１３２に記憶させる（Ｓ８）。
【０２７６】
続いて、操作者は、模擬眼９８のターゲット９８ａを観察しつつ、手動操作部１１０の非点収差補正量設定部１１４、色収差補正量設定部１１５、補正方向設定部１１６を操作し、コンタクトプリズム６０によってターゲット９８ａの観察像に発生される収差を補正して最適と思われる観察状態にする（Ｓ９）。ここで、非点収差の補正方向と色収差の補正方向とは、単一の補正方向設定部１１６により一括設定される。また、必要があれば、相対角度微調整操作部１１７を操作して、非点収差や色収差の補正方向を個別に調整する。
【０２７７】
ターゲット９８ａの観察像を最適な状態に補正したら、操作者は、測定値記憶操作部１１３を操作して、非点収差補正量設定部１１４に設定されている非点収差の補正量と、色収差補正量設定部１１５に設定されている色収差の補正量と、補正方向設定部１１６に設定されている収差の補正方向とをデータ記憶部１３２に記憶させる（Ｓ１０）。これらの補正量及び補正方向は、コンタクトプリズム６０による収差の発生量及び発生方向とみなされる。
【０２７８】
演算制御部１３０のプリズム特性値算出部１３４が、データ記憶部１３２に記憶された上記の各測定データと観察光学系情報１３２Ｃとに基づき、コンタクトプリズム６０の屈折率及び分散の値を算出し、装置制御部１３１が、この算出された屈折率及び分散の値をデータ記憶部１３２に記憶させる（Ｓ１１）。
【０２７９】
更に、補正値マップ作成部１３５が、コンタクトプリズム６０の中心厚及び角度αの測定値と、観察光学系情報１３２Ｃと、プリズム特性値算出手段により算出されたコンタクトプリズム６０の屈折率及び分散とに基づいて、補正値マップ１３２Ｂを作成し、装置制御部１３１が、この作成された補正値マップ１３２Ｂをデータ記憶部１３２に記憶させる（Ｓ１２）。以上で、手術開始前の準備段階における動作は終了となる。
【０２８０】
（２：ズーム倍率変更時における動作態様）
次に、図１５のフローチャートを参照して、手術中に被手術眼Ｅの観察倍率を変更するときの動作態様について説明する。
【０２８１】
操作者がズーム操作部１２０を操作して所望の観察倍率を設定すると（Ｓ２１）、装置制御部１３１は、前述の変倍レンズ駆動部を制御して、変倍レンズ系２０、３０による観察倍率をステップＳ２１で設定された観察倍率に変更する（Ｓ２２）。
【０２８２】
また、演算制御部１３０の変倍補正量算出部１３８は、ステップＳ２１にて設定された観察倍率に対応する非点収差の補正量と色収差の補正量とを算出する（Ｓ２３）。ここで、非点収差の補正量は観察倍率の変化の二乗に比例する値とされ、色収差の補正量は観察倍率の変化に比例する値とされる。
【０２８３】
装置制御部１３１は、シリンダーレンズ駆動部６２Ａ、６２Ｂを制御して、左右の観察光学系１３ａ、１３ｂの非点収差打ち消し用光学素子６１による非点収差の補正量を、ステップＳ２３で算出された値に変更し（Ｓ２４）、プリズム駆動部７２Ａ、７２Ｂを制御して、色収差打ち消し用光学素子７０による色収差の補正量を、ステップＳ２３で算出された値に変更する（Ｓ２５）。以上で、ズーム倍率変更時における動作は終了となる。
【０２８４】
（３：収差補正方向変更時における動作態様）
図１６に示すフローチャートは、手術中に収差の補正方向を変更するときの動作態様を表している。収差補正方向の変更操作は、手術中に観察領域を移動するためにコンタクトプリズム６０の方向Ｄを回転させる場合などに実施される。
【０２８５】
なお、収差の補正方向を変更するための操作を行う時点（ステップＳ３１）における収差補正方向（コンタクトプリズム６０の向きＤと同等）と軸６０ａの傾斜角度γとについては、シリンダーレンズ駆動部６２Ａ、６２Ｂやプリズム駆動部７２Ａ、７２Ｂに対する装置制御部１３１の駆動制御の経過などから既知であるとする。
【０２８６】
まず、操作者は、フットスイッチ７の補正方向変更ボタン７Ｌ、７Ｒを操作して、観察像が良好に視認されるように収差の補正方向を変更する（Ｓ３１）。
【０２８７】
補正方向算出部１３６は、フットスイッチ７からの入力情報と現時点における収差補正方向とに基づいて、変更後の非点収差及び色収差の補正方向を求めるとともに、変更後のコンタクトプリズム６０の向きＤを求める（Ｓ３２）。このとき、色収差の補正方向とコンタクトプリズム６０の向きＤとの同一性を用いて、当該向きＤを求めることができる。
【０２８８】
次に、補正量算出部１３７は、求められた向きＤと現時点における傾斜角度γとの双方が、補正値マップ１３２Ｂのステップ値に該当しているか判断する（Ｓ３３）。この判断処理は、より具体的には、求められた向きＤが、補正値マップ１３２Ｂの縦欄に列挙された向きのステップ値のいずれかに該当するかを判断するとともに、現時点における傾斜角度γが、横欄に列挙された傾斜角度のステップ値のいずれかに該当するかを判断することによりなされる。
【０２８９】
向きＤと傾斜角度γとの双方が補正値マップ１３２Ｂのステップ値に示す値である場合（Ｓ３３；Ｙ）、補正量算出部１３７は、当該向きＤと傾斜角度γとに対応する非点収差の補正量と色収差の補正量とを補正値マップ１３２Ｂから取得する（Ｓ３４）。
【０２９０】
一方、向きＤと傾斜角度γとのうちの少なくとも一方がステップ値に示す値ではない場合には（Ｓ３３；Ｎ）、補正量算出部１３７は、補正値マップ１３２Ｂを用いた前述の補間処理を実行して、当該向きＤと傾斜角度γとに対応する非点収差の補正量と色収差の補正量とを取得する（Ｓ３５）。
【０２９１】
装置制御部１３１は、シリンダーレンズ駆動部６２Ａ、６２Ｂを制御して、非点収差打ち消し用光学素子６１による補正方向をステップＳ３２にて求めた非点収差の補正方向に変更するとともに、ステップＳ３４又はステップＳ３５にて取得された非点収差の補正量に変更する（Ｓ３６）。同様に、プリズム駆動部７２Ａ、７２Ｂとを制御して、色収差打ち消し用光学素子７０による補正方向をステップＳ３２にて求めた色収差の補正方向に変更するとともに、ステップＳ３４又はステップＳ３５にて取得された色収差の補正量に変更する（Ｓ３７）。
【０２９２】
操作者は、コンタクトプリズム６０が「軸の傾き」状態にある場合や、被手術眼Ｅの眼球光学系の影響がある場合などには、必要に応じて、フットスイッチ７の補正量変更ボタン７Ｆ、７Ｂを操作して補正量を調整する（Ｓ３８）。
【０２９３】
ここで、補正量だけでなく補正方向の調整も必要なケースも想定されるが、補正方向はＳ３２により既に決定されているので、当該動作態様ではコンタクトプリズム６０の姿勢の傾きに対応する補正量の調整を主として行うこととする。なお、フットスイッチ７の補正方向変更ボタン７Ｌ、７Ｒを操作して、補正方向の調整を行ってもよいことは言うまでもない。
【０２９４】
必要に応じて、最終的に良好な観察像を得るために、補正方向及び／又は補正量の微調整を繰り返し行う（Ｓ３９）。この補正方向の微調整は、手動操作部１１０の相対角度微調整操作部１１７にて行うことができ、補正量の微調整は、非点収差補正量設定部１１４と色収差補正量設定部１１５にて行うことができる。
【０２９５】
なお、微調整を実施するための操作部（補正方向微調整操作部、補正量微調整操作部）を具備したフットスイッチ７を適用することも可能である。また、補正方向変更ボタン７Ｌ、７Ｒや補正量変更ボタン７Ｆ、７Ｂの操作態様によって、微調整操作を行えるようにしてもよい。以上で、収差補正方向が変更されたときの動作は終了となる。
【０２９６】
（４：収差補正量変更時における動作態様）
図１７に示すフローチャートは、手術中に収差の補正量を変更（増減）するときの動作態様を表している。収差補正量の変更操作は、手術中にコンタクトプリズム６０の姿勢が傾いた場合などに実施される。
【０２９７】
なお、上記の動作態様（３）と同様に、収差の補正量を増減するための操作を行う時点（ステップＳ４１）における収差補正方向Ｄとコンタクトプリズム６０の軸６０ａの傾斜角度とは、それぞれ既知であるとする。
【０２９８】
まず、操作者は、フットスイッチ７の補正量変更ボタン７Ｆ、７Ｂを操作して、観察像が良好に視認されるように収差の補正量を増減する（Ｓ４１）。
【０２９９】
補正量算出部１３７は、フットスイッチ７からの入力情報と現時点における傾斜角度とに基づいて、補正量増減後におけるコンタクトプリズム６０の傾斜角度γを求める（Ｓ４２）。
【０３００】
この傾斜角度γの算出処理は、たとえば、図６に示す傾斜角度と収差発生量との関係、あるいは、図１３に示す補正値マップ１３２Ｂを参照して行うことができる。その一例として、増減前の収差補正量（発生量；シリンダーレンズ駆動部６２Ａ、６２Ｂ等の駆動制御の経過から既知）と増減後の収差補正量（増減前の補正量にステップＳ４１での増減量を加味したもの）との関係を用いて、増減前の収差補正量に対応する上記既知の傾斜角度から、増減後の収差補正量に対応する目的の傾斜角度γを求めることが可能である。
【０３０１】
次に、補正量算出部１３７は、現時点における向きＤと求められた傾斜角度γとの双方が、補正値マップ１３２Ｂのステップ値に該当しているか判断する（Ｓ４３）。
【０３０２】
向きＤと傾斜角度γとの双方が補正値マップ１３２Ｂのステップ値に示す値である場合（Ｓ４３；Ｙ）、補正量算出部１３７は、当該向きＤと傾斜角度γとに対応する非点収差の補正量と色収差の補正量とを補正値マップ１３２Ｂから取得する（Ｓ４４）。
【０３０３】
一方、向きＤと傾斜角度γとのうちの少なくとも一方がステップ値に示す値ではない場合には（Ｓ４３；Ｎ）、補正量算出部１３７は、補正値マップ１３２Ｂを用いた前述の補間処理を実行して、当該向きＤと傾斜角度γとに対応する非点収差の補正量と色収差の補正量とを取得する（Ｓ４５）。
【０３０４】
装置制御部１３１は、シリンダーレンズ駆動部６２Ａ、６２Ｂを制御して、非点収差打ち消し用光学素子６１による補正量を、ステップＳ４４又はステップＳ４５にて取得された非点収差の補正量に変更する（Ｓ４６）。同様に、プリズム駆動部７２Ａ、７２Ｂとを制御して、色収差打ち消し用光学素子７０による補正量を、ステップＳ４４又はステップＳ４５にて取得された色収差の補正量に変更する（Ｓ４７）。
【０３０５】
操作者は、必要に応じて、フットスイッチ７の補正量変更ボタン７Ｆ、７Ｂを操作して補正量を調整する（Ｓ４８）。また、最終的に良好な観察像を得るために、必要に応じて、補正方向及び／又は補正量の微調整を繰り返し行う（Ｓ４９）。以上で、収差補正量が変更されたときの動作は終了となる。
【０３０６】
［作用効果］
以上で説明したように、本実施形態に係る手術用顕微鏡装置（観察装置）によれば、手術中にコンタクトプリズムに起因する非点収差及び色収差を補正するための操作をフットスイッチ７を用いて行うことができるので、両手を使用して手術を行っている場合であっても、収差補正を容易に行うことができる。
【０３０７】
また、コンタクトプリズム６０の特性（サイズ、角度、屈折率、分散）以外の全ての光学要素の詳細が事前に把握されていることから、コンタクトプリズム６０の特性を高い精度で測定でき、それにより、高精度で効果的な収差補正を実施することができる。
【０３０８】
本実施形態によれば、収差の補正方向を変更する場合において、フットスイッチ７の補正方向左回転ボタン７Ｌと補正方向右回転ボタン７Ｒを操作することにより、非点収差の補正方向と色収差の補正方向とを一括して変更することができる。このとき、補正方向の変更に伴う補正量の変位についても、補正量を自動的に調整して当該変位を補正するようになっている。
【０３０９】
また、収差の補正量を変更する場合においては、フットスイッチ７の補正量増加ボタン７Ｆと補正量減少ボタン７Ｂを操作することにより、非点収差の補正量と色収差の補正量とを一括して変更することができる。それにより、コンタクトプリズム６０に起因する収差を補正するための操作を簡便化できるとともに、補正を短時間で行うことができる。また、収差の補正を効果的に行うことができる。
【０３１０】
本実施形態によれば、被手術眼Ｅの観察像のズーム倍率を変更した場合に、それに伴う非点収差の発生量の増減を相殺するように、非点収差打ち消し用光学素子６１による非点収差の補正量が自動的に変更され、かつ、色収差の発生量の増減を相殺するように、色収差打ち消し用光学素子７０による色収差の補正量が自動的に変更される。このように、本実施形態によれば、ズーム倍率の変更に対応して収差が自動補正されるので、収差補正操作を簡便に行うことができ、また、短時間で収差を補正することができる。
【０３１１】
本実施形態によれば、手術開始前の準備段階において、手術で実際に使用するコンタクトプリズム６０の光学情報を測定することができ、そのコンタクトプリズム６０の屈折率及び分散の値を求めることができる。また、手術開始前には時間に余裕があるので、光学情報を測定するための時間を十分に取ることができる。本実施形態は、そのような事情を考慮し、コンタクトプリズム６０の屈折率や分散値を取得するための測定（コンタクトプリズム６０に起因する収差の発生方向及び発生量の測定）を精密に実施可能な手動操作部１１０を備えている。このように精密に測定された光学情報を使用することで、手術中にフットスイッチ７を用いた収差補正を高い精度で行うことができる。それにより、収差の補正を効果的に行うことが可能となる。
【０３１２】
本実施形態においては、手動操作部１１０にフットスイッチ７のバックアップとしての機能を設けているので、手術中にフットスイッチ７が故障したなどに、手動操作部１１０を使用して収差補正操作を実施できる。したがって、手術の安全性向上を図ることが可能である。
【０３１３】
フットスイッチ７のバックアップとして使用される非点収差補正量設定部１１４、色収差補正量設定部１１５及び補正方向設定部１１６は、それぞれ、フットスイッチ７の補正量変更ボタン７Ｆ、７Ｂ及び補正方向変更ボタン７Ｌ、７Ｒと同様に、非点収差と色収差の一括操作に用いるように構成することが可能である。このうち、補正方向設定部１１６による補正方向の一括操作については前述した。
【０３１４】
また、非点収差補正量設定部１１４や色収差補正量設定部１１５については、たとえば色収差補正量設定部１１５が操作されて色収差が所定の補正量に設定された場合、図６に示した関係や補正値マップ１３２Ｂを参照して、設定された色収差の補正量に対応する非点収差の補正量を求めることにより、補正量の一括操作が可能となる。非点収差補正量設定部１１４が操作されて非点収差が所定の補正量に設定された場合も同様にして一括操作を行うことが可能である。
【０３１５】
［変形例］
以上に詳述した本実施形態に係る手術用顕微鏡装置（観察装置）に関する各種の変形例について説明する。
【０３１６】
（測定器具）
上記実施形態の測定器具９０は、コンタクトプリズム６０の中心厚を手作業で測定するものとして構成され、また、その測定結果を手入力するものとして構成されているが、たとえば以下のような構成を適用することで、測定作業や入力作業の自動化を図ることが可能である。
【０３１７】
昇降アーム９５を懸垂アーム９４に沿って昇降させるアーム駆動部（図示省略；以下同様）を設ける。このアーム駆動部は、たとえばリニアアクチュエータ等を含んで構成される。また、アーム駆動部に、昇降アーム９５の位置を検出する位置検出器（位置検出部）を設ける。この位置検出部はエンコーダ等を含んで構成され、その検出値は、上記実施形態の目盛（バーニヤ付き目盛）と同様に、コンタクトプリズム６０の中心厚を示すようになっている。更に、アーム駆動部又は水平アーム９５ｂの下面には、昇降アーム９５が物体に接触したことを検知する公知のセンサが設けられている。なお、これらの各デバイスの制御は、演算制御部１３０の装置制御部１３１によって行うこともできるし、専用の制御部（ＣＰＵ等）を設けて行うこともできる。
【０３１８】
このような構成の測定器具によれば、まず、アーム駆動部を制御して昇降アーム９５の水平アーム９５ｂをコンタクトプリズム６０の真上から下方に向かって移動させ、模擬角膜９７上のコンタクトプリズム６０に水平アーム９５ｂが接触したことをセンサが検出したら、下方への移動を停止させる。位置検出器は、そのときの昇降アーム９５の位置を検出し、その検出信号を装置制御部１３１に送信する。装置制御部１３１は、この検出信号が示す検出結果をコンタクトプリズム６０の中心厚の値としてデータ記憶部１３２に記憶させる。
【０３１９】
本変形例の測定器具によれば、コンタクトプリズム６０の中心厚を自動測定でき、また、測定結果を手入力する必要がないので、中心厚測定の簡便化を図ることが可能である。
【０３２０】
また、上記実施形態では、コンタクトプリズム６０の厚さを測定するプリズム厚測定手段と、コンタクトプリズム６０による収差の発生方向及び発生量を測定する収差測定手段とを単一の測定器具９０によって構成しているが、それぞれ別個の器具によって構成することも可能である。
【０３２１】
プリズム厚測定手段の変形例としては、たとえばノギスや物差しなど、長さを測定するための任意の器具を用いることが可能である。
【０３２２】
また、収差測定手段の変形例としては、コンタクトプリズム６０の非点収差や色収差を光学的に測定可能な任意の測定装置を適用できる。また、このような収差測定手段に代えて、コンタクトプリズム６０の屈折率及び分散の値を光学的に測定可能な任意の測定装置を設けることにより、それらの値を算出する処理を省略するように構成することも可能である。
【０３２３】
（収差の発生方向及び発生量の自動測定）
上記実施形態では、コンタクトプリズム６０による収差の発生方向及び発生量の測定は、操作者が手作業で行っている。本変形例は、この収差の発生方向及び発生量の測定を自動化することにより、作業の簡便化を図るものである。
【０３２４】
本変形例の手術用顕微鏡装置は、たとえば図３に示したような光学系を備える。この手術用顕微鏡装置は、左右の観察光学系１３ａ、１３ｂが成す左右の観察光路をそれぞれ分岐させるビームスプリッタ２１、３１（光路分岐手段）と、その分岐された左右の光路を経由した光束を受光して観察対象物の画像を撮影するＴＶ撮像系５０Ｌ、５０Ｒ（撮像手段）とを備えている。
【０３２５】
また、本変形例の制御系には、ＴＶ撮像系５０Ｌ、５０Ｒにより撮影された画像を解析して非点収差や色収差の発生方向及び発生量を検出する収差検出部（本発明の「検出手段」の一例に相当する；図示省略）が設けられている。この収差検出部は、所定の解析プログラムにしたがって動作するＣＰＵ等のマイクロプロセッサを含んで構成され、たとえば図１２に示す演算制御部１３０の算出処理部１３３内に設けられる。この収差検出部による画像解析処理の具体例については、本出願人による上記特許文献２（特開２００４−３６１８９１号公報）に開示されている。
【０３２６】
本変形例の手術用顕微鏡装置によるコンタクトプリズム６０に起因する収差の測定は、たとえば上記実施形態の測定器具９０を用いて行う。左右のＴＶ撮像系５０Ｌ、５０Ｒは、模擬角膜９７上に載置されたコンタクトプリズム６０を介して、模擬眼９８のターゲット９８ａの画像を撮影する。その撮影画像は、演算制御部１３０の収差検出部に送られる。収差検出部は、このターゲット９８ａの撮影画像を解析して、コンタクトプリズム６０により発生される非点収差や色収差の発生方向及び発生量を検出する。この検出結果は、装置制御部１３１によってデータ記憶部１３２に記憶され、算出処理部１３３による前述の算出処理などに用いられる。
【０３２７】
このような本変形例によれば、図１４のフローチャートに示した手術開始前の準備段階における動作において、模擬眼９８のターゲット９８ａを観察しながらターゲット９８ａの観察像の収差を最適な状態に補正する作業（図１４のステップＳ９）を手作業で行う必要がなくなるので、準備段階における作業が簡便になり、また、当該作業に要する時間の短縮を図ることができる。
【０３２８】
以上のような収差測定の自動化は、図２に示した光学系を有する手術用顕微鏡装置に対しても適用可能である。図２の光学系は、左右の観察光学系１３ａ、１３ｂの一方（ここでは右観察光学系１３ｂ）による観察光路をビームスプリッタ３１で分岐し、その分岐された光路にＴＶ撮像系５０を設けたものである。この光学系を適用する場合、右観察光学系１３ｂ側については、ＴＶ撮像系５０が撮影したターゲット９８ａの画像を解析して収差の発生方向及び発生量を求めることができるが、左観察光学系１３ａ側に発生する収差については、右観察光学系１３ｂ側に発生する収差から推定する必要がある。
【０３２９】
そのために、右観察光学系１３ｂ側の収差の発生方向及び発生量に基づいて左観察光学系１３ａ側の収差の発生方向及び発生量のそれぞれの推定値を算出する収差推定値算出部（図示省略）を、演算制御部１３０の算出処理部１３３の補正方向算出部１３６及び補正量算出部１３７に設ける。
【０３３０】
この収差推定値算出部は、たとえば、測定されたコンタクトプリズム６０の中心厚及び角度、データ記憶部１３２に記憶された観察光学系情報１３２Ｃ（左右の観察光学系１３ａ、１３ｂの光学情報）、対物レンズ１９の光軸Ｏに対する左右の観察光学系１３ａ、１３ｂの位置、対物レンズ１９による左右の観察光軸Ｏ１、Ｏ２の輻輳角度、コンタクトプリズム６０の右観察光学系１３ｂ側におけるターゲット９８ａの撮影画像から求められた収差の発生方向及び発生量の情報を用いて、左観察光学系１３ａ側の非点収差の発生方向及び発生量と色収差の発生方向及び発生量の推定値を算出する。ここで、計算を簡単にするために、右観察光学系１３ｂ側の収差測定時において、コンタクトプリズム６０の軸６０ａは、対物レンズ１９の光軸Ｏに一致しているものと仮定している。
【０３３１】
（収差自動補正機能）
上記実施形態においては、手術中における収差の補正方向及び補正量の変更操作をフットスイッチ７を用いて行っている。本変形例は、収差の自動補正機能を搭載した手術用顕微鏡装置を用いる場合に適用可能なものであり、フットスイッチ７による補正方向や補正量の変更後に自動補正を施すことで、補正操作の簡便化、補正動作の短時間化、更には補正精度向上を図るものである。
【０３３２】
フットスイッチ７による収差の補正方向や補正量の調整が終了したら、操作者は、フットスイッチ７の自動補正起動ボタン７Ａあるいは手動操作部１１０の自動補正起動操作部１１８を操作して、収差の自動補正機能を起動させる。
【０３３３】
図３に示す光学系を適用する場合、まず、左右の観察光学系１３ａ、１３ｂを経由して観察される左右の観察像の非点収差及び色収差をそれぞれ検出する。そして、その検出結果に基づいて、左右の観察光学系１３ａ、１３ｂの非点収差打ち消し用光学素子６１と色収差打ち消し用光学素子７０とをそれぞれ制御することにより、左右の観察像の非点収差及び色収差のそれぞれの補正方向及び補正量を調整する。
【０３３４】
一方、図２に示す光学系を適用する場合には、前述のような収差推定値算出部を設ける必要がある。まず、右の観察光学系１３ｂを経由して観察される右の観察像の非点収差の発生方向及び発生量と色収差の発生方向及び発生量を検出する。次に、収差推定値算出部が、測定されたコンタクトプリズム６０の光学情報（中心厚、角度、屈折率、分散）と、データ記憶部１３２に記憶された観察光学系情報１３２Ｃ（左右の観察光学系１３ａ、１３ｂの光学情報）と、検出された右観察光学系１３ｂ側の収差の発生方向及び発生量とに基づいて、対物レンズ１９の光軸Ｏに対するコンタクトプリズム６０の軸６０ａの傾斜角度を算出する。更に、収差推定値算出部は、算出された傾斜角度を参照して左観察光学系１３ａ側の非点収差の発生方向及び発生量と色収差の発生方向及び発生量の推定値を算出する。
【０３３５】
収差自動補正処理の他の例として、図１３に示した補正値マップを使用する動作態様について説明する。図１８に示すフローチャートは、当該動作態様を表している。
同図のフローチャートに示す動作は、図３に示す光学系を有する手術用顕微鏡装置によるものであるが、図２に示す光学系を有する装置においても、前述の収差推定値算出処理を適用することで、同様の動作を実施することが可能である。
【０３３６】
なお、前述の動作態様（３）、（４）と同様に、自動収差補正開始時点（ステップＳ５１）における収差補正方向とコンタクトプリズム６０の軸６０ａの傾斜角度とは、それぞれ既知であるとする。
【０３３７】
まず、操作者が、フットスイッチ７の自動補正起動ボタン７Ａあるいは手動操作部１１０の自動補正起動操作部１１８を操作して、収差の自動補正機能を起動させると（Ｓ５１）、ＴＶ撮像系５０Ｌ、５０Ｒが、眼底Ｅｒ等の観察像を撮影し（Ｓ５２）、収差検出部が、その撮影画像を解析して非点収差、色収差の発生方向及び発生量を検出する（Ｓ５３）。
【０３３８】
ここで、検出された色収差の発生方向は、コンタクトプリズム６０の向きＤと同一である。また、上記実施形態において説明したように、図６に示す関係や補正値マップ１３２Ｂを参照することで、検出された発生量から、コンタクトプリズム６０の軸６０ａの傾斜角度γを求めることができる。それにより、コンタクトプリズム６０の向きＤと、その軸６０ａの傾斜角度γとを取得する（Ｓ５４）。
【０３３９】
補正量算出部１３７は、取得されたコンタクトプリズム６０の向きＤと、その軸６０ａの傾斜角度γとの双方が、補正値マップ１３２Ｂのステップ値に該当しているか判断する（Ｓ５５）。
【０３４０】
向きＤと傾斜角度γとの双方が補正値マップ１３２Ｂのステップ値に示す値である場合（Ｓ５５；Ｙ）、補正量算出部１３７は、当該向きＤと傾斜角度γとに対応する非点収差の補正量と色収差の補正量とを補正値マップ１３２Ｂから取得する（Ｓ５６）。
【０３４１】
一方、向きＤと傾斜角度γとのうちの少なくとも一方がステップ値に示す値ではない場合には（Ｓ５５；Ｎ）、補正量算出部１３７は、補正値マップ１３２Ｂを用いた前述の補間処理を実行して、当該向きＤと傾斜角度γとに対応する非点収差の補正量と色収差の補正量とを取得する（Ｓ５７）。
【０３４２】
装置制御部１３１は、シリンダーレンズ駆動部６２Ａ、６２Ｂを制御して、非点収差打ち消し用光学素子６１による補正量を、ステップＳ４４又はステップＳ４５にて取得された非点収差の補正量に変更する（Ｓ５８）。同様に、プリズム駆動部７２Ａ、７２Ｂとを制御して、色収差打ち消し用光学素子７０による補正量を、ステップＳ４４又はステップＳ４５にて取得された色収差の補正量に変更する（Ｓ５９）。以上が自動収差補正機能による処理である。以下は、この自動収差補正機能による補正結果を、必要に応じて、手動調整するときの手順である。
【０３４３】
操作者は、必要に応じて、フットスイッチ７の補正量変更ボタン７Ｆ、７Ｂを操作して補正量を調整する（Ｓ６０）。また、最終的に良好な観察像を得るために、必要に応じて、補正方向及び／又は補正量の微調整を繰り返し行う（Ｓ６１）。
【０３４４】
このような自動収差補正動作によれば、収差補正のための操作の簡便化はもとより、補正値マップ１３２Ｂを使用することで、補正動作の時間短縮を図ることが可能である。
【０３４５】
（手動操作部とフットスイッチとの連係動作）
上記実施形態の手動操作部１１０は、フットスイッチ７が故障等したときのバックアップとして使用できるようになっている。手動操作部１１０の非点収差補正量設定部１１４、色収差設定部１１５及び補正方向設定部１１６は、操作量（回転変位量）に応じたパルスを出力するロータリーエンコーダをそれぞれ備えている。
【０３４６】
更に、非点収差補正量設定部１１４、色収差設定部１１５及び補正方向設定部１１６のそれぞれのロータリーエンコーダにモータを接続し、各ロータリーエンコーダを独立に回転駆動制御するように構成する。フットスイッチ７の各ボタン７Ｆ、７Ｂ、７Ｌ、７Ｒが操作されると、対応する設定部１１４〜１１６のモータに電気信号が送信される。モータは、この電気信号に基づいて、その回転量が制御されるようになっている。
【０３４７】
操作者がフットスイッチ７の補正量変更ボタン７Ｆ、７Ｂを操作すると、その操作に対応する電気信号が非点収差補正量設定部１１４及び色収差補正量設定部１１５のそれぞれのモータに送信される。各モータは、この電気信号に応じた回転量だけ回転し、非点収差補正量設定部１１４及び色収差補正量設定部１１５のそれぞれのロータリーエンコーダを目的の回転変位量だけ回転させる。各ロータリーエンコーダは、その回転変位量に応じたパルスを装置制御部１３１に送信する。
【０３４８】
装置制御部１３１は、非点収差補正量設定部１１４のロータリーエンコーダからのパルスに基づいて左右の観察光学系１３ａ、１３ｂの非点収差打ち消し用光学素子６１を制御し、非点収差の補正量をフットスイッチ７に対する操作に応じた補正量に変更する。また、装置制御部１３１は、色収差補正量設定部１１５のロータリーエンコーダからのパルスに基づいて左右の観察光学系１３ａ、１３ｂの色収差打ち消し用光学素子７０を制御し、色収差の補正量をフットスイッチ７に対する操作に応じた補正量に変更する。なお、非点収差の補正量と色収差の補正量との対応関係は、上記実施形態と同様に、図６に示した関係や補正値マップ１３２Ｂを参照して取得することができる。
【０３４９】
また、操作者がフットスイッチ７の補正方向変更ボタン７Ｌ、７Ｒを操作すると、その操作に対応する電気信号が補正方向設定部１１６のモータに送信される。モータは、この電気信号に応じた回転量だけ回転し、補正方向設定部１１６のロータリーエンコーダを目的の回転変位量だけ回転させる。ロータリーエンコーダは、その回転変位量に応じたパルスを装置制御部１３１に送信する。
【０３５０】
装置制御部１３１は、このパルスに基づいて左右の観察光学系１３ａ、１３ｂの非点収差打ち消し用光学素子６１を制御し、非点収差の補正方向をフットスイッチ７に対する操作に応じた補正方向に変更する。また、装置制御部１３１は、当該パルスに基づいて左右の観察光学系１３ａ、１３ｂの色収差打ち消し用光学素子７０を制御し、色収差の補正方向をフットスイッチ７に対する操作に応じた補正方向に変更する。なお、非点収差の補正方向と色収差の補正方向との対応関係は、上記実施形態と同様に、補正方向算出部１３６によって求められる。
【０３５１】
以上のような構成によれば、フットスイッチ７が故障した場合に、手動操作部１１０の非点収差補正量設定部１１４や色収差補正量設定部１１５を操作して収差の補正量を変更することができる。また、手動操作部１１０の補正方向設定部１１６を操作して収差の補正方向を変更することができる。
【０３５２】
ここで、収差の補正量を変更する場合には、非点収差補正量設定部１１４及び色収差補正量設定部１１５の一方のみを操作すればよく、操作の簡便化が図られている。また、補正方向を変更するための操作についても、単一の補正方向設定部１１６を操作するだけで非点収差及び色収差のそれぞれの補正方向を変更できるので、好適に簡便化が図られている。
【０３５３】
なお、手動操作部１１０の非点収差補正量設定部１１４、色収差補正量設定部１１５、補正方向設定部１１６は、ロータリーエンコーダを備えた回転式のものに限定されるものではない。
【０３５４】
たとえば、非点収差補正量設定部１１４や色収差補正量設定部１１５は、収差の補正量を所定ステップで増減させるボタンによって構成することができる。ここで、操作性を考慮すると、補正量を所定ステップで増加させるボタンと、所定ステップで減少させるボタンとを設けることが望ましい。
【０３５５】
また、補正方向設定部１１６は、収差の補正方向を所定の角度ステップで回転させるボタンにより構成できる。ここでも、補正方向を反時計回りに所定の角度ステップで回転させるボタンと、時計回りに所定の角度ステップで回転させるボタンとを設けることが、操作上望ましい。
【０３５６】
（光凝固治療装置への適用）
本発明に係る構成は、光凝固治療装置やスリットランプ（細隙灯顕微鏡装置）などの観察装置に適用することが可能である。ここでは、図４１を主に参照しつつ、光凝固治療装置に対する適用例について説明する。
【０３５７】
光凝固治療装置は、治療用レーザ光を出力する照射光学系８０を備え、この治療用レーザ光をプリズム１８で反射して対物レンズ１９に導き、眼底Ｅｒに照射するように構成されている。眼底周辺部Ｅｒ′に治療用レーザ光を照射する場合、角膜Ｅｃ上にコンタクトプリズム６０があてがわれる。
【０３５８】
対物レンズ１９と変倍レンズ系２０、３０との間の観察光路中には非点収差打ち消し用光学素子６１が設けられ、プリズム１８と対物レンズ１９との間の照明光路中にも同様の非点収差打ち消し用光学素子８１が設けられている。また、従来の構成を表す図４１中には示されていないが、本発明に係る光凝固治療装置においては、対物レンズ１９と変倍レンズ系２０、３０との間の観察光路中に色収差打ち消し用光学素子７０が設けられ、プリズム１８と対物レンズ１９との間の照明光路中にも同様の色収差打ち消し用光学素子８２が設けられる。
【０３５９】
この光凝固治療装置は、上記実施形態と同様の制御系を有する（図１２参照）。特に、同様の演算制御部１３０を備えている。非点収差打ち消し用光学素子６１、８０は、上記実施形態の非点収差打ち消し用光学素子６１と同様にして各々制御される。また、色収差打ち消し用光学素子７０、８１も、上記実施形態の色収差打ち消し用光学素子７０と同様にして各々制御される。
【０３６０】
更に、この光凝固治療装置は、上記実施形態と同様の手動操作系１１０とフットスイッチ７とを有する（図１０、図１１参照）。また、コンタクトプリズム６０の光学情報を測定する測定器具９０とテンプレート１００とが設けられている（図８、図９参照）。
【０３６１】
このような構成の光凝固治療装置によれば、上記実施形態の手術用顕微鏡装置と同様に、コンタクトプリズムに起因する収差を補正するための操作を簡便化することが可能である。
【０３６２】
以上に説明した第１の実施形態の変形例は、以下に説明する第２の実施形態の構成に対しても適用することが可能である。
【０３６３】
〈第２の実施形態〉
本発明に係る観察装置の第２の実施形態について説明する。本実施形態においても、手術用顕微鏡装置に関する一構成例を取り上げることとする。なお、上記第１の実施形態と同様の構成や動作等については、第１の実施形態の説明を参照することにする。
【０３６４】
上記第１の実施形態は、手術開始前に、専用の測定器具９０やテンプレート１００を用いて、コンタクトプリズム６０の特性（サイズ、角度、屈折率、分散）を測定し、その測定結果に基づいて収差補正処理を実行するように構成されている。このような手法によれば、コンタクトプリズム６０の特性以外の全ての光学要素の詳細が分かっていることから、コンタクトプリズム６０の特性を高い精度で測定でき、収差補正を高精度で行うことができるという利点がある。
【０３６５】
一方、第１の実施形態には、コンタクトプリズム６０の特性を測定するための時間を手術開始前あるいは別の時間に設ける必要があり、更にその測定結果を事前に記録しておかなければならないという面もある。
【０３６６】
そこで、本実施形態では、コンタクトプリズム６０の特性の測定精度（したがって収差補正の精度）は、第１の実施形態と比較して若干落ちるが、手術開始時あるいは手術中に測定を実施可能とする構成を提供する。
【０３６７】
そのために、本実施形態においては、コンタクトプリズム６０のサイズ（中心厚）及び角度（もしくは頂角）は、カタログ等から既知であると仮定し、左右の観察光学系１３ａ、１３ｂの光学情報も既知であると仮定する。そして、被手術眼Ｅの角膜Ｅｃ上にコンタクトプリズム６０を載置し、できるだけ「軸の一致」になるように調整した状態で十分な収差補正を実施するとともに、そのときの収差補正状態と上記の既知の値とに基づいて、コンタクトプリズム６０の屈折率及び分散の値を算出するようになっている（詳細は後述する）。
【０３６８】
また、本実施形態は、第１の実施形態における模擬眼９８に代えて、実際の被手術眼Ｅを観察した状態で測定を行うことにより、当該被手術眼Ｅの光学特性も測定できるという利点を有するものである。特に、コンタクトプリズム６０の向きＤが決まっている場合、被手術眼Ｅの眼球光学系に起因する収差も併せて最適化されることから、有効な収差補正を実施できるという利点がある。
【０３６９】
一方、被手術眼Ｅの眼球光学系に起因する収差が測定結果に加味されるため、コンタクトプリズム６０の向きＤを大きく変更する場合においては、そのときの収差補正に過不足を招いてしまう。このようなケースに対しては、第１の実施形態の収差補正を適用することが望ましい。
【０３７０】
なお、可能であれば、第１の実施形態における事前測定と、本実施形態における測定とを併用することにより、コンタクトプリズム６０の特性の高精度の測定結果と、被手術眼Ｅの光学特性との双方を取得でき、それにより、より確実な収差補正を実現することが可能であることを指摘しておく。
【０３７１】
［装置構成］
さて、本実施形態の手術用顕微鏡装置（観察装置）の構成の一例について説明する。本実施形態の手術用顕微鏡装置は、上記第１の実施形態と同様の外観構成（図２２参照）及び光学的構成（図１〜図３参照）を有し、同様のコンタクトプリズム（図４参照）を用いた手術にて使用される。また、本実施形態の手術用顕微鏡装置の操作系は、第１の実施形態と同様に構成されている（図１０に示す手動操作部１１０及び図１１に示すフットスイッチ７を参照）。
【０３７２】
本実施形態の手術用顕微鏡装置を用いる手術では、図１９に示すように、被手術眼Ｅに光ファイバ２０１（ライトガイド）を挿入し、有害・不要な赤外線や紫外線を除去した光をこの光ファイバ２０１を通じて眼内に導入して眼底Ｅｒを照明する手法を採用することが望ましい。また、光ファイバ２０１によって導かれる照明光は、白色光であることが望ましい。なお、当該照明光を発生させる光源（装置）としては一般的なものを使用することができる。
【０３７３】
光ファイバ２０１の眼内挿入部の先端は、たとえば円形に形成されている。したがって、光ファイバ２０１のこの先端を眼底Ｅｒ等に十分に近づけると、眼底Ｅｒ等は略円形の照明スポットにより照明されることとなる。なお、図１９において、符号Ｅｌは水晶体を示し、符号Ｅｖは硝子体を示している。
【０３７４】
このような光ファイバ２０１は、本発明の「ターゲット形成手段」の一例に相当し、照明スポットは、「ターゲット」の一例に相当する。また、図２に示すビームスプリッタ３１や、図３に示すビームスプリッタ２１、３１は、本発明の「光路分岐手段」の一例に相当し、ＴＶカメラ５３、５３Ｌ、５３Ｒは、本発明の「撮像手段」の一例に相当する。
【０３７５】
〔制御系の構成〕
図２０のブロック図は、本実施形態の制御系の構成の一例を表している。本実施形態の制御系は、第１の実施形態と同様に、演算制御部１３３の特に装置制御部１３３を中心に構成されている。なお、装置制御部１３３は、本発明の「収差制御手段」の一例に相当するものである。以下、第１の実施形態との差異点を中心に説明する。
【０３７６】
まず、本実施形態におけるデータ記憶部１３２には、上記第１の実施形態の補正値マップ１３２Ｂに代わり、コンタクトプリズム情報１３２Ｄが記憶されている。このコンタクトプリズム情報１３２Ｄには、特にコンタクトプリズム６０のサイズ（中心厚）及び角度のデータが含まれている。このデータは、たとえばコンタクトプリズム６０や手術用顕微鏡装置のマニュアルやカタログ等に記載された公称値を記憶したものであってもよいし、装置の出荷時や設置時などにその設計データを記憶したものであってもよい。
【０３７７】
また、本実施形態の算出処理部１３３（算出手段）には、プリズム特性値算出部２３１、画像抽出部２３２、収差検出部２３３、収差判断部２３４、補正方向算出部２３５及び補正量算出部２３６がそれぞれ設けられている。なお、図２０において図示は省略するが、本実施形態の算出処理部１３３には、上記第１の実施形態と同様の変倍補正量算出部１３８が設けられている。
（プリズム特性値算出部）
【０３７８】
プリズム特性値算出部２３１は、第１の実施形態のプリズム特性値算出部１３４と同様に本発明の「プリズム特性値算出手段」として作用するものであり、次の（１）〜（６）の情報に基づいて、コンタクトプリズム６０の屈折率及び分散の値を算出する処理を行う：（１）データ記憶部１３２に記憶されたコンタクトプリズム情報１３２Ｄのコンタクトプリズム６０のサイズ（中心厚）のデータ、（２）同じくコンタクトプリズム６０の角度のデータ、（３）被手術眼Ｅにコンタクトプリズム６０を載せた状態における非点収差及び色収差の少なくとも一方の補正方向、（４）同じく非点収差及び色収差のそれぞれの補正量、（５）データ記憶部１３２に記憶された観察光学系情報１３３Ｃ（観察光学系１３ａ、１３ｂの光学情報）、（６）変倍レンズ系２０、３０による観察像のズーム倍率。なお、（３）、（４）の情報の求め方については、後述の［動作態様］において説明する。
【０３７９】
（画像抽出部）
画像抽出部２３２は、ＴＶカメラ５３により撮影された画像を解析するコンピュータプログラムを実行するＣＰＵ等のマイクロプロセッサを含んで構成され、特に、光ファイバ２０１で眼内を照明した状態で撮影された画像を解析し、その画像中の照明スポットを抽出する処理を行う。
【０３８０】
この照明スポット検出処理は、たとえば、撮影画像中の各画素の画素値を所定のしきい値と比較し、このしきい値よりも大きな画素値を有する画素からなる一繋がりの領域を照明スポットの領域として認識する処理である。ここで、当該しきい値は、光ファイバ２０１から出射される照明光の明るさなどを基準に設定される。このような処理を行う画像抽出部２３２は、本発明の「画像抽出手段」の一例に相当する。
【０３８１】
（収差検出部）
収差検出部２３３は、ＴＶカメラ５３により撮影された画像中の収差の発生方向及び発生量を検出するためのコンピュータプログラムを実行するＣＰＵ等のマイクロプロセッサを含んで構成される。この収差検出処理は、たとえば、鮮鋭度の画像を用いる通常の手法に代えて、光ファイバ２０１による照明スポットを用いて非点収差や色収差の発生方向や発生量を検出する手法によって実行される。
【０３８２】
非点収差の検出処理は、たとえば、照明スポットのエッジ部分（照明スポットの明るい領域と、その周囲の暗い領域との境界部分）の形状を検出することによりなされる。すなわち、光ファイバ２０１の先端を眼底Ｅｒに十分に近接させると略円形の（エッジ部分を有する）照明スポットが形成されるので、撮影画像中のエッジ部分の形状が略円形である場合には非点収差が無いあるいは比較的小さいと判断することができ、また、その形状が明確に楕円形である場合には比較的大きな非点収差が発生していると判断できる。そのために、たとえば、楕円形（円形を含む）の照明スポットの画像の長軸及び短軸のそれぞれの長さを求め、それらの長さの差を算出し、この差の値に対応する非点収差の発生量を（あらかじめ記憶されたテーブルデータ等を参照して）取得するように構成できる。
【０３８３】
また、非点収差の発生方向については、照明スポットの像の変形方向から求めることもできるが、下記の色収差の発生方向と、データ記憶部１３２の収差発生方向対応情報１３２Ａとから求める手法が容易である。
【０３８４】
一方、色収差については、たとえば、照明光の強度を十分にして白色の照明スポットを形成し、その（カラー）撮影画像をＲ成分、Ｇ成分、Ｂ成分の各画像に分解するとともに、Ｒ、Ｇ、Ｂの照明スポットの各画像の重心を算出し、それらのずれ方向（変位方向）とずれ量（変位量）とを求めることで、発生方向と発生量とを検出する。なお、画像の重心（Ｎｘ、Ｎｙ）は、次式によって定義される。ここで、当該画像はｍ×ｎ個の画素から構成され、その画素値をａｉｊ（ｉ＝１〜ｍ、ｊ＝１〜ｎ）とする。
【０３８５】
【数３】
2006330040.tif 000005
【０３８６】
以上のような処理を行う収差検出部２３３は、本発明の「収差検出手段」の一例に相当するものである。
【０３８７】
（収差判断部）
収差判断部２３４は、収差検出部２３３により検出された撮影画像中の収差発生量（特に色収差の発生量）に関する所定の判断処理を行うためのコンピュータプログラムを実行するＣＰＵ等のマイクロプロセッサと、収差検出部２３３により検出された収差発生量を記憶する記憶装置とを含んで構成される。なお、専用の記憶装置を設ける代わりに、データ記憶部１３２に収差発生量を記憶させる構成を採用することもできる。この収差判断部２３４は、特に、次の２種類の判断処理を実行する。
【０３８８】
収差判断部２３４による第１の判断処理は、撮影画像中の色収差の変化量に関するものである。より詳しく説明すると、収差判断部２３４は、所定のタイミング（後述）において収差判断部２３４が色収差発生量を検出したときに、この新たに検出された色収差発生量を、上記記憶装置（あるいはデータ記憶部１３２）に記憶されている以前の色収差発生量と比較し、検出タイミングの異なるそれら２つの色収差発生量の間の変化量を算出する。更に、収差判断部２３４は、この算出した色収差発生量の変化量が、あらかじめ設定されたしきい値（「変化量しきい値」と呼ぶこととする。）より大きいか否かを判断する。この判断結果に基づいてなされる処理については、後述の［動作態様］において説明する。
【０３８９】
一方、第２の判断処理は、撮影画像に発生する色収差の絶対量に関するものである。すなわち、収差判断部２３４は、所定のタイミング（後述）において検出された色収差発生量が、あらかじめ設定されたしきい値（「絶対量しきい値」と呼ぶこととする。）より大きいか否かを判断する。この判断結果に基づいてなされる処理についても、後述の［動作態様］において説明する。
【０３９０】
このような収差判断部２３４は、本発明の「判断手段」の一例に相当し、上記の変化量しきい値は「所定のしきい値」に一例に相当する。なお、本実施形態では、上記２種類の判断処理を単一の収差判断部２３４が行うように構成されているが、各処理を別個の判断部によって行うように構成してもよい。
【０３９１】
（補正方向算出部）
補正方向算出部２３５は、上記第１の実施形態における補正方向算出部１３６と同様に、非点収差及び色収差のそれぞれの補正方向を算出する処理を行うものである。
【０３９２】
補正方向算出部２３５は、たとえば、収差検出部１３３により検出された色収差の発生方向と、データ記憶部１３２に記憶された収差発生方向対応情報１３２Ａとに基づいて、非点収差の補正方向を算出する。なお、非点収差の発生方向と色収差の発生方向との双方を収差検出部２３３が検出する場合には、当該算出処理は特に必要ではない。
【０３９３】
また、補正方向算出部２３５は、フットスイッチ７の補正方向変更ボタン７Ｌ、７Ｒにより収差補正方向が変更された場合、もしくは、手動操作部１１０の補正方向設定部１１６により収差補正方向が変更された場合に、上記第１の実施形態と同様にして非点収差の補正方向及び色収差の補正方向をそれぞれ取得する処理を行う。
【０３９４】
（補正量算出部）
補正量算出部２３６は、収差検出部２３３により検出された非点収差及び色収差のそれぞれの発生量に基づいて、非点収差及び色収差のそれぞれの補正量を求める処理を行う。補正量算出部２３６は、左右の観察光学系１３ａ、１３ｂにおける収差の補正量をそれぞれ個別に算出する。
【０３９５】
右観察光学系１３ｂについては、ＴＶカメラ５３が設けられているので、その撮影画像に基づいて検出された収差発生量が収差補正量となる。
【０３９６】
一方、左観察光学系１３ａ側における非点収差及び色収差の補正量については、たとえば、上記第１の実施形態と同様にして算出され、収差検出部２３３により検出された右観察光学系１３ｂ側の収差発生量（収差補正量）と、データ記憶部１３２に記憶されたコンタクトプリズム情報１３２Ｄ（コンタクトプリズム６０の中心厚及び角度）と、同じく観察光学系情報１３２Ｃ（左右の観察光学系１３ａ、１３ｂの光学情報）と、対物レンズ１９の光軸Ｏに対する左右の観察光学系１３ａ、１３ｂの位置と、対物レンズ１９による左右の観察光軸Ｏ１、Ｏ２の輻輳角度とに基づいて、それらの推定値が算出される。なお、左観察光学系１３ａにおける非点収差及び色収差の補正方向は、右観察光学系１３ｂの補正方向と同じである。
【０３９７】
算出処理部１３３は、補正方向算出部２３５と補正量算出部２３６とを用いて、前述した「山登り法」による非点収差及び色収差のそれぞれの補正方向、補正量の算出処理を実行する。
【０３９８】
なお、以上に説明した本実施形態の装置構成において、本発明の「測定手段」は、光ファイバ２０１と、観察光学系１３（特にビームスプリッタ２１、３１及びＴＶカメラ５３、５３Ｌ、５３Ｒ）と、制御系（特に画像抽出部２３２及び収差検出部２３３）とを含んで構成される。
【０３９９】
［動作態様］
以上のように構成された本実施形態の手術用顕微鏡装置の動作態様について説明する。図２１に示すフローチャートは、その動作態様の一例を表している。
【０４００】
最初に、実際の被手術眼Ｅの角膜Ｅｃ上に置かれたコンタクトプリズム６０の屈折率及び分散の値を測定により求める（Ｓ７１）。求められた値は、データ記憶部１３２に記憶される。ステップＳ７１の処理について、以下に詳しく説明する。
【０４０１】
当該測定は、たとえば次のようにして行う：（１）カタログ等に記載されたコンタクトプリズム６０の中心厚、角度の公称値を、手動操作部１１０のプリズムサイズ設定部１１１、プリズム角設定部１１２（及び測定値記憶操作部１１３）を用いて設定入力し、（２）軸６０ａを対物レンズ１９の光軸Ｏに合わせるようにして、コンタクトプリズム６０を被手術眼Ｅ上に載置し、（３）観察像の収差補正状態を観察しつつ、手動操作部１１０やフットスイッチ７を用いて収差補正を行い、（４）最適な収差補正状態における非点収差及び色収差のそれぞれの補正方向（発生方向）と補正量（発生量）とを、たとえば補正光学系の動作経過や手動操作部１１０などから取得する。なお、補正方向については、非点収差及び色収差のうちの一方のみを取得するようにしてもよい。
【０４０２】
そして、プリズム特性値算出部２３１は、前述したように、（１）コンタクトプリズム情報１３２Ｄのコンタクトプリズム６０の中心厚、（２）同じくコンタクトプリズム６０の角度、（３）上記測定により取得された収差の補正方向、（４）同じく非点収差及び色収差のそれぞれの補正量、（５）観察光学系情報１３３Ｃの観察光学系１３ａ、１３ｂの光学情報、（６）変倍レンズ系２０、３０による観察像のズーム倍率、に基づいて、コンタクトプリズム６０の屈折力及び分散の値を算出する。以上が、ステップＳ７１で行う処理の一例である。
【０４０３】
次に、操作者は、所定の操作により、被手術眼Ｅの観察部位にピントを合わせるとともに（Ｓ７２）、この観察部位に光ファイバ２０１を近づけて、所定のスポットサイズの照明スポットにて照明する（Ｓ７３）。そして、フットスイッチ７の自動補正起動ボタン７Ａあるいは手動操作部１１０の自動補正起動操作部１１８を操作して、自動収差補正の開始を要求する（Ｓ７４）。
【０４０４】
補正開始の要求が入力されると、装置制御部１３１は、ＴＶカメラ５３を制御して、当該観察部位を含む画像を撮影する（Ｓ７５）。撮影された画像は、装置制御部１３１に送信され、データ記憶部１３２に記憶される。なお、この撮影画像は、左右の観察光学系１３ａ、１３ｂのうちの右観察光学系１３ｂを経由する観察光を受光して得られる画像である。
【０４０５】
次に、画像抽出部２３２が、前述の手法により、当該撮影画像中における照明スポットの像を抽出する（Ｓ７６）。抽出された照明スポットの像のデータは、データ記憶部１３２に記憶される。
【０４０６】
更に、収差検出部２３３が、この抽出された照明スポットの像を解析して、当該撮影画像における色収差の発生方向及び発生量を検出する（Ｓ７７）。その検出結果は、データ記憶部１３２に記憶される。
【０４０７】
続いて、装置制御部１３１が、プリズム駆動部７２Ａ、７２Ｂを制御して、左右の観察光学系１３ａ、１３ｂの色収差打ち消し用光学素子７０により、観察像に適量の色収差を発生させる（Ｓ７８）。この「適量の色収差」の発生処理としては、（１）色収差の補正量を減少させる、あるいは補正量をゼロにする、（２）色収差の発生量を積極的に増大させる、などの方法が適用される。それにより、観察像における色収差の影響が大きくなり、色収差検出処理におけるＲ、Ｇ、Ｂの各画像のずれが増大することとなる。
【０４０８】
収差検出部２３３は、適量の色収差発生後にＴＶカメラ５３により撮影された画像中の照明スポットの像を解析して、この新たな撮影画像における色収差の発生方向及び発生量を検出する（Ｓ７９）。その検出結果は、データ記憶部１３２に記憶される。なお、図２１のフローチャートにおいては、適量の色収差発生後の画像の撮影処理（ステップＳ７５と同様）と、この撮影画像からの照明スポットの像の抽出処理（ステップＳ７６と同様）とを省略した。
【０４０９】
次に、収差判断部２３４が、ステップＳ７８の適量の収差発生の前後における色収差発生量の変化量、すなわち、ステップＳ７７で検出された色収差発生量を基準とした、ステップＳ７９で検出された新たな色収差発生量の変位量が、上記の変化量しきい値よりも大きいか否か判断する（Ｓ８０）。
【０４１０】
当該変位量が変化量しきい値よりも大きくないと判断された場合（Ｓ８０；Ｎ）、この判断は収差状況がほとんど変化していないことを意味していることから、プリズム駆動部７２Ａ、７２Ｂを制御して、色収差の補正量をステップＳ７７で検出された値に戻すように、左右の観察光学系１３ａ、１３ｂの色収差打ち消し用光学素子７０をそれぞれ動作させる（Ｓ８１）。そして、必要に応じて、算出処理部１３３が、前述の山登り法を実行して、最適な鮮鋭度が得られる収差（非点収差、色収差）の補正方向及び補正量を求め、装置制御部１３１が補正状態を微調整する（Ｓ９０）。以上で、自動収差補正処理は終了となる。術者は、この収差補正状態で被手術眼Ｅを観察して手術を実施する。
【０４１１】
なお、上記変位量が十分小さい場合（Ｓ８０；Ｎ）、最良の収差補正状態がおおよそ得られていることを意味するので、山登り法は数回のトライアルで完了する。
【０４１２】
一方、当該変位量が変化量しきい値よりも大きいと判断された場合（Ｓ８０；Ｙ）、操作者は、フットスイッチ７や手動操作部１１０を操作して、色収差の粗調整を行う（Ｓ８２）。ここで、粗調整とは、（色収差の）大まかな調整を意味し、微調整の対義語として用いられる用語である。
【０４１３】
収差検出部２３３は、粗調整後における観察像に介在する色収差の発生方向及び発生量を検出する（Ｓ８３）。ここでも、ステップＳ７９と同様に、画像撮影処理と照明スポット像抽出処理を省略した。
【０４１４】
補正方向算出部２３５及び補正量算出部２３６が、それぞれ、粗調整後の収差発生方向及び収差発生量の検出結果に基づいて、右観察光学系１３ｂ側における色収差の補正方向及び補正量を算出する（Ｓ８４）。また、補正方向算出部２３５及び補正量算出部２３６は、それぞれ、粗調整後の収差発生方向及び収差発生量の検出結果に基づいて、右観察光学系１３ｂ側における非点収差の補正方向及び補正量を算出する（Ｓ８５）。
【０４１５】
更に、補正量算出部２３６は、右観察光学系１３ｂ側の非点収差及び色収差の補正量の算出結果、コンタクトプリズム情報１３２Ｄ、観察光学系情報１３２Ｃ、対物レンズ１９の光軸Ｏに対する左右の観察光学系１３ａ、１３ｂの位置、及び、対物レンズ１９による左右の観察光軸Ｏ１、Ｏ２の輻輳角度に基づいて、左観察光学系１３ａ側の非点収差及び色収差の補正量の推定値を算出する（Ｓ８６）。なお、前述したように、左観察光学系１３ａ側の収差補正方向は、右観察光学系１３ｂ側の補正方向と同じである。
【０４１６】
装置制御部１３１は、ステップＳ８４〜Ｓ８６で得られた算出結果に基づいてシリンダーレンズ駆動部６２Ａ、６２Ｂとプリズム駆動部７２Ａ、７２Ｂとをそれぞれ制御し、左右の観察光学系１３ａ、１３ｂのそれぞれの非点収差打ち消し用光学素子６１及び色収差打ち消し用光学素子７０を駆動して、非点収差及び色収差のそれぞれの補正方向及び補正量を変更する（Ｓ８７）。
【０４１７】
収差検出部２３３は、補正状態変更後における観察像に介在する色収差の発生方向及び発生量を検出する（Ｓ８８）。ここでも、ステップＳ７９等と同様に、画像撮影処理と照明スポット像抽出処理を省略した。
【０４１８】
続いて、収差判断部２３４が、検出された補正状態変更後における色収差発生量が、前述の絶対量しきい値よりも大きいか否か判断する（Ｓ８９）。
【０４１９】
色収差発生量が絶対値しきい値よりも大きいと判断された場合（Ｓ８９；Ｙ）、依然として相当量の色収差が発生しているため、ステップＳ８２の粗調整に戻り、そこからの処理を再度実施ｕする。
【０４２０】
一方、色収差発生量が絶対値しきい値よりも大きくないと判断された場合には（Ｓ８９；Ｎ）、必要に応じて、算出処理部１３３が、前述の山登り法を実行して、最適な鮮鋭度が得られる収差（非点収差、色収差）の補正方向及び補正量を求め、装置制御部１３１が補正状態を微調整する（Ｓ９０）。以上で、自動収差補正処理は終了となる。術者は、この収差補正状態で被手術眼Ｅを観察して手術を実施する。
【０４２１】
［作用効果］
以上で説明したように、本実施形態の手術用顕微鏡装置によれば、コンタクトプリズムに起因する収差の補正処理の自動化が促進される。操作者は、コンタクトプリズム６０の特性値を求めるための測定（ステップＳ７１）、照明スポットのスポットサイズの調整（ステップＳ７３）、自動補正処理開始要求（ステップＳ７４）、色収差の粗調整（ステップＳ８２）等の簡単な動作を行うだけで、コンタクトプリズム６０に起因する非点収差と色収差が自動補正される。したがって、本実施形態によれば、収差を補正するための操作を簡便化することが可能である。
【０４２２】
また、本実施形態では、光ファイバ２０１の先端を観察部位に近接させることにより、高コントラスト、略円形、白色の照明スポットを形成し、この照明スポットの撮影画像に基づいて非点収差及び色収差の状態を検出するようになっている。なお、照明スポットのコントラストは、照明光の強度や、光ファイバ２０１の先端の観察部位に対する距離などの条件に依存する。
【０４２３】
それにより、非点収差については、高コントラストの略円形の照明スポットの撮影画像の変形状態から、その発生方向及び発生量を効果的に検出することができる。また、色収差については、白色の照明スポットの撮影画像から得られる高コントラストのＲ、Ｇ、Ｂの各画像に基づいて、その発生方向及び発生量を効果的に検出することができる。したがって、効果的な収差補正を実施することが可能となる。
【０４２４】
また、色収差の発生量が小さい場合であっても、適量の色収差を発生させてやることで、観察像に介在する色収差を増大させることができる。これに加えて、照明スポットが白色であることも考慮すると、色収差の発生方向及び発生量を高い精度で検出することができ、収差補正を効果的に行うことが可能となる。
【０４２５】
また、白色の照明スポットのＲ、Ｇ、Ｂの各画像の重心をそれぞれ算出し、それらのずれに基づいて色収差を検出するように構成されているので、色収差検出を高精度で行うことが可能である。
【０４２６】
また、本実施形態によれば、色収差の粗調整等により収差をある程度補正した後、最終段階の微調整（ステップＳ９０）において山登り法を適用するようになっている。したがって、山登り法の適用時には、既にほぼ最適な収差補正状態に到達しているので、数回のトライアルで山登り法の計算処理は完了する。それにより、収差補正処理の短時間化を図ることが可能となる。
【０４２７】
また、本実施形態は、上記第１の実施形態とは異なり、実際の被手術眼Ｅ上に載置されたコンタクトプリズム６０の特性値を測定するため、被手術眼Ｅ自体の影響をも加味した収差状態を取得することができる。特に、コンタクトプリズム６０の方向が決まっている場合には、被手術眼Ｅに起因する収差についても併せて最適に補正されることとなるため有効である。
【０４２８】
また、本実施形態による収差補正は、第１の実施形態のような専用の測定手段を用いることなく、実際の被手術眼Ｅを利用して同様の測定を行うことから、手術中でも適宜に実施できるという利点がある。
【０４２９】
〈各種変形例〉
以上に説明した第１、２の実施形態は、本発明に係る観察装置を好適に実施するための一構成例に過ぎないものである。以下、本発明に係る観察装置に適用可能な各種の変形例について説明する。
【０４３０】
（補正リセット機能）
手術用顕微鏡装置に故障が発生した場合などにおいて、最低限度の品質の観察像を確保して手術の続行を可能にするために、補正光学系（非点収差打ち消し用光学素子６１、色収差打ち消し用光学素子７０）による収差の補正をリセットする機能を搭載することができる。
【０４３１】
この補正リセットの動作は、電気的な動作であってもよいが、手術用顕微鏡装置の電気系がダウンしたときやＣＰＵ等がダウンしたときの対処を考慮すると、メカ的（機構的）な動作であることが望ましい。
【０４３２】
補正リセット動作を電気的に行う構成を採用する場合、たとえば、補正リセットを要求するためのボタン等の操作部を、手術用顕微鏡装置本体やフットスイッチ７や手動操作部１１０などに設けるとともに、当該操作部からの要求を受けた装置制御部１３１が補正光学系を制御して収差補正量をゼロに変更する構成とすることができる。この操作部は本発明の「第１の操作手段」の一例に相当し、装置制御部１３１は「補正リセット手段」の一例に相当する。
【０４３３】
一方、補正リセット動作を機構的に行う構成を採用する場合、たとえば、第１の実施形態において説明したように、補正光学系及びその駆動系を手術用顕微鏡１０の鏡筒１１に着脱可能なユニットとして形成するとともに、当該ユニットを鏡筒１１から機構的に取り外すための操作部を鏡筒１１等に配設した構成とすることができる。
【０４３４】
より具体的に説明すると、たとえば、ユニットの外周面（たとえば側面）に凹部を設けるとともに、この凹部に係合する凸部（ツメ）を鏡筒１１内に設け、上記操作部によって凹部に対する凸部の係合状態が解除されるように構成する。装着時には、ユニットを鏡筒１１側面の開口部（図示せず）内に凸部が凹部に係合するまで挿入する。ユニットは、凸部と凹部との係合により、図１〜図３に示すように補正光学系が観察光軸Ｏ１、Ｏ２上に配置される位置に保持される。
【０４３５】
装置やＣＰＵ等がダウンした場合には、上記操作部を操作して凸部と凹部との係合状態を解除し、鏡筒１１からユニットを取り外す。それにより、補正光学系が観察光軸Ｏ１、Ｏ２上から退避され、収差補正がリセットされる。
【０４３６】
このような構成において、上記操作部は本発明の「第１の操作手段」の一例に相当し、当該操作部に対する操作に応じて動作する上記機構は「補正リセット手段」の一例に相当するものである。
【０４３７】
また、機構的な補正リセット動作の他の例として、補正光学系による収差補正量をゼロに変更するための操作部を設けた構成を適用してもよい。そのために、たとえば、シリンダーレンズ６１Ａ、６１Ｂの少なくとも一方を回転操作するための第１の操作部と、プリズム７０Ａ、７０Ｂの少なくとも一方を回転操作するための第２の操作部とを設ける。なお、シリンダーレンズ６１Ａ、６１Ｂの双方を回転操作する場合、あるいは、プリズム７０Ａ、７０Ｂの双方を回転操作する場合には、それらを独立に操作可能に構成する。
【０４３８】
装置やＣＰＵ等がダウンしたら、第１の操作部を操作して非点収差の補正量をゼロにする（シリンダーレンズ６１Ａ、６１Ｂの母線軸を一致させる）とともに、第２の操作部を操作して色収差の補正量をゼロにする（プリズム７０Ａ、７０Ｂを互いに逆方向を向くように配置させる）ことにより、収差補正をリセットすることができる。
【０４３９】
（補正状態記憶機能、補正状態復帰機能）
特に手や足を用いて収差補正を行う場合に、誤って収差を増強させてしまうおそれがある。本変形例の機能は、そのような事態に対処するためのものである。
【０４４０】
現状の補正状態を記憶させるための補正状態記憶操作部と、記憶された補正状態に復帰させるための補正状態復帰操作部とを、フットスイッチ７や手動操作部１１０や手術用顕微鏡１０の鏡筒１１などに設ける（いずれも図示省略）。これらの操作部からの操作信号は、装置制御部１３１に入力される。これら操作部はボタン等の任意の操作デバイスからなる。
【０４４１】
ここで、補正状態記憶操作部は本発明の「第２の操作手段」の一例に相当し、補正状態復帰操作部は「第３の操作手段」の一例に相当し、装置制御部１３１は「制御手段」の一例に相当している。また、データ記憶部１３２は、「所定の記憶手段」の一例に相当する。
【０４４２】
補正状態記憶操作部からの操作信号が入力されると、装置制御部１３１は、現状の補正状態（非点収差の補正方向及び補正量、色収差の補正方向及び補正量）をデータ記憶部１３２に記憶させる。なお、現状の補正状態の情報は、算出処理部１３３による算出結果や、補正光学系に対する制御の経過などから取得できる。
【０４４３】
一方、補正状態復帰操作部からの操作信号が入力されると、装置制御部１３１は、データ記憶部１３２に記憶されている補正状態の情報を読み出し、補正光学系を駆動制御して当該補正状態に変更する。
【０４４４】
このような本変形例によれば、ある程度良好な補正状態を記憶させておくことで、それ以降の補正によって収差状態が悪化した場合であっても、記憶させた補正状態に容易に復帰させることができる。
【０４４５】
なお、複数の補正状態を記憶可能とするとともに、それらの補正状態を選択的に復帰させるように構成することもできる。
【０４４６】
（ＵｎＤｏ機能）
上記の補正状態記憶機能及び補正状態復帰機能と同様に、誤って収差を増強させてしまった場合などに対処するための機能として、ＵｎＤｏ機能（「戻る」機能）を搭載することができる。
【０４４７】
そのために、ボタン等により構成される「戻る」操作部をフットスイッチ７や手動操作部１１０や手術用顕微鏡１０の鏡筒１１などに設ける。この「戻る」操作部からの操作信号は、装置制御部１３１に入力される。装置制御部１３１は、収差の補正状態（非点収差の補正方向及び補正量と、前記色収差補正用光学素子による色収差の補正方向及び補正量とのうちの少なくともいずれか）が変更される度毎に、その変更後の補正状態を時系列順にデータ記憶部１３２に記憶させる（それにより、収差の補正状態の変更履歴が逐次形成される。）
【０４４８】
この時系列順に応じた補正状態の記憶処理は、複数の変更のそれぞれに対応する補正状態の情報を当該変更の順序に関連付けるようにしてなされる。たとえば、補正状態の変更をＮ回行う場合においては、次のような処理を行う。まず、第１回目の変更（デフォルトの補正状態から第１の補正状態への変更）がなされたら、それにより設定された第１の補正状態の情報を記憶し、第２回目の変更がなされたら、それにより設定された第２の補正状態の情報を記憶し、・・・・、第Ｎ回目の変更がなされたら、それにより設定された第Ｎの補正状態の情報を記憶する。
【０４４９】
ここで、「戻る」操作部は本発明の「第４の操作手段」の一例に相当し、装置制御部１３１は「制御手段」の一例に相当している。また、データ記憶部１３２は、「所定の記憶手段」の一例に相当する。
【０４５０】
「戻る」操作部が操作されると、装置制御部１３１は、現状の補正状態のひとつ前の補正状態を読み出し、補正光学系を駆動制御して当該補正状態に変更する。その状態で「戻る」操作部が再度操作されると、更にひとつ前の補正状態を読み出して当該補正状態に変更する。同様に、「戻る」操作部が操作される度毎に、ひとつずつ前の補正状態を読み出し、その補正状態に変更する。
【０４５１】
たとえば前述の例においては、Ｎ回の変更後に「戻る」操作部を１回操作すると、第Ｎ−１の補正状態に変更され、２回操作すると、第Ｎ−２の補正状態に変更され、・・・、というように過去の補正状態が逐次再現される。
【０４５２】
それにより、補正操作を誤った場合であっても、現状よりも良好な過去の補正状態に容易に復帰することが可能となる。
【０４５３】
なお、以上のように収差補正の全履歴を記憶する必要はなく、古い履歴から逐次消去するようにしてもよい。たとえば、一つ前の履歴のみを記憶するように構成できる。その場合、「戻る」操作部の操作可能回数は１回のみであり、最後の変更の直前における補正状態に戻ることができるだけである。
【０４５４】
（標準補正機能）
標準補正機能は、標準的な補正状態をあらかじめ記憶しておき、要求に応じてその標準的な補正状態を再現する機能である。操作者は、この標準的な補正状態を出発点として補正状態の調整を行う。
【０４５５】
この標準的な補正状態の情報は、たとえば、非点収差の標準的な補正方向及び補正量と、色収差の標準的な補正方向及び補正量とを含む情報であり、データ記憶部１３２等の記憶装置にあらかじめ記憶される。これらの標準的な補正方向や補正量は、コンタクトプリズム６０の光学特性（屈折率、分散）等の情報に基づく計算あるいは測定によって事前に取得される。
【０４５６】
また、標準補正機能に関する操作系として、フットスイッチ７や手動操作部１１０にボタン等からなる標準補正操作部を設ける。この標準補正操作部を操作すると、装置制御部１３１に操作信号が入力される。装置制御部１３１は、この操作信号を受信すると、データ記憶部１３２から標準的な補正状態の情報を読み出し、補正光学系を駆動制御して当該標準的な補正状態に設定する。
【０４５７】
ここで、標準補正操作部は本発明の「第５の操作手段」の一例に相当し、装置制御部１３１は「制御手段」の一例に相当している。また、データ記憶部１３２は、「記憶手段」の一例に相当する。
【０４５８】
操作者は、標準補正操作部が操作されたことに対応して自動的に設定された、標準的な補正状態における被手術眼Ｅの観察状態（収差の状態）を確認する。そして、必要に応じて、まず、観察像の収差状態を視認しつつフットスイッチ７の補正方向変更ボタン７Ｌ、７Ｒ等を操作して、収差の補正方向を調整して決定する。続いて、同様に観察像の収差状態を視認しつつ補正量変更ボタン７Ｆ、７Ｂを操作して、収差の補正量を調整して決定する。
【０４５９】
このような標準補正機能によれば、コンタクトプリズム６０に応じて事前に設定された標準的な補正状態が自動的に設定され、それを出発点として収差補正操作を行うことができるので、補正操作に掛かる時間の短縮を図ることができ、また、補正操作の容易化を図ることができる。
【０４６０】
なお、異なる光学特性を有する複数のコンタクトプリズムを選択的に使用する場合には、たとえば次のような構成を適用することができる。まず、各コンタクトプリズムに識別情報（たとえば屈折力の値など）を付与する。また、フットスイッチ７や手動操作部１１０や手術用顕微鏡１０の鏡筒１１などに、当該識別情報を入力するための操作部を設ける。更に、複数のコンタクトプリズムのそれぞれについて、その光学特性に応じた標準的な補正状態の情報をあらかじめ記憶しておく。各情報は、対応するコンタクトプリズムの識別情報に関連付けられて記憶される。
【０４６１】
操作者は、上記操作部を操作して、手術に用いるコンタクトプリズムの識別情報を入力する。装置制御部１３１は、入力された識別情報に関連付けられた標準的な補正状態の情報をデータ記憶部１３２から読み出し、補正光学系を駆動制御して当該補正状態に設定する。それにより、使用するコンタクトプリズムに応じた標準的な補正状態が自動設定される。
【０４６２】
なお、複数のコンタクトプリズムを選択使用する場合における他の構成例として、各コンタクトプリズム毎に個別の操作部を設けるようにしてもよい。
【０４６３】
（コンタクトプリズムの外観に基づく方向設定）
照明光や観察光の光路が通過しないコンタクトプリズムの外観部位にマークを設ける。このマークは、たとえば、コンタクトプリズムの外周や、その上面の端部近傍に設けられる。なお、マークの個数は、一つあるいは複数とすることができる。術者等は、このマークの位置を確認することで、コンタクトプリズムの方向を認識することができる。
【図面の簡単な説明】
【０４６４】
【図１】本発明に係る観察装置（手術用顕微鏡装置）の第１の実施形態の光学系の構成の一例を表す図である。
【図２】本発明に係る観察装置（手術用顕微鏡装置）の第１の実施形態の光学系の構成の一例を表す図である。
【図３】本発明に係る観察装置（手術用顕微鏡装置）の第１の実施形態の光学系の構成の一例を表す図である。
【図４】本発明に係る観察装置（手術用顕微鏡装置）の第１の実施形態にて使用される手術用コンタクトプリズムの構成の一例を表す図である。図４（Ａ）は手術用コンタクトプリズムの斜視図であり、図４（Ｂ）は側面図である。
【図５】本発明に係る観察装置（手術用顕微鏡装置）の第１の実施形態の左右の観察光軸の輻輳状態を説明するための図である。
【図６】本発明に係る観察装置（手術用顕微鏡装置）の第１の実施形態にて使用される手術用コンタクトプリズムの姿勢の傾きに対応して発生する収差量の変化を示すグラフ図である。
【図７】本発明に係る観察装置（手術用顕微鏡装置）の第１の実施形態の左右の観察光軸の手術用コンタクトプリズムに対する入射状態を説明するための図である。
【図８】本発明に係る観察装置（手術用顕微鏡装置）の第１の実施形態の測定手段の構成の一例を表す図である。
【図９】本発明に係る観察装置（手術用顕微鏡装置）の第１の実施形態の測定手段の構成の一例を表す図である。
【図１０】本発明に係る観察装置（手術用顕微鏡装置）の第１の実施形態の手動操作系の構成の一例を表す図である。
【図１１】本発明に係る観察装置（手術用顕微鏡装置）の第１の実施形態のフットスイッチの構成の一例を表す図である。
【図１２】本発明に係る観察装置（手術用顕微鏡装置）の第１の実施形態の制御系の構成の一例を表すブロック図である。
【図１３】本発明に係る観察装置（手術用顕微鏡装置）の第１の実施形態にて使用される手術用コンタクトプリズムに関する補正値マップの概要を表す図である。
【図１４】本発明に係る観察装置（手術用顕微鏡装置）の第１の実施形態の動作態様の一例を表すフローチャートである。
【図１５】本発明に係る観察装置（手術用顕微鏡装置）の第１の実施形態の動作態様の一例を表すフローチャートである。
【図１６】本発明に係る観察装置（手術用顕微鏡装置）の第１の実施形態の動作態様の一例を表すフローチャートである。
【図１７】本発明に係る観察装置（手術用顕微鏡装置）の第１の実施形態の動作態様の一例を表すフローチャートである。
【図１８】本発明に係る観察装置（手術用顕微鏡装置）の第１の実施形態の変形例の動作態様の一例を表すフローチャートである。
【図１９】被手術眼に光ファイバを挿入して眼底を照明する手法の態様を表す概略図である。
【図２０】本発明に係る観察装置（手術用顕微鏡装置）の第２の実施形態の制御系の構成の一例を表すブロック図である。
【図２１】本発明に係る観察装置（手術用顕微鏡装置）の第２の実施形態の動作態様の一例を表すフローチャートである。
【図２２】従来の観察装置（手術用顕微鏡装置）の外観構成を表す図である。
【図２３】従来の観察装置（手術用顕微鏡装置）の光学系の構成を表す図である。
【図２４】従来の観察装置（手術用顕微鏡装置）の光学系の構成を表す図である。
【図２５】従来の観察装置（手術用顕微鏡装置）の光学系の構成を表す図である。
【図２６】従来の観察装置（手術用顕微鏡装置）において使用されるコンタクトプリズムの構成及び作用を表す図である。
【図２７】従来の観察装置（手術用顕微鏡装置）の使用時に発生する収差の影響を説明するための図である。
【図２８】従来の観察装置（手術用顕微鏡装置）の使用時に発生する収差の影響を説明するための図である。
【図２９】従来の観察装置（手術用顕微鏡装置）の使用時に発生する収差の影響を説明するための図である。
【図３０】従来の観察装置（手術用顕微鏡装置）の使用時に発生する収差の影響を説明するための図である。
【図３１】従来の観察装置（手術用顕微鏡装置）の使用時に発生する収差の影響を説明するための図である。
【図３２】従来の観察装置（手術用顕微鏡装置）の光学系の構成を表す図である。
【図３３】従来の観察装置（手術用顕微鏡装置）の光学系の構成を表す図である。
【図３４】従来の観察装置（手術用顕微鏡装置）の光学系に設けられた非点収差打ち消し用光学素子の構成を表す図である。
【図３５】従来の観察装置（手術用顕微鏡装置）の光学系に設けられた非点収差打ち消し用光学素子の構成を表す図である。
【図３６】従来の観察装置（手術用顕微鏡装置）の光学系の構成を表す図である。
【図３７】従来の観察装置（手術用顕微鏡装置）の光学系の構成を表す図である。
【図３８】従来の観察装置（手術用顕微鏡装置）の光学系に設けられた色収差打ち消し用光学素子の構成を表す図である。
【図３９】従来の観察装置（手術用顕微鏡装置）の光学系に設けられた色収差打ち消し用光学素子の構成を表す図である。
【図４０】従来の観察装置（手術用顕微鏡装置）の光学系の構成を表す図である。
【図４１】従来の観察装置（光凝固治療装置）の光学系の構成を表す図である。
【符号の説明】
【０４６５】
７  フットスイッチ
７Ｆ  補正量増加ボタン
７Ｂ  補正量減少ボタン
７Ｌ  補正方向左回転ボタン
７Ｒ  補正方向右回転ボタン
７Ａ  自動補正起動ボタン
１０  手術用顕微鏡
１１  鏡筒
１１ａ  鏡筒の軸
１１′  接眼レンズ鏡筒
１２  照明光学系
１３ａ  左観察光学系
Ｏ１  左の観察光軸
ＯＬ  左眼の軸
１３ｂ  右観察光学系
Ｏ２  右の観察光軸
ＯＲ  右眼の軸
１９  対物レンズ
Ｏ  対物レンズの光軸
２０、３０  変倍レンズ系
２１、３１  ビームスプリッタ
２２、３２  結像レンズ（系）
２６、３６  接眼レンズ
５３、５３Ｌ、５３Ｒ  ＴＶカメラ
６０  コンタクトプリズム
６０Ａ  プリズム部
６０Ｃ  手術用コンタクトレンズ部
６０ａ  コンタクトプリズムの軸
Ｄ  プリズムの方向
α  プリズムの角度
θ  頂角
６１  非点収差打ち消し用光学素子
６１Ａ、６１Ｂ  シリンダーレンズ
６２Ａ、６２Ｂ  シリンダーレンズ駆動部
７０  色収差打ち消し用光学素子
７０Ａ、７０Ｂ  プリズム
７２Ａ、７２Ｂ  プリズム駆動部
９０  測定器具
９１ホルダ部
９２昇降機構部
９３フォーカスノブ
９４  懸垂アーム
９５  昇降アーム
９５ａ  摺動部
９５ｂ  水平アーム
９６  テーブル
９６ａ  固定枠
９７  模擬角膜
９８  模擬眼
９８ａ  ターゲット
９９  照明光源
１００  テンプレート
１００Ａ〜１００Ｃ  切欠部
１１０  手動操作部
１１１  プリズムサイズ設定部
１１２  プリズム角設定部
１１３  測定値記憶操作部
１１４  非点収差補正量設定部
１１５  色収差補正量設定部
１１６  補正方向設定部
１１７  相対角度微調整部
１１８  自動補正起動操作部
１１９  表示部
１２０  ズーム操作部
１３０  演算制御部
１３１  装置制御部
１３２  データ記憶部
１３２Ａ  収差発生方向対応情報
１３２Ｂ  補正値マップ
１３２Ｃ  観察光学系情報
１３３  算出処理部
１３４、２３１  プリズム特性値算出部
１３５  補正値マップ作成部
１３６、２３５  補正方向算出部
１３７、２３６  補正量算出部
１３８  変倍補正量算出部
２３２  画像抽出部
２３３  収差検出部
２３４  収差判断部
１４０  モニタ装置
【図１】
2006330040.tif 000006
【図２】
2006330040.tif 000007
【図３】
2006330040.tif 000008
【図４】
2006330040.tif 000009
【図５】
2006330040.tif 000010
【図６】
2006330040.tif 000011
【図７】
2006330040.tif 000012
【図８】
2006330040.tif 000013
【図９】
2006330040.tif 000014
【図１０】
2006330040.tif 000015
【図１１】
2006330040.tif 000016
【図１２】
2006330040.tif 000017
【図１３】
2006330040.tif 000018
【図１４】
2006330040.tif 000019
【図１５】
2006330040.tif 000020
【図１６】
2006330040.tif 000021
【図１７】
2006330040.tif 000022
【図１８】
2006330040.tif 000023
【図１９】
2006330040.tif 000024
【図２０】
2006330040.tif 000025
【図２１】
2006330040.tif 000026
【図２２】
2006330040.tif 000027
【図２３】
2006330040.tif 000028
【図２４】
2006330040.tif 000029
【図２５】
2006330040.tif 000030
【図２６】
2006330040.tif 000031
【図２７】
2006330040.tif 000032
【図２８】
2006330040.tif 000033
【図２９】
2006330040.tif 000034
【図３０】
2006330040.tif 000035
【図３１】
2006330040.tif 000036
【図３２】
2006330040.tif 000037
【図３３】
2006330040.tif 000038
【図３４】
2006330040.tif 000039
【図３５】
2006330040.tif 000040
【図３６】
2006330040.tif 000041
【図３７】
2006330040.tif 000042
【図３８】
2006330040.tif 000043
【図３９】
2006330040.tif 000044
【図４０】
2006330040.tif 000045
【図４１】
2006330040.tif 000046